(57)【要約】  本発明は、化学物質とトランスジェニック改変とを組み合わせることによる植物生産性の増強に関する。【選択図】図１
2010524483.tif 000002
【特許請求の範囲】
【請求項１】
対応する野生型植物と比較して、収量増加に関連する少なくとも1つのトランスジェニック改変を有する植物において、該植物の健康を増加させ、および／または害虫を制御する方法であって、少なくとも1つのトランスジェニック改変を有する植物が成長しているか、もしくは成長すると予想される位置、および／または少なくとも1つのトランスジェニック改変を有するトランスジェニック植物もしくは少なくとも1つのトランスジェニック改変を有する植物の増殖材料を、少なくとも1種の活性成分を含む有効量の化学組成物で処理することを含む、前記方法。
【請求項２】
前記植物の少なくとも1つのトランスジェニック改変が、用いる活性成分に対する耐性を付与しない、請求項１に記載の方法。
【請求項３】
植物の健康を増加させるための方法である、請求項１に記載の方法。
【請求項４】
害虫を制御するための方法である、請求項１に記載の方法。
【請求項５】
前記活性成分が殺虫剤、殺菌剤または除草剤からなる群より選択される、請求項１〜４のいずれか１項に記載の方法。
【請求項６】
前記活性成分が殺虫剤および殺菌剤からなる群より選択される農薬である、請求項１〜５のいずれか１項に記載の方法。
【請求項７】
前記活性成分が、アセフェート、クロルピリホス、ジアジノン、ジクロルボス、ジメトエート、フェニトロチオン、メタミドホス、メチダチオン、メチル-パラチオン、モノクロトホス、ホレート、プロフェノホス、テルブホス、アルジカルブ、カルバリル、カルボフラン、カルボスルファン、メトミル、チオジカルブ、ビフェントリン、シフルトリン、シペルメトリン、α-シペルメトリン、ζ-シペルメトリン、デルタメトリン、エスフェンバレレート、λ-シハロトリン、ペルメトリン、テフルトリン、ジフルベンズロン、フルフェノクスロン、ルフェヌロン、テフルベンズロン、スピロテトラマット、クロチアニジン、ジノテフラン、イミダクロプリド、チアメトキサム、アセタミプリド、チアクロプリド、エンドスルファン、フィプロニル、アバメクチン、エマメクチン、スピノサッド、スピネトラム、ヒドラメチルノン、クロルフェナピル、フェンブタチンオキシド、インドキサカルブ、メタフルミゾン、フロニカミド、フルベンジアミド、クロラントラニリプロール、シアジピル(HGW86)、シフルメトフェンからなる群より選択される殺虫剤である、請求項１〜６のいずれか１項に記載の方法。
【請求項８】
前記活性成分が、アゾキシストロビン、ジモキシストロビン、クレソキシム-メチル、オリザストロビン、ピラクロストロビン、トリフロキシストロビン、ビキサフェン、ボスカリド、イソピラザム、メタラキシル、ペンチオピラド、3-ジフルオロメチル-1-メチル-1H-ピラゾール-4-カルボン酸(2',4',5'-トリフルオロビフェニル-2-イル)-アミド、N-(2-ビシクロプロピル-2-イル-フェニル)-3-ジフルオロメチル-1-メチル-1H-ピラゾール-4-カルボン酸アミド、ジメトモルフ、フルオピコリド、ジフェノコナゾール、エポキシコナゾール、フルキンコナゾール、フルシラゾール、フルトリアホル、メトコナゾール、ミクロブタニル、プロピコナゾール、プロチオコナゾール、テブコナゾール、テトラコナゾール、トリチコナゾール、プロクロラズ、カルベンダジム、フルアジナム、シプロジニル、ピリメタニル、フルジオキソニル、ドデモルフ、フェンプロピモルフ、トリデモルフ、フェンプロピジン、イプロジオン、ビンクロゾリン、ファモキサドン、プロベナゾール、カプタン、フォルペット、5-エチル-6-オクチル-[1,2,4]トリアゾロ[1,5-a]ピリミジン-7-イルアミン、マンコゼブ、マネブ、メチラム、チラム、ジチアノン、フォセチル、フォセチル-アルミニウム、クロロタロニル、チオファネートメチル、シモキサニル、メトラフェノン、スピロキサミン、ビキサフェン、N-(3',4',5'-トリフルオロビフェニル-2-イル)-3-ジフルオロメチル-1-メチル-1H-ピラゾール-4-カルボキサミド、N-[2-(4'-トリフルオロメチルチオ)-ビフェニル]-3-ジフルオロメチル-1-メチル-1H-ピラゾール-4-カルボキサミド、N-[2-(1,3-ジメチルブチル)-フェニル]-1,3-ジメチル-5-フルオロ-1H-ピラゾール-4-カルボキサミド、N-(2-ビシクロプロピル-2-イル-フェニル)-3-ジフルオロメチル-1-メチル-1H-ピラゾール-4-カルボキサミド、N-(シス-2-ビシクロプロピル-2-イル-フェニル)-3-ジフルオロメチル-1-メチル-1H-ピラゾール-4-カルボキサミド、N-(トランス-2-ビシクロプロピル-2-イル-フェニル)-3-ジフルオロメチル-1-メチル-1H-ピラゾール-4-カルボキサミド、N-[1,2,3,4-テトラヒドロ-9-(1-メチルエチル)-1,4-メタノナフタレン-5-イル]-3-(ジフルオロメチル)-1-メチル-1H-ピラゾール-4-カルボキサミドからなる群より選択される殺菌剤である、請求項１〜７のいずれか１項に記載の方法。
【請求項９】
前記活性成分が、アセトクロル、ジメテナミド、メトラクロル、メタザクロル、グリホセート、グルホシネート、スルホセート、クロジナホプ、フェノキサプロプ、フルアジホプ、ハロキシホプ、パラコート、フェンメジファム、クレトジム、シクロキシジム、プロホキシジム、セトキシジム、テプラロキシジム、ペンジメタリン、トリフルラリン、アシフルオルフェン、ブロモキシニル、イマザメタベンズ、イマザモックス、イマザピク、イマザピル、イマザキン、イマゼタピル、2,4-D、クロリダゾン、クロピラリド、フルロキシピル、ピクロラム、ピコリナフェン、ベンスルフロン、クロリムロンエチル、シクロスルファムロン、ヨードスルフロン、メソスルフロン、メツルフロン-メチル、ニコスルフロン、リムスルフロン、トリフルスルフロン、アトラジン、ヘキサジノン、ジウロン、フロラスラム、ピロキサスルホン、ベンタゾン、シニドン-エチル、シンメチリン、ジカンバ、ジフルフェンゾピル、キンクロラク、キンメラク、メソトリオン、サフルフェナシル、トプラメゾンからなる群より選択される除草剤である、請求項１〜８のいずれか１項に記載の方法。
【請求項１０】
前記活性成分(B)が、ピラクロストロビン、クレソキシム-メチル、ジモキシストロビン、2-(オルト-((2,5-ジメチルフェニル-オキシメチレン)フェニル)-3-メトキシ-アクリル酸メチルエステル、ピコキシストロビン、トリフロキシストロビン、エネストロブリン、オリサストロビン、メトミノストロビン、アゾキシストロビンおよびフルオキサストロビンより選択されるストロビルリンである、請求項１〜９のいずれか１項に記載の方法。
【請求項１１】
前記活性成分(B)が、チアメトキサム、フィプロニルおよびイミダクロプリドおよびクロチアニジンから選択される、請求項１〜１０のいずれか１項に記載の方法。
【請求項１２】
前記化学組成物が、少なくとも1種の活性成分(B)と、グルカンもしくはグルカン誘導体である成分(A)とを含む、請求項１〜１１のいずれか１項に記載の方法。
【請求項１３】
少なくとも1つのトランスジェニック改変が、対応する野生型植物と比較して収量増加に関連する、請求項１〜１２のいずれか１項に記載の方法。
【請求項１４】
対応する野生型植物と比較して収量増加に関連する少なくとも1つのトランスジェニック改変が、
a) 配列番号１〜２７０のいずれかに記載のポリペプチドもしくは配列番号２７１〜２７３に記載の相同体をコードする核酸分子；
b) 表Bの第1もしくは3列に記載の核酸分子；
c) 遺伝子コードの縮重の結果として、表Bの第1もしくは3列および／または配列番号１〜２７０に記載のポリペプチド配列から誘導することができる核酸分子；
d) a)〜c)に記載の核酸分子を含むポリヌクレオチドの核酸分子配列と少なくとも30％の同一性を有する核酸分子；
e) a)〜c)の核酸分子によりコードされるポリペプチドのアミノ酸配列と少なくとも30％の同一性を有し、かつa)〜c)の核酸分子により示される活性を有するポリペプチドをコードする核酸分子；
f) ストリンジェントなハイブリダイゼーション条件下でa)〜c)の核酸分子とハイブリダイズする核酸分子；
g) a)〜e)の核酸分子の1つによりコードされるポリペプチドに対して作製されたモノクローナルもしくはポリクローナル抗体を援用して単離することができ、かつa)〜c)のポリヌクレオチドを含む核酸分子により示される活性を有するポリペプチドをコードする核酸分子；
h) 表Bの第1もしくは3列および／または配列番号１〜２７０に記載の2個以上のポリペプチドから得られるコンセンサス配列もしくは1個以上のポリペプチドモチーフならびに／または配列番号２７４〜２７７に記載のコンセンサス配列を含むポリペプチドをコードする核酸分子；
i) 表Bの第1もしくは3もしくは5列および／または配列番号１〜２７０に記載のタンパク質により示される活性を有するポリペプチドをコードする核酸分子；
j) その5'末端で、ヌクレオチドATAから開始しない、表Bの第1もしくは3列および／または配列番号１〜２７０に記載のポリヌクレオチドのためのプライマーを用いてcDNAライブラリーまたはゲノムライブラリーを増幅することにより得られるポリヌクレオチドを含む核酸分子；
ならびに、
k) a)〜e)で特徴づけられた核酸分子配列に相補的な核酸分子の少なくとも15 nt、好ましくは20 nt、30 nt、50 nt、100 nt、200 ntもしくは500 ntを有し、かつ表Bの第1もしくは3列および／または配列番号１〜２７０に記載のポリペプチドを含むタンパク質により示される活性を有するポリペプチドをコードする、a)もしくはb)の核酸分子の相補配列を含むプローブまたはその断片を用いて、ストリンジェントなハイブリダイゼーション条件下で好適な核酸ライブラリーをスクリーニングすることにより取得可能である核酸分子、
によりコードされるポリペプチドからなる群より選択される1以上の増加した、または生成された活性を付与するトランスジェニック改変である、請求項１〜１３のいずれか１項に記載の方法。
【請求項１５】
対応する野生型植物と比較して収量増加に関連する少なくとも1つのトランスジェニック改変が、配列番号１、２、３、４、５、６、７、８、９、１０、１１、１２、１３、１４、１５、１６、１７、１８、１９、２０、２１、２２、２３、２４、２５、２６、２７、２８、２９、３０、３１、３２、４６、５３、２６６に記載のポリペプチドからなる群より選択される1個以上の増加した、または生成された活性を付与するトランスジェニック改変である、請求項１〜１４のいずれか１項に記載の方法。
【請求項１６】
前記増殖材料が種子である、請求項１〜１５のいずれか１項に記載の方法。
【請求項１７】
前記トランスジェニック種子またはトランスジェニック植物が、植物の健康の増加をもたらす1個以上の遺伝子を含む、請求項１〜１６のいずれか１項に記載の方法。
【請求項１８】
前記トランスジェニック種子またはトランスジェニック植物が、ストレス耐性の増加をもたらす1個以上の遺伝子を含む、請求項１〜１７のいずれか１項に記載の方法。
【請求項１９】
前記トランスジェニック種子またはトランスジェニック植物が、害虫制御の増加をもたらす1個以上の遺伝子を含む、請求項１〜１８のいずれか１項に記載の方法。
【請求項２０】
前記トランスジェニック種子またはトランスジェニック植物が、収量の増加をもたらす1個以上の遺伝子を含む、請求項１〜１９のいずれか１項に記載の方法。
【請求項２１】
前記処理を葉への適用として実行する、請求項１〜２０のいずれか１項に記載の方法。
【請求項２２】
前記処理を畝間で実行する、請求項１〜２１のいずれか１項に記載の方法。
【請求項２３】
前記活性化合物の適用率が、0.0001〜2000 g/haの範囲にある、請求項１〜２２のいずれか１項に記載の方法。
【請求項２４】
前記活性化合物を種子に適用する、請求項１〜２３のいずれか１項に記載の方法。
【請求項２５】
前記トランスジェニック植物が単子葉植物である、請求項１〜２４のいずれか１項に記載の方法。
【請求項２６】
前記トランスジェニック植物が双子葉植物である、請求項１〜２５のいずれか１項に記載の方法。
【請求項２７】
トランスジェニック改変を有する植物が、トウモロコシ、小麦、ライ麦、オート麦、トリチカレ、イネ、大麦、大豆、ピーナッツ、綿、アブラナ、キャノーラ／OSR、マニホット、コショウ、ヒマワリ、亜麻、ルリヂサ、サトウダイコン、ベニバナ、亜麻仁、サクラソウ、菜種、カブラナ、マンジュギク、ナス科植物、ジャガイモ、タバコ、ナス、トマト、レタス、ソラマメ種、エンドウ豆、アルファルファ、コーヒー、カカオ、茶、ヤナギ種、油ヤシ、ココナッツ、多年生草、スニップグラスおよび飼料作物を含む群より選択される、請求項１〜２６のいずれか１項に記載の方法。
【請求項２８】
トランスジェニック改変を有する植物が、トウモロコシ、大豆、綿、キャノーラ／OSRおよびスニップグラスを含む群より選択される、請求項１〜２７のいずれか１項に記載の方法。
【発明の詳細な説明】
【技術分野】
【０００１】
本発明は、化学物質とトランスジェニック改変とを組み合わせることによる植物生産性の増強に関する。
【背景技術】
【０００２】
化学的修正およびトランスジェニック改変は共に、植物の性能を増加させることができる。化学物質を、例えば、種子コーティングとして、またはスプレーとして、成長中の植物に適用することができる。コーティングとして適用する場合、化学的修正は生物ストレスおよび非生物ストレスに対する種子耐性を改善し、発芽ならびに早期発芽を刺激および／または改善することができる。かくして、苗は温室または畑においてより良好に確立することができる。成長中の植物に対するスプレー適用は、例えば、植物代謝を増強すること、植物活力を誘導すること、植物林冠および幹構造を改変することにより、または着果を改善することにより、成長に影響し得る。
【０００３】
植物の性能を増強するか、または穀物の品質および量を改善する多くの製品が販売されている。例えば、フィプロニルは、フェニルピラゾールクラスの殺虫化合物に由来する広範囲の殺虫剤である。それは作物および非作物市場における全ての主要な害虫に対して高度に有効である。最も重要な用途は、作物における土壌および種子処理および非作物におけるシロアリ制御である。フィプロニルは、根系全体および根毛発達を増強し、耕作者数および生産性を増加させ、光合成能力(植物の緑色)を増加させ、葉領域および植物の高さを増加させ、収量の有意な増加を誘導する早期開花および穀物成熟を刺激すると報告されている(Fipronil-Worldwide technical Bulletin, BASF)。
【０００４】
ラウンドアップレディー作物(Round-up ready crop)などのトランスジェニック植物は、主に水および栄養素に関する雑草との競合の排除に起因して、増強された生産性を示してきた。ラウンドアップレディー作物は、フィールド率(field rate)(24〜32 oz/A)で適用した場合、除草剤の影響を受けにくい。多くの雑草は除草剤の影響を受けやすく、多くの利用可能な栄養素を作物植物により隔離し、従って、収量を増加させることができる。
【０００５】
化学的、物理的、生物学的、およびトランスジェニック手法の組合せが、総合ペスト対策管理(IPM)において用いられている。例えば、耐性が増加したトランスジェニック植物は、いわゆるBtコーン(Bt＝バチルス・チューリンゲンシス(Bacillus thuringiensis))であり、これは特定の結晶タンパク質のレベルを増加させるように改変されたものである。Btは、鱗翅類の幼虫、最も顕著には、トウモロコシ害虫の制御において有効である(http://www.extension.umn.edu/distribution/cropsystems/DC7055.html#ch2)。このタンパク質は選択的であり、一般的には、トウモロコシ害虫の制御にも用いられるトリコグラマ・ミヌタム(Trichogramma minutum)蜂などの他の種類の昆虫を害さない(http://ipmworld.umn.edu/chapters/chippen.htm)。従って、Bt遺伝子を担持する作物は、生物学的制御プログラムと互換性であると考えられてきた。
【０００６】
コーンルートワームに対する活性を有するトランスジェニック事象と、特定の農薬を用いる種子の処理との組合せは、そのような処理を有する種子に対して予想外の相乗的利益を提供し、コーンルートワームによる損傷に対する防御において予想外の優れた効力を示す。これは米国特許第6,593,273号に開示されている。
【０００７】
WO1999035913の教示に従えば、農薬の活性成分を発現する1個以上の遺伝子を担持するか、または除草剤に対して寛容性であるか、もしくは菌類の攻撃に対して耐性であるトランスジェニック有用植物の、害虫制御のためのニトロイミノまたはニトログアニジノ化合物による処理は、制御しようとする害虫に対して相乗効果を有する。
【０００８】
農業植物の活力および収量を増加させる方法は、US 20030060371、US 20040023081またはUS 20030114308から公知である。この方法は、除草剤または他の農薬による植物の処理を含み、該植物は用いられる除草剤または農薬に対して耐性を付与するトランスジェニック事象を有するトランスジェニック植物である。
【０００９】
しかしながら、性能を改良するためにトランスジェニック植物自体に対して、少なくとも1種の活性成分を含む化合物および／または化学組成物を適用する利点は、未知である。植物の生産性および穀物の品質を増強するために、農薬適用とトランスジェニック改変とを組み合わせる公知の生産系は存在しない。
【発明の概要】
【発明が解決しようとする課題】
【００１０】
本発明の課題は、植物の健康を増加させ、および／または害虫を制御するための新しいプロセスである。
【００１１】
さらなる課題は、植物の性能を改善するために、化学物質とトランスジェニック材料を統合する方法である。
【課題を解決するための手段】
【００１２】
上記課題は、本発明の方法を提供することにより本発明に従って達成される。まとめると、本発明は、対応する野生型植物と比較して収量増加に関連する少なくとも1つのトランスジェニック改変を有する植物において、植物の健康を増加させ、および／または害虫を制御する方法であって、少なくとも1つのトランスジェニック改変を有する植物が成長しているか、もしくは成長すると予想される位置、および／または少なくとも1つのトランスジェニック改変を有するトランスジェニック植物もしくは少なくとも1つのトランスジェニック改変を有する植物の増殖材料を、少なくとも1種の活性成分を含む有効量の化学組成物で処理することを含む、前記方法に関する。
【図面の簡単な説明】
【００１３】
【図１】構築物NC027のマップである。
【発明を実施するための形態】
【００１４】
本発明の一実施形態においては、本発明の方法は、
a)少なくとも1つのトランスジェニック改変を有する植物が成長するか、もしくは成長すると予想される位置および／または少なくとも1つのトランスジェニック改変を有する植物もしくは少なくとも1つのトランスジェニック改変を有する植物の増殖材料を、少なくとも1種の活性成分を含む有効量の化学組成物で処理すること、ならびに
b)対応する非処理植物と比較して、植物の健康および生産性が増加したトランスジェニック植物を培養し、該植物の発達を許容する条件下で該植物を成長させること、
を含む。
【００１５】
一実施形態においては、本発明は、植物の健康の増加および／または害虫制御を含む植物の生産性を増加させる方法に関する。
【００１６】
驚くべきことに、収量増加に関連する少なくとも1つのトランスジェニック改変を有するその植物を、少なくとも1種の活性成分を含む有効量の化学組成物で処理することは、相乗効果をもたらすことが現在判明している。本発明の文脈における相乗効果とは、
a)トランスジェニック改変と組み合わせた農薬の使用が、制御しようとする害虫に対して期待される相加効果を超え、かくして、活性成分の作用範囲およびトランスジェニック植物により発現される活性原理の範囲を拡張すること、ならびに／または
b)植物の健康の増加および収量の増加をもたらすこと、
を意味する。
【００１７】
しかしながら、用語「相乗」は、これに関連して、相乗的殺虫活性および／または相乗的植物健康効果として理解されるべきである。
【００１８】
相乗的農薬活性とは、他の害虫、例えば、耐性株に対する作用の殺虫範囲の拡張および／または農薬の適用率の低下、および／または農薬のみの適用率でさえ、農薬の助けによる害虫の十分な制御を意味し、トランスジェニック植物のみでは完全に無効であることを意味する。
【００１９】
本発明の一実施形態においては、前記植物の少なくとも1つのトランスジェニック改変は、用いられる活性成分に対する耐性を付与しない。
【００２０】
本発明に従えば、「植物生産性の増加」とは、特定の植物形質が、老化の遅延、根の成長、より長い円錐花序、植物立性の増加もしくは改善、植物重量、植物の高さ、発生、改善された視覚的外見、改善されたタンパク質含量、より発達した根系、耕作の増加、植物の高さの増加、より大きい葉身、より少ない死んだ根出葉、より強い耕作者、より緑色の葉色、色素含量、光合成活性、必要な肥料がより少ないこと、必要な種子がより少ないこと、より生産性の高い耕作者、より早い開花、早期穀物成熟、より少ない植物節(ロッジング)、新芽成長の増加、早期発芽および改善された発芽、植物の活力の改善、植物の品質の改善、果実もしくは野菜(もしくは植物により産生される他の産物)の品質の改善、菌類、細菌、ウイルスおよび／もしくは昆虫に対する寛容性の誘導などの植物の自己防衛機構の改善からなる群より選択されるものなどの、同じ因子の制御、例えば、同じ条件下であるが、本発明を適用せずに産生される植物を超えて、測定可能な量もしくは顕著な量により増加するか、または改善することを意味する。
【００２１】
上述の相乗的害虫制御とは、トランスジェニック改変と組み合わせた農薬の使用が、制御しようとする害虫に対して期待される相加効果を超え、かくして、農薬の作用範囲およびトランスジェニック植物により発現されるトランスジェニック改変により引き起こされる活性の範囲を拡張し、限定されるものではないが、菌類、細菌、ウイルスおよび／または昆虫に対する寛容性の誘導などの植物の自己防衛機構の改善などの、菌類、細菌、ウイルスおよび／または昆虫に対する寛容性の誘導などの植物の自己防衛機構の改善などの効果により達成することができることを意味する。
【００２２】
害虫とは、昆虫、線虫またはクモ形類動物だけでなく、植食性菌類を意味する。
【００２３】
本発明の一実施形態においては、増加した植物生産性とは、生体重(FW)、乾燥重量、および／または植物体積が改善した植物を意味する。
【００２４】
本発明の一実施形態においては、増加した植物生産性とは、例えば、より良好な植物成長を示す、節間の長さが増加した植物および／または対照よりも大きい光合成能力を示す、緑色対黄色の植物材料を意味する。
【００２５】
本発明の一実施形態においては、増加した植物生産性とは、緑色、節間の長さ、葉の角度(葉がより平たく広がっており、かくして、より多い光合成照射を受けたことを意味する)が増加した植物、および／または対照よりも光合成のための葉の表面積が大きいことを示す、植物領域の増加を意味する。
【００２６】
本発明の一実施形態においては、増加した植物生産性とは、収量が増加した植物および／または活力が改善された植物を意味する。
【００２７】
本発明の一実施形態においては、増加した植物生産性とは、上記形質のいずれかまたは上記形質のうちの2以上の任意の組合せが増加した植物を意味する。
【００２８】
本発明の一実施形態においては、増加した収量とは、バイオマス産生、穀物収量、デンプン含量、油含量またはタンパク質含量からなる群より選択される形質の増加を意味する。
【００２９】
本発明の一実施形態においては、増加した収量は、植物生産性の増加、例えば、植物の健康の増加および／または害虫制御に基づいて得られる。
【００３０】
本発明に従えば、「増加した植物の健康」とは、老化の遅延、根の成長、より長い円錐花序、植物重量、植物の高さ、発生、改善された視覚的外見、タンパク質含量、油含量、デンプン含量、より発達した根系(改善された根の成長)、エチレンの低下(産生低下および／もしくは受容の阻害)、耕作増加、植物の高さの増加、より大きい葉身、より少ない死んだ根出葉、より強い耕作者、より緑色の葉色、色素含量、光合成活性、必要な入力(肥料もしくは水など)がより少ないこと、必要な種子がより少ないこと、増強された植物活力、より生産性の高い耕作者、より早い開花、早期穀物成熟、より少ない植物節(ロッジング)、新芽成長の増加、植物姿勢の増加ならびに早期発芽およびより良好な発芽、植物活力の改善、植物の品質の改善、果実もしくは野菜(もしくは植物により産生される他の産物)の品質の改善、熱ストレス、寒冷ストレス、干ばつストレス、UVストレスおよび／もしくは塩ストレスなどのストレス因子に対する寛容性の誘導および改善などの植物の自己防衛機構の改善からなる群より選択されるものなどの、特定の植物特性が、野生型植物と比較して増加するか、または改善されることを意味する。特に、処理された種子から得られる有利な特性は、発芽の改善および畑の確立、より良好な活力、より均質な畑の確立からなる群より選択される。特に、葉および／または畝中適用から得られる有利な特性は、例えば、植物成長および植物発達の改善、より良好な成長、より多い耕作者、より緑色の葉、より大きい葉、より多いバイオマス、より良好な根、植物の非生物ストレス寛容性の改善、より多い穀物収量、より多く収穫されるバイオマス、収穫物の品質の改善(脂肪酸、代謝物、油などの含量)、より市場性の高い産物(例えば、大きさの改善)、プロセスの改善(例えば、より長い貯蔵期間、化合物のより良好な抽出)、種子の品質の改善(種子製造のために次の季節に播種される)；または当業者には公知の任意の他の利点からなる群より選択される。
【００３１】
本発明の一実施形態においては、増加した植物の健康とは、上記形質のいずれかまたは上記形質のうちの2以上の任意の組合せが増加した植物を意味する。
【００３２】
一実施形態において、本発明は、収量増加に関連する少なくとも1つのトランスジェニック改変を有する植物において害虫を制御する方法および／または植物の健康を増加させる方法であって、害虫、または少なくとも1つのトランスジェニック改変を有する植物もしくは少なくとも1つのトランスジェニック改変を有する植物の増殖材料に対する少なくとも1種の農薬を含む組成物の適用を含む前記方法を提供する。
【００３３】
本発明に従えば、「害虫制御」または「害虫を制御すること」とは、一実施形態においては、
鱗翅目(Lepidoptera)に由来する昆虫、例えば、アルゴティス・イプシロン（Agrotis ypsilon）、アルゴティス・セグタム（Agrotis segutum）、アラバマ・アルギカセア（Alabama argillacea）、アンチカルシア・ゲマタリス（Anticarsia gemmatalis）、アルギレスチア・コンジュゲラ（Argyresthia conjugella）、オートグラファ・ガンマ（Autographa gamma）、ブパルス・ピニアリウス（Bupalus piniarius）、コカエシア・ムリナナ（Cacoecia murinana）、カプア・レチキュラナ（Capua reticulana）、ケイマトビア・ブルマタ（Cheimatobia brumata）、コリストネウラ・フミフェラナ（Choristoneura fumiferana）、コリストネウラ・オシデンタリス（Choristoneura occidentalis）、シルフィス・ウニパンクタ（Cirphis unipuncta）、シディア・ポモネラ（Cydia pomonella）、デンドロリマス・ピニ（Dendrolimus pini）、ジアファニア・ニチダリス（Diaphania nitidalis）、ジアトラエ・グランジオセラ（Diatraeagarandiosella）、エアリアス・インスラナ（Earias insulana）、エラスモパルパス・リグノセラス（Elasmopalpus lignosellus）、ヨーポエシリア・アンビゲラ（Eupoecilia ambiguella）、エベトリア・ボーリアナ（Evetria bouliana）、フェルチア・サブテラナエ（Feltia subterranea）、ガレリア・メロネラ（Galleria mellonella）、グラホルタ・フネブラナ（Grapholitha funebrana）、グラホリタ・モレスタ（Grapholitha molesta）、ヘリオチス・アルミゲラ（Heliothis armigera）、ヘリオチス・ビレセンス（Heliothis virescens）、ヘリオチス・ゼア（Heliothis zea）、ヘルラ・ウンダリス（Hellula undalis）、ヒベルニア・デフォリアリア（Hibernia defoliaria）、ヒファンテリア・クネア（Hyphantria cunea）、ヒポノメウタ・マリネラス（Hyponomeuta malinellus）、ケイフェリア・リコペルシセラ（Keiferia lycopenrsicella）、ラムジナ・フィスセラリア（Lambdina fiscellaria）、ラフィグマ・エキシグア（Laphygma exigua）、ロイコプテラ・コフェーラ（Leucoptera coffeella）、ロイコプテラ・シテラ（Leucoptera scitella）、リトティス・ブランカルデラ（Lithotis blancardella）、ロベシア・ボトラナ（Lobesia botrana）、ロキソステジ・スティクティカリス（Loxostege sticticalis）、リマントリア・ジスパー（Lymantria dispar）、リマントリア・モナカ（Lymantria monacha）、リオネチア・クレアケラ（Lyonetia clerkella）、マラコソマ・ニューストリア（Malacosoma neustria）、マメストラ・ブラシカエ（Mamestra brassicae）、オルギア・シュードツガタ（Orgyia pseudotsugata）、オストリニア・ヌビラリス（Ostrinia nubilalis）、パノリス・フラメア（Panolis flammea）、ペクチノフォラ・ゴシピエラ（Pectinophora gossypiella）、ペリドロマ・ソーシア（Peridroma saucia）、ファレラ・ブセファラ（Phalera bucephala）、フトリマエ・オペルクレラ（Phthorimaea operculella）、フィロクニスティス・シトレラ（Phyllocnistis citrella）、ピエリス・ブラシカエ（Pieris brassicae）、プラチペナ・スカブラ（Plathypena scabra）、プルテラ・キシロステラ（Plutella xylostella）、シュードプラシア・インクルデンス（Pseudoplusia includens）、リアシオニア・フルストラナ（Rhyacionia frustrana）、スクロビパルプラ・アブソルタ（Scrobipalpula absoluta）、シトトラガ・セレアレラ（Sitotroga cerealella）、スパルガノティス・ピレリアナ（Sparganothis pilleriana）、スポドプテラ・フルギペルダ（Spodoptera frugiperda）、スポドプテラ・リトラリス（Spodoptera littoralis）、スポドプテラ・リツラ（Spodoptera litura）、トーマトポエ・ポチオカンパ（Thaumatopoea pityocampa）、トルトリックス・ビリダナ（Tortrix viridana）、トリコプルシア・ニー（Trichoplusia ni）およびゼイラフェラ・カナデンシス（Zeiraphera canadensis）、
甲虫 (甲虫目(Coleoptera))、例えば、アグリラス・シヌアタス（Agrilus sinuatus）、アグリオテス・リネアタス（Agriotes lineatus）、アグリオテス・オブスクラス（Agriotes obscurus）、アンヒマルス・ソルスティチアリス（Amphimallus solstitialis）、アニサンドラス・ジスパー（Anisandrus dispar）、アントノマス・グランジス（Anthonomus grandis）、アントノマス・ポモラム（Anthonomus pomorum）、アフトナ・ユーフォリダエ(Aphthona euphoridae)、アトウス・ヘモロイダリス(Athous haemorrhoidalis)、アトマリア・リネアリス（Atomaria linearis）、ブラストファガス・ピニペルダ（Blastophagus piniperda）、ブリトファガ・ウンダータ（Blitophaga undata）、ブルカス・ルフィマナス（Bruchus rufimanus）、ブルカス・ピソラム（Bruchus pisorum）、ブルカス・レンティス（Bruchus lentis）、ビクティスカス・ベツラエ（Byctiscus betulae）、カシダ・ネブロサ（Cassida nebulosa）、セロトマ・トリフルカタ（Cerotoma trifurcata）、セトニア・アウラータ(Cetonia aurata)、ソートリンカス・アシミリス（Ceuthorrhynchus assimilis）、ソートリンカス・ナピ（Ceuthorrhynchus napi）、カエトクネマ・ティビアリス（Chaetocnema tibialis）、コノデラス・ベスペルチナス（Conoderus vespertinus）、クリオセリス・アスパラギ（Crioceris asparagi）、クテニセラ種(Ctenicera spp.)、ディアブロティカ・ロンギコルニス（Diabrotica longicornis）、ディアブロティカ・セミパンクタタ(Diabrotica semipunctata)、ディアブロティカ・12-パンクタタ（Diabrotica 12-punctata）、ディアブロティカ・スペシオーサ(Diabrotica speciosa)、ディアブロティカ・ビルジフェラ（Diabrotica virgifera）、エピラクナ・バリベスティス（Epilachna varivestis）、エピトリックス・ヒルティペニス（Epitrix hirtipennis）、ヨーティノボスラス・ブラシリエンシス（Eutinobothrus brasiliensis）、ヒロビウス・アビエティス（Hylobius abietis）、ヒペラ・ブルネイペニス（Hypera brunneipennis）、ヒペラ・ポスティカ（Hypera postica）、イプス・チポグラファス（Ips typographus）、レマ・ビリネアタ（Lema bilineata）、レマ・メラノパス（Lema melanopus）、レプティノタルサ・デセムリネアタ（Leptinotarsa decemlineata）、リモニウス・カリフォルニカス（Limonius californicus）、リソロプトラス・オリゾヒラス（Lissorhoptrus oryzophilus）、メラノタス・コムニス（Melanotus communis）、メリゲテス・アエネアス（Meligethes aeneus）、メロロンタ・ヒポカスタニ（Melolontha hippocastani）、メロロンタ・メロロンタ（Melolontha melolontha）、オウレマ・オリザエ（Oulema oryzae）、オチオリンカス・スルカタス（Otiorrhynchus sulcatus）、オチオリンカス・オバタス（Otiorrhynchus ovatus）、ファエドン・コクレアリア（Phaedon cochleariae）、フィロビウス・ピリ(Phyllobius pyri)、フィロトレタ・クリソセファラ（Phyllotreta chrysocephala）、フィロファガ（Phyllophaga）種、フィロペルタ・ホルティコラ（Phyllopertha horticola）、フィロトレタ・ネモラム（Phyllotreta nemorum）、フィロトレタ・ストリオラタ（Phyllotreta striolata）、ポピリア・ジャポニカ（Popillia japonica）、シトナ・リネアタス（Sitona lineatus）およびシトフィラス・グラナリア（Sitophilus granaria）、
ハエ、蚊(双翅目(Diptera))、例えば、アエデス・アエギプチ（Aedes aegypti）、アエデス・アルボピクタス(Aedes albopictus)、アエデス・ベキサンス（Aedes vexans）、アナストレファ・ルデンス（Anastrepha ludens）、アノフェレス・マクリペニス（Anopheles maculipennis）、アノフェレス・クルシアンス(Anopheles crucians)、アノフェレス・アルビマヌス(Anopheles albimanus)、アノフェレス・ガンビアエ(Anopheles gambiae)、アノフェレス・フレボルニ(Anopheles freeborni)、アノフェレス・ロイコスフィルス(Anopheles leucosphyrus)、アノフェレス・ミニマス(Anopheles minimus)、アノフェレス・クアドリマクラタス(Anopheles quadrimaculatus)、カリフォラ・ビシナ(Calliphora vicina)、セラティティス・カピタタ（Ceratitis capitata）、クリソミア・ベジアナ（Chrysomya bezziana）、クリソミア・ホミニボラックス（Chrysomya hominivorax）、クリソミア・マセラリア（Chrysomya macellaria）、クリソプス・ディスカリス(Chrysops discalis)、クリソプス・シラセア(Chrysops silacea)、クリソプス・アトランチカス(Chrysops atlanticus)、コクリオミア・ホミニボラックス(Cochliomyia hominivorax)、コンタリニア・ソルギコラ（Contarinia sorghicola）、コルジロビア・アントロポファガ（Cordylobia anthropophaga）、クリコイデス・フレンス(Culicoides furens)、クレックス・ピピエンス（Culex pipiens）、クレックス・ニグリパルパス(Culex nigripalpus)、クレックス・キンクファシアタス(Culex quinquefasciatus)、クレックス・タルサリス(Culex tarsalis)、クリセタ・イノルナタ(Culiseta inornata)、クリセタ・メラヌラ(Culiseta melanura)、ダカス・ククルビタエ（Dacus cucurbitae）、ダカス・オレアエ（Dacus oleae）、ダシネウラ・ブラシカエ（Dasineura brassicae）、デリア・アンティーク(Delia antique)、デリア・コアルクタタ(Delia coarctata)、デリア・プラツラ(Delia platura)、デリア・ラジカム(Delia radicum)、デルマトビア・ホミニス(Dermatobia hominis)、ファニア・カニクラリス（Fannia canicularis）、ゲオミザ・トリパンクタタ(Geomyza Tripunctata)、ガステロフィラス・インテスチナリス（Gasterophilus intestinalis）、グロシナ・モルシタンス（Glossina morsitans）、グロシナ・パルパリス(Glossina palpalis)、グロシナ・フシペス(Glossina fuscipes)、グロシナ・タキノイデス(Glossina tachinoides)、ハエマトビア・イリタンス（Haematobia irritans）、ハプロジプロシス・エクエストリス（Haplodiplosis equestris）、ヒッペラテス種(Hippelates spp.)、ヒレミア・プラツラ（Hylemyia platura）、ヒポデルマ・リネアタ（Hypoderma lineata）、レプトコノプス・トレンス(Leptoconops torrens)、リリオミザ・サティバエ（Liriomyza sativae）、リリオミザ・トリフォリイ（Liriomyza trifolii）、ルシリア・カプリナ（Lucilia caprina）、ルシリア・クプリナ（Lucilia cuprina）、ルシリア・セリカタ（Lucilia sericata）、リコリア・ペクトラリス（Lycoria pectoralis）、マンソニア・ティティラヌス(Mansonia titillanus)、マイエチオラ・デストラクター（Mayetiola destructor）、ムスカ・アウツムナリス(Musca autumnalis)、ムスカ・ドメスティカ（Musca domestica）、ムスシナ・ストラブランス（Muscina stabulans）、オエストラス・オビス（Oestrus ovis）、オポミザ・フロラム(Opomyza florum)、オスシネラ・フリット（Oscinella frit）、ペゴミア・ヒソシアミ（Pegomya hysocyami）、ホルビア・アンチカ（Phorbia antique）、ホルビア・ブラシカエ（Phorbia brassicae）、ホルビア・コアルクタタ（Phorbia coarctata）、フレボトムス・アルゲ��ティペス(Phlebotomus argentipes)、プソロフォラ・コロンビアエ(Psorophora columbiae)、プシラ・ロサエ(Psila rosae)、プソロフォラ・ジスコロル(Psorophora discolor)、プロシムリウム・ミクシツム(Prosimulium mixtum)、ラゴレティス・セラシ（Rhagoletis cerasi）、ラゴレティス・ポモネラ（Rhagoletis pomonella）、サルコファガ・ヘモロイダリス(Sarcophaga haemorrhoidalis)、サルコファガ種(Sarcophaga spp.)、シムリウム・ビッタツム(Simulium vittatum)、ストモキシス・カルシトランス(Stomoxys calcitrans)、タバヌス・ボビナス（Tabanus bovinus）、タバヌス・アトラタス(Tabanus atratus)、タバヌス・リネオラ(Tabanus lineola)およびタバナス・シミリス(Tabanus similis)、ティプラ・オレラセア（Tipula oleracea）およびティプラ・パルドサ（Tipula paludosa）、
アザミウマ(総翅目(Thysanoptera))、例えば、ジクロモトリプス・コルベッティ(Dichromothrips corbetti)、ジクロモトリプス種(Dichromothrips ssp.)、フランクリニエラ・フスカ（Frankliniella fusca）、フランクリニエラ・オシデンタリス（Frankliniella occidentalis）、フランクリニエラ・トリティシ （Frankliniella tritici）、シルトリプス・シトリ（Scirtothrips citri）、トリプス・オリザエ（Thrips oryzae）、トリプス・パルミ（Thrips palmi）およびトリプス・タバシ（Thrips tabaci）、
シロアリ(等翅目)、例えば、カロテルメス・フラビコリス （Calotermes flavicollis）、ロイコテルメス・フラビペス（Leucotermes flavipes）、ヘテロテルメス・オーレウス(Heterotermes aureus)、レチクリテルメス・フラビペス(Reticulitermes flavipes)、レチクリテルメス・バージニカス(Reticulitermes virginicus)、レチクリテルメス・ルシフンガス（Reticulitermes lucifugus）、レチクリテルメス・サントネンシス(Reticulitermes santonensis)、レチクリテルメス・グラッセイ(Reticulitermes grassei)、テルメス・ナタレンシス(Termes natalensis)およびコプトテルメス・フォルモサヌス(Coptotermes formosanus)、
ゴキブリ(ゴキブリ目(Blattaria-Blattodea)、例えば、ブラテラ・ゲルマニカ(Blattella germanica)、ブラテラ・アサヒナ(Blattella asahinae)、ペリプラネタ・アメリカーナ(Periplaneta americana)、ペリプラネタ・ジャポニカ(Periplaneta japonica)、ペリプラネタ・ブルネア(Periplaneta brunnea)、ペリプラネタ・フリギノサ(Periplaneta fuligginosa)、ペリプラネタ・オーストラシア(Periplaneta australasiae)、およびブラッタ・オリエンタリス(Blatta orientalis)、
虫、アブラムシ、ヨコバイ、コナジラミ、カイガラムシ、セミ(半翅目(Hemiptera))、例えば、アクロステルナム・ヒラレ（Acrosternum hilare）、ブリサス・ロイコプテラス（Blissus leucopterus）、シルトペルティス・ノタタス（Cyrtopeltis notatus）、ディスデルカス・シングラタス（Dysdercus cingulatus）、ディスデルカス・インテルメディアス（Dysdercus intermedius）、ユーリガスター・インテグリセプス（Eurygaster integriceps）、ユーシスタス・インピクティベントリス（Euschistus impictiventris）、レプトグロッサス・フィロパス（Leptoglossus phyllopus）、リガス・リネオラリス（Lygus lineolaris）、リガス・プラテンシス（Lygus pratensis）、ネズラ・ビリデュラ（Nezara viridula）、ピエスマ・クアドラタ（Piesma quadrata）、ソルベア・インスラリス（Solubea insularis）、チアンタ・ペルジトル（Thyanta perditor）、アクリトシフォン・オノブリキス（Acrythosiphon onobrychis）、アデルゲス・ラリシス（Adelges laricis）、アフィデュラ・ナスチュルチ（Aphidula nasturtii）、アフィス・ファバエ（Aphis fabae）、アフィス・フォルベシ(Aphis forbesi)、アフィス・ポミ（Aphis pomi）、アフィス・ゴシピ(Aphis gossypii)、アフィス・グロスラリアエ(Aphis grossulariae)、アフィス・シュネイデリ(Aphis schneideri)、アフィス・スピラエコラ(Aphis spiraecola)、アフィス・サンブシ（Aphis sambuci）、アクリトシフォン・ピサム(Acyrthosiphon pisum)、アウラコルタム・ソラニ(Aulacorthum solani)、ベミシア・アルゲンチフォリ(Bemisia argentifolii)、ブラシカウダス・カルデュイ（Brachycaudus cardui）、ブラシカウダス・ヘリクリシ(Brachycaudus helichrysi)、ブラシカウダス・ペルシカエ(Brachycaudus persicae)、ブラシカウダス・プルニコラ(Brachycaudus prunicola)、ブレビコリネ・ブラシカエ（Brevicoryne brassicae）、カピトフォルス・ホルニ(Capitophorus horni)、セロシファ・ゴシピ（Cerosipha gossypii）、シャエトシフォン・フラガエフォリ(Chaetosiphon fragaefolii)、クリプトミザス・リビス(Cryptomyzus ribis)、ドレイフシア・ノルドマニアナ（Dreyfusia nordmannianae）、ドレイフシア・ピセア（Dreyfusia piceae）、ジサフィス・ラディコラ（Dysaphis radicola）、ジサウラコルタム・シュードソラニ（Dysaulacorthum pseudosolani）、ジサフィス・プランタギネア(Dysaphis plantaginea)、ジサフィス・ピリ(Dysaphis pyri)、エンポアスカ・ファバエ（Empoasca fabae）、ヒアロプテルス・プルニ(Hyalopterus pruni)、ヒペロミザス・ラクツカエ(Hyperomyzus lactucae)、マクロシフム・アベナエ（Macrosiphum avenae）、マクロシフム・ユーホルビアエ（Macrosiphum euphorbiae）、マクロシフォン・ロサエ（Macrosiphon rosae）、メゴウラ・ビシア（Megoura viciae）、メラナフィス・ピラリウス(Melanaphis pyrarius)、メトポロフィウム・ジローダム（Metopolophium dirhodum）、ミザス・ペルシカエ（Myzus persicae）、ミザス・アスカロニクス(Myzus ascalonicus)、ミザス・セラシ（Myzus cerasi）、ミザス・バリアンス(Myzus varians)、ナソノビア・リビス-ニグリ(Nasonovia ribis-nigri)、ニラパルバタ・ルゲンス（Nilaparvata lugens）、ペムフィガス・ブルサリアス（Pemphigus bursarius）、パーキンシエラ・サッカリシダ（Perkinsiella saccharicida）、ホロドン・フミリ（Phorodon humili）、シラ・マリ（Psylla mali）、シラ・ピリ（Psylla piri）、ロパロミザス・アスカロニカス（Rhopalomyzus ascalonicus）、ロパロシフム・マイディス（Rhopalosiphum maidis）、ロパロシフム・パジ(Rhopalosiphum padi)、ロパロシフム・インセルタム(Rhopalosiphum insertum)、サッパフィス・マラ（Sappaphis mala）、サッパフィス・マリ（Sappaphis mali）、シザフィス・グラミナム（Schizaphis graminum）、シゾネウラ・ラヌジノサ（Schizoneura lanuginosa）、シトビオン・アベナエ(Sitobion avenae)、トリアロイドデス・バポラリオラム（Trialeurodes vaporariorum）、トキソプテラ・アウランティアンド(Toxoptera aurantiiand)、ビテウス・ビチフォリイ （Viteus vitifolii）、シメックス・レクツラリウス(Cimex lectularius)、シメックス・ヘミプテルス(Cimex hemipterus)、レデュビウス・セニリス(Reduvius senilis)、トリアトマ種(Triatoma spp.)およびアリルス・クリタツス(Arilus critatus)、
アリ、ミツバチ、狩蜂、ハバチ(膜翅目(Hymenoptera))、例えば、アタリア・ロザエ（Athalia rosae）、アッタ・セファロテス（Atta cephalotes）、アッタ・カピグアラ(Atta capiguara)、アッタ・ラエビガタ(Atta laevigata)、アッタ・ロブスタ(Atta robusta)、アッタ・セクスデンス（Atta sexdens）、アッタ・テキサナ（Atta texana）、クレマトガスター種(Crematogaster spp.)、ホプロカンパ・ミヌタ（Hoplocampa minuta）、ホプロカンパ・テスツディナエ（Hoplocampa testudinae）、ラシウス・ニゲル(Lasius niger)、モノモリウム・ファラオニス（Monomorium pharaonis）、ソレノプシス・ゲミナタ（Solenopsis geminata）、ソレノプシス・インビクタ（Solenopsis invicta）、ソレノプシス・リクテリ(Solenopsis richteri)、ソレノプシス・キシロニ(Solenopsis xyloni)、ポゴノミルメックス・バルバツス(Pogonomyrmex barbatus)、ポゴノミルレックス・カリフォルニクス(Pogonomyrmex californicus)、フェイドレ・メガセファラ(Pheidole megacephala)、ダシムチラ・オシデンタリス(Dasymutilla occidentalis)、ボンブス種(Bombus spp.)、ベスプラ・スクアモサ(Vespula squamosa)、パラベスプラ・バルガリス(Paravespula vulgaris)、パラベスプラ・ペンシルバニカ(Paravespula pennsylvanica)、パラベスプラ・ゲルマニカ(Paravespula germanica)、ドリコベスプラ・マクラタ(Dolichovespula maculata)、ベスパ・クラブロ(Vespa crabro)、ポリステス・ルビギノサ(Polistes rubiginosa)、カンポノタス・フロリダヌス(Camponotus floridanus)およびリネピテマ・フミレ(Linepithema humile)、
コオロギ、バッタ、イナゴ(直翅目(Orthoptera))、例えば、アケタ・ドメスティカ（Acheta domestica）、グリロタルパ・グリロタルパ（Gryllotalpa gryllotalpa）、ロクスタ・ミグラトリア（Locusta migratoria）、メラノプラス・ビビタタス（Melanoplus bivittatus）、メラノプラス・フムルールブラム（Melanoplus femurrubrum）、メラノプラス・メキシカヌス（Melanoplus mexicanus）、メラノプラス・サングイニペス（Melanoplus sanguinipes）、メラノプラス・スプレタス（Melanoplus spretus）、ノマダクリス・セプテムファシアタ（Nomadacris septemfasciata）、シストセルカ・アメリカナ（Schistocerca americana）、シストセルカ・ペレグリナ（Schistocerca peregrine）、シストセルカ・グレガリア(Schistocerca gregaria)、ドシオスタウルス・マロカヌス(Dociostaurus maroccanus)、タキシネス・アシナモラス（Tachycines asynamorus）、オエダレウス・セネガレンシス(Oedaleus senegalensis)、ゾノゼルス・バリエガタス(Zonozerus variegatus)、ヒエログリフス・ダガネンシス(Hieroglyphus daganensis)、クラウサリア・アングリフェラ(Kraussaria angulifera)、カリプタムス・イタリクス(Calliptamus italicus)、コルトイセテス・テルミニフェラ(Chortoicetes terminifera)、およびロクスタナ・パルダリナ(Locustana pardalina)、
クモ形類動物などのクモ類(コナダニ)、例えば、ヒメダニ科(Argasidae)、マダニ科(Ixodidae)およびヒゼンダニ科(Sarcoptidae)、例えば、アンブリオマ・アメリカヌム（Amblyomma americanum）、アンブリオマ・バリエガタム（Amblyomma variegatum）、アンブリオマ・マクラタム(Ambryomma maculatum)、アルガス・ペルシカス（Argas persicus）、ボーフィルス・アヌラタス（Boophilus annulatus）、ボーフィルス・デコロラタス（Boophilus decoloratus）、ボーフィルス・ミクロプラス（Boophilus microplus）、デルマセントル・シルバラム（Dermacentor silvarum）、デルマセントル・アンデルソニ(Dermacentor andersoni)、デルマセントル・バリアビリス(Dermacentor variabilis)、ヒアローマ・トランカタム（Hyalomma truncatum）、イクソデス・リシナス（Ixodes ricinus）、イクソデス・ルビクンダス（Ixodes rubicundus）、イクソデス・スカプラリス(Ixodes scapularis)、イクソデス・ホロサイクルス(Ixodes holocyclus)、イクソデス・パシフィクス(Ixodes pacificus)、オルニトドラス・モウバタ（Ornithodorus moubata）、オルニトドラス・ヘルムシ(Ornithodorus hermsi)、オルニトドラス・ツリカタ(Ornithodorus turicata)、オルニトニサス・バコチ(Ornithonyssus bacoti)、オトビウス・メグニニ（Otobius megnini）、デルマヌサス・ガリナエ（Dermanussus gallinae）、プソロプテス・オビス（Psoroptes ovis）、リピセファラス・サンギネウス(Rhipicephalus sanguineus)、リピセファラス・アペンジクラタス(Rhipicephalus appendiculatus)、リピセファラス・エベルトシ(Rhipicephalus evertsi)、サルコプテス・スカビエ（Sarcoptes scabiei）、ならびにフシダニ科(Eriophyidae)、例えば、アクラス・シレクテンダリ(Aculus schlechtendali)、フィロコプトラタ・オレイボラ(Phyllocoptrata oleivora)、およびエリオフィエス・シェルドニ(Eriophyes sheldoni); タルソネミダエ種(Tarsonemidae spp.)、例えば、フィトネムス・パリダス(Phytonemus pallidus)およびポリファゴタルソネムス・ラタス(Polyphagotarsonemus latus); ヒメハダニ科(Tenuipalpidae spp.)、例えば、ブレビパルプス・フォエニシス(Brevipalpus phoenicis); ハダニ科(Tetranychidae spp.)、例えば、テトラニカス・シンナバリナス（Tetranychus cinnabarinus）、テトラニカス・カンザワイ（Tetranychus kanzawai）、テトラニカス・パシフィカス（Tetranychus pacificus）、テトラニカス・テラリウス（Tetranychus telarius）およびテトラニカス・ウルティカエ（Tetranychus urticae）、パノニクス・ウルミ(Panonychus ulmi)、パノニクス・シトリ(Panonychus citri)、およびオリゴニクス・プラテンシス(Oligonychus pratensis); 真正クモ目(Araneida)、例えば、ラトロデクタス・マクタンス(Latrodectus mactans)、ロクソセレス・レクルサ(Loxosceles reclusa)、
ノミ(ノミ目(Siphonaptera))、例えば、クテノセファリデス・フェリス(Ctenocephalides felis)、クテノセファリデス・カニス(Ctenocephalides canis)、キセノプシラ・シェオピス(Xenopsylla cheopis)、プレックス・イリタンス(Pulex irritans)、ツンガ・ペネトランス(Tunga penetrans)、およびノソプシラス・ファシアタス(Nosopsyllus fasciatus)、
セイヨウシミ、マダラシミ(シミ目(Thysanura))、例えば、レピスマ・サッカリナ(Lepisma saccharina)およびテルモビア・ドメスティカ(Thermobia domestica)、
ムカデ(ムカデ綱(Chilopoda))、例えば、スクチゲラ・コレオプトラタ(Scutigera coleoptrata)、
ヤスデ(ヤスデ網((Diplopoda))、例えば、ナルセウス種Narceus spp.、
ハサミムシ(革翅目(Dermaptera))、例えば、フォルフィクラ・アウリクラリア(forficula auricularia)、
シラミ(フチラプテラ(Phthiraptera))、例えば、ペディクラス・ヒューマヌス(Pediculus humanus capitis)、ペディクラス・ヒューマヌス・コルポリス(Pediculus humanus corporis)、プチルス・プビス(Pthirus pubis)、ヘマトピヌス・ユーリステルヌス(Haematopinus eurysternus)、ヘマトピヌス・スイス(Haematopinus suis)、リノグナタス・ビツリ(Linognathus vituli)、オビコラ・ボビス(ovicola bovis)、メノポン・ガリナエ(Menopon gallinae)、メナカンタス・ストラミネウス(Menacanthus stramineus)およびソレノポテス・カピラタス(Solenopotes capillatus)、
からなる群より選択される1種以上の害虫と効率的に闘うことを意味する。
【００３４】
本発明に従えば、「害虫制御」または「害虫を制御すること」とは、一実施形態においては、プラスモジオフォロミセテス(Plasmodiophoromycetes)、ペロノスポロミセテス(Peronosporomycetes) (卵菌綱と同義)、ツボカビ綱(Chytridiomycetes)、接合菌綱(Zygomycetes)、子嚢菌(Ascomycetes)、担子菌(Basidiomycetes)および不完全菌類(Deuteromycetes) (Fungi imperfectiと同義)からなる群より選択される害虫と効率的に闘うことを意味する。
【００３５】
本発明に従えば、「害虫制御」または「害虫を制御すること」とは、一実施形態においては、
観葉植物、野菜(例えば、アルブゴ・カンジダ(A. candida))およびヒマワリ(例えば、アルブゴ・トラゴポゴニス(A. tragopogonis))に関するアルブゴ種(Albugo spp.)(白さび病);野菜、アブラナ(アルテルナリア・ブラシコラ(A. brassicola)もしくはブラシカ(brassicae))、サトウダイコン(アルテルナリア・テヌイス(A. tenuis))、果物、イネ、大豆、ジャガイモ(例えば、アルテルナリア・ソラニ(A. solani)もしくはアルテルナリア・アルテルナタ(A. alternata))、トマト(例えば、アルテルナリア・ソラニ(A. solani)もしくはアルテルナリア・アルテルナタ(A. alternata))および小麦に関するアルテルナリア種 (Alternaria spp.)(アルテルナリア斑点病);サトウダイコンおよび野菜に関するアファノミセス種(Aphanomyces spp.); 穀類および野菜に関するアスコシタ種(Ascochyta spp.)、例えば、小麦に関するアスコシタ・トリチシ(A. tritici) (炭疽病)および大麦に関するアスコシタ・ホルデイ(A. hordei);トウモロコシ(例えば、ドレクスレラ・マイジス(D. maydis))、穀類(例えば、ビポラリス・ソロキニアナ(B. sorokiniana): 斑点病)、イネ(例えば、ビポラリス・オリザエ(B. oryzae))および芝に関するビポラリス(Bipolaris)種およびドレクスレラ(Drechslera)種 (テレオモルフ: コクリオボラス種(Cochliobolus spp.))；穀類(例えば、小麦もしくは大麦)に関するブルメリア(Blumeria)(以前はエリシフェ(Erysiphe))・グラミニス(graminis)(うどん粉病); 果物およびベリー(例えば、イチゴ)、野菜(例えば、レタス、ニンジン、セロリおよびキャベツ)、アブラナ、花、蔓、森林植物および小麦に関するボトリティス・シネレア(Botrytis cinerea)(テレオモルフ：ボトリオティニア・フケリアナ(Botryotinia fuckeliana): 灰色カビ病); レタスに関するブレミア・ラクツカエ(Bremia lactucae) (べと病);広葉樹および常緑樹に関するセラトシスティス(Ceratocystis)(オフィオストマ(Ophiostoma))と同義)種(腐敗もしくは立ち枯れ病)、例えば、ニレに関するセラトシスティス・ウルミ(C. ulmi)(オランダニレ病)；トウモロコシ、イネ、サトウダイコン(例えば、セルコスポラ・ベチコラ(C. beticola))、サトウキビ、野菜、コーヒー、大豆(例えば、セルコスポラ・ソジナ(C. sojina)もしくはセルコスポラ・キクチ(C. kikuchii))ならびにイネに関するセルコスポラ種 (Cercospora spp.)(セルコスポラ斑点病); トマト(例えば、クラドスポリウム・フルバム(C. fulvum): 腐葉土)に関するクラドスポリウム種(Cladosporium spp)および穀類、例えば、小麦に関するクラドスポリウム・ヘルバルム(C. herbarum) (黒耳); 穀類に関するクラビセプス・パープレア(Claviceps purpurea) (麦角); トウモロコシ(コクリオボラス・カルボナム(C. carbonum))、穀類(例えば、コクリオボラス・サチブス(C. sativus)、アナモルフ: B. sorokiniana)およびイネ(例えば、コクリオボラス・ミヤベアヌス(C. miyabeanus)、アナモルフ: H. oryzae)に関するコクリオボラス(Cochliobolus) (アナモルフ: ビポラリス(Bipolaris)のヘルミントスポリウム(Helminthosporium))種(斑点病); 綿(例えば、コレトトリカム・ゴシピ(C. gossypii))、トウモロコシ(例えば、コレトトリカム・グラミニコラ(C. graminicola))、ソフトフルーツ、ジャガイモ(例えば、コレトトリカム・ココデス(C. coccodes): 黒点)、豆(例えば、コレトトリカム・リンデムチアヌム(C. lindemuthianum))および大豆(例えば、コレトトリカム・トルンカツム(C. truncatum)もしくはコレトトリカム・グレオスポリオイデス(C. gloeosporioides))に関するコレト���リカム(Colletotrichum) (テレオモルフ: グロメレラ(Glomerella))種(炭疽病); イネに関するコルチシウム種(Corticium spp.)、例えば、コルチシウム・ササキ(C. sasakii) (紋枯病); 大豆および観葉植物に関するコリネスポラ・カシイコラ(Corynespora cassiicola )(斑点病); オリーブの木に関するシクロコニウム種(Cycloconium spp.)、例えば、シクロコニウム・オレアギナム(C. oleaginum); 果実の木、蔓(例えば、シリンドロカルポン・リリオデンドリ(C. liriodendri)、テレオモルフ: ネオネクトリア・リリオデンドリ(Neonectria liriodendri): 黒足病)および観葉植物に関するシリンドロカルポン種(Cylindrocarpon spp.)(例えば、果実の木枯れ病もしくは若蔓減少、テレオモルフ：ネクトリア(Nectria)もしくはネオネクトリア種(Neonectria spp.))；大豆に関するデマトフォラ(Dematophora) (テレオモルフ: ロセリニア(Rosellinia))・ネカトリックス(necatrix) (根および軸枯れ病); 大豆に関するディアポルテ種(Diaporthe spp.)、例えば、ディアポルテ・ファセオロラム(D. phaseolorum)(立ち枯れ病); トウモロコシ、大麦(例えば、ドレクスレラ・テレス(D. teres)、網斑病)および小麦(例えば、ドレクスレラ・トリチシ-レペンチス(D. tritici-repentis):黄褐色斑)などの穀類、イネならびに芝に関するドレクスレラ種(Drechslera (Helminthosporiumと同義、テレオモルフ: Pyrenophora) spp.); フォルミチポリア(Formitiporia) (フェリヌス(Phellinus)と同義)・パンクタタ(punctata)、フォルミチポリア・メジテラネア(F. mediterranea)、ファエモニエラ・クラミドスポラ(Phaeomoniella chlamydospora) (以前はファエオアクレモニウム・クラミドスポラム(Phaeoacremonium chlamydosporum)、ファエオアクレモニウム・アレフィルム(Phaeoacremonium aleophilum)および／もしくはボトリオスフェリア・オブツサ(Botryosphaeria obtusa)により引き起こされる、蔓に関するエスカ(Esca) (枝枯れ病、溢血); ナシ果実(エルシノエ・ピリ(E. pyri))、ソフトフルーツ(エルシノエ・ベネタ(E. veneta): 炭疽病)および蔓(エルシノエ・アンペリナ(E. ampelina): 炭疽病)に関するエルシノエ種(Elsinoe spp.); イネに関するエンチロマ・オリザエ(Entyloma oryzae) (黒穂病); 小麦に関するエピコッカム種(Epicoccum spp.) (パンかび); サトウダイコン(エリシフェ・ベタエ(E. betae))、ウリ(例えば、エリシフェ・シクロラセアラム(E. cichoracearum))、キャベツ、アブラナ(例えば、エリシフェ・クルシフェラルム(E. cruciferarum)などの野菜(例えば、エリシフェ・ピシ(E. pisi))に関するエリシフェ種(Erysiphe spp.)(うどん粉病); 果実の木、蔓および観葉植物に関するエウチパ・ラタ(Eutypa lata) (エウチパ・カンケル(Eutypa canker)もしくは立ち枯れ病、アナモルフ：シトスポリナ・ラタ(Cytosporina lata)、リベルテラ・ブレファリス(Libertella blepharis)と同義); トウモロコシ(例えば、エクセロヒルム・ツルシカム(E. turcicum))に関するエクセロヒルム種(Exserohilum spp.)(ヘルミントスポリウム(Helminthosporium)と同義)種; 穀類(例えば、小麦もしくは大麦)に関するフサリウム・グラミネアルム(F. graminearum)もしくはフサリウム・カルモラム(F. culmorum) (根腐れ、黒星病もしくは赤カビ病)、トマトに関するフサリウム・オキシスポラム(F. oxysporum)、大豆に関するフサリウム・ソラニ(F. solani)およびトウモロコシに関するフサリウム・ベルチシリオイデス(F. verticillioides)などの様々な植物に関するフサリウム種(Fusarium spp.)(テレオモルフ：ギベレラ(Gibberella))(立ち枯れ病、根腐れ病もしくは軸腐れ病); ���類(例えば、小麦もしくは大麦)およびトウモロコシに関するガエマノミセス・グラミニス(Gaeumannomyces graminis)(立ち枯れ病); 穀類(例えば、ギベレラ・ゼアエ(G. zeae))およびイネ(例えば、ギベレラ・フジクロイ(G. fujikuroi: Bakanae病)に関するギベレラ種(Gibberella spp.); 蔓、ナシ果実および他の植物に関するグロメレラ・シングラタ(Glomerella cingulata)ならびに綿に関するグロメレラ・ゴシピ(G. gossypii); イネに関する穀類染色複合体; 蔓に関するグイグナルディア・ビドウェリ(Guignardia bidwellii) (黒斑病); バラ科植物およびジュニパーに関するギムノスポランギウム種(Gymnosporangium spp.)、例えば、ナシに関するギムノスポランギウム・サビナエ(G. sabinae) (さび); トウモロコシ、穀類およびイネに関するヘルミントスポリウム種(Helminthosporium spp.) (ドレクスレラ(Drechslera)と同義、テレオモルフ: コクリオボラス(Cochliobolus)); ヘミレイア種(Hemileia spp.)、例えば、コーヒーに関するヘミレイア・バスタトリックス(H. vastatrix) (コーヒー葉さび); 蔓に関するイサリオプシス・クラビスポラ(Isariopsis clavispora) (クラドスポリウム・ビチス(Cladosporium vitis)と同義); 大豆および綿に関するマクロフォミナ・ファセオリナ(Macrophomina phaseolina) (ファセオリ(phaseoli)と同義) (根腐れ病および軸腐れ病); 穀類(例えば、小麦もしくは大麦)に関するミクロドチウム(Microdochium)(フサリウム(Fusarium)と同義)・ニバレ(nivale) (桃雪かび); 大豆に関するミクロスフェラ・ジフサ(Microsphaera diffusa) (うどん粉病); 核果類および他のバラ科植物に関するモニリニア種(Monilinia spp.)、例えば、モニリニア・ラクサ(M. laxa)、モニリニア・フルチコラ(M. fructicola)およびモニリニア・フルクチゲナ(M. fructigena)(花枯れ病および枝枯れ病、褐色腐敗病); 穀類、バナナ、ソフトフルーツおよび挽いたナッツに関するミコスフェレラ種(Mycosphaerella spp.)、例えば、小麦に関するミコスフェレラ・グラミニコラ(M. graminicola) (アナモルフ：セプトリア・トリチシ(Septoria tritici)、セプトリア・ブロッチ(Septoria blotch))もしくはバナナに関するミコスフェレラ・フジエンシス(M. fijiensis) (黒Sigatoka病); キャベツ、例えば、ペロノスポラ・ブラシカ(P. brassicae))、アブラナ(例えば、ペロノスポラ・パラシチカ(P. parasitica))、タマネギ(例えば、ペロノスポラ・デストルクトル(P. destructor))、タバコ(ペロノスポラ・タバシナ(P. tabacina))および大豆(例えば、ペロノスポラ・マンシュリカ(P. manshurica))に関するペロノスポラ種(Peronospora spp.) (べと病); 大豆に関するファコスポラ・パクリジ(Phakopsora pachyrhizi)およびファコスポラ・メイボミアエ(P. meibomiae) (大豆さび); 蔓(例えば、フィアロフォラ・トラケイフィラ(P. tracheiphila)およびフィアロフォラ・テトラスポラ(P. tetraspora))ならびに大豆(例えば、フィアロフォラ・グレガタ(P. gregata): 軸腐れ病)に関するフィアロフォラ種(Phialophora spp.); アブラナおよびキャベツに関するフォマ・リンガム(Phoma lingam)(根腐れ病および軸腐れ病)ならびにサトウダイコンに関するフォマ・ベタエ(P. betae) (根腐れ病、斑点病および立ち枯れ病); ヒマワリ、蔓(例えば、フォモプシス・ビチコラ(P. viticola): カンおよび斑点病)および大豆(例えば、軸腐れ病：フォモプシス・ファセオリ(P. phaseoli)、テレオモルフ：ディアスポルテ・ファセオロラム(Diaporthe phaseolorum))に関するフォモプシス種(Phomopsis spp.); トウモロコシに関するフィソデルマ・マ��ディス(Physoderma maydis) (褐斑病); パプリカおよびウリ科植物(例えば、フィトフトラ・カプシチ(P. capsici))、大豆(例えば、フィトフトラ・メガスペルマ(P. megasperma)、フィトフトラ・ソジャエ(P. sojae)と同義)、ジャガイモおよびトマト(例えば、フィトフトラ・インフェスタンス(P. infestans): 葉枯れ病)ならびに広葉樹木(例えば、フィトフトラ・ラモラム(P. ramorum): 突然のオークの死)などの様々な植物に関するフィトフトラ種(Phytophthora spp.) (立ち枯れ病、根腐れ病、葉枯れ病、果実腐敗および軸腐れ病); キャベツ、アブラナ、大根および他の植物に関するプラスモジオフォラ・ブラシカ(Plasmodiophora brassicae) (根こぶ病); プラスモパラ種(Plasmopara spp.)、例えば、蔓に関するプラスモパラ・ビチコラ(P. viticola) (ブドウ蔓のべと病)およびヒマワリに関するプラスモパラ・ハルステジ(P. halstedii); バラ科植物、ホップ、仁果類およびソフトフルーツに関するポドスフェラ種(Podosphaera spp.) (うどん粉病)、例えば、リンゴに関するポドスフェラ・ロイコトリカ(P. leucotricha); 
例えば、大麦および小麦などの穀類(ポリミキサ・グラミニス(P. graminis))ならびにサトウダイコン(ポリミキサ・ベタエ (P. betae))に関するポリミキサ種(Polymyxa spp.)ならびにそれによって伝播されるウイルス病; 穀類、例えば、小麦および大麦に関するシュードセルコスポレラ・ヘルポトリコイデス(Pseudocercosporella herpotrichoides) (眼紋病、テレオモルフ: タペシア・ヤルンダエ(Tapesia yallundae));例えば、ウリ科植物に関するシュードペロノスポラ・クベンシス(P. cubensis)もしくはホップに関するシュードペロノスポラ・フミリ(P. humili)などの、様々な植物に関するシュードペロノスポラ(Pseudoperonospora) (べと病); 蔓に関するシュードペジクラ・トラケイフィラ(Pseudopezicula tracheiphila) (赤火病もしくはロットブレナー、アナモルフ: フィアロフォラ(Phialophora)); 例えば、小麦、大麦もしくはライ麦などの穀類、ならびにアスパラガス(例えば、プシニア・アスパラギ(P. asparagi))に関するプシニア・トリチシナ(P. triticina) (茶さび病もしくは葉さび病)、プシニア・ストリフォルミス(P. striiformis) (縞さび病もしくは黄さび病)、プシニア・ホルデイ(P. hordei) (ドワーフさび病)、プシニア・グラミニス(P. graminis) (軸さび病もしくは黒さび病)、またはプシニア・レコンジタ(P. recondita) (茶さび病もしくは葉さび病)などの、様々な植物に関するプシニア種(Puccinia spp.)(さび病); 小麦に関するピレノフォラ(Pyrenophora) (アナモルフ: ドレクスレラ(Drechslera))・トリチシ-レペンチス(tritici-repentis) (褐斑病)もしくは大麦に関するピレノフォラ・テレス(P. teres)(網斑病); ピリクラリア種(Pyricularia spp.)、例えば、イネに関するピリクラリア・オリザエ(P. oryzae) (テレオモルフ: マグナポルテ・グリセア(Magnaporthe grisea)、イモチ病)ならびに芝および穀類に関するピリクラリア・グリセア(P. grisea); 芝、イネ、トウモロコシ、小麦、綿、アブラナ、ヒマワリ、大豆、サトウダイコン、野菜および他の様々な植物に関するピチウム種(Pythium spp.)(立ち枯れ病)(例えば、ピチウム・ウルチマム(P. ultimum)もしくはピチウム・アファニデルマタム(P. aphanidermatum)); ラムラリア種(Ramularia spp.)、例えば、大麦に関するラムラリア・コロシグニ(R. collo-cygni) (ラムラリア斑点病、生理的斑点病)およびサトウダイコンに関するラムラリア・ベチコラ(R. beticola); 綿、イネ、ジャガイモ、芝、トウモロコシ、アブラナ、ジャガイモ、サトウダイコン、野菜および他の様々な植物に関するリゾクトニア種(Rhizoctonia spp.)、例えば、大豆に関するリゾクトニア・ソラニ(R. solani) (根腐れ病および軸腐れ病)、イネに関するリゾクトニア・ソラニ(R. solani) (紋枯病)または小麦もしくは大麦に関するリゾクトニア・セレアリス(R. cerealis) (リゾクトニアスプリングブライト); イチゴ、ニンジン、キャベツ、蔓およびトマトに関するリゾプス・ストロニフェル(Rhizopus stolonifer) (パンかび、軟腐病); 大麦、ライ麦およびトリチカレに関するリンコスポリウム・セカリス(Rhynchosporium secalis) (雲形病); イネに関するサロクラジウム・オリザエ(Sarocladium oryzae)およびサロクラジウム・アッテヌアタム(S. attenuatum) (鞘腐れ病); 野菜および畑作物、例えば、アブラナ、ヒマワリ(例えば、スクレロチニア・スクレロチオラム(S. sclerotiorum))および大豆(例えば、スクレロチニア・ロルフシ(S. rolfsii)もしくはスクレロチニア・スクレロチオラム(S. sclerotiorum))に関するス���レロチニア種(Sclerotinia spp.)(軸腐れ病もしくは白かび病); 様々な植物に関するセプトリア種(Septoria spp.)、例えば、大豆に関するセプトリア・グリシネス(S. glycines) (褐斑病)、小麦に関するセプトリア・トリチシ(S. tritici) (セプトリア斑点病)および穀類に関するセプトリア(S. (スタゴノスポラ(Stagonospora)と同義)・ノドラム(nodorum) (スタゴノスポラ斑点病); 蔓に関するウンシヌラ(Uncinula) (エリシフェ(Erysiphe)と同義)・ネカトル(necator) (うどん粉病、アナモルフ: オイジウム・ツケリ(Oidium tuckeri)); トウモロコシ(例えば、セトスパリア・ツルシカム(S. turcicum)、ヘルミントスポリウム・ツルシカム(Helminthosporium turcicum)と同義)および芝に関するセトスパリア種(Setospaeria spp.)(黒葉枯れ病); トウモロコシ(例えば、スファセロテカ・レイリアナ(S. reiliana): 黒穂病)、ソルガムおよびサトウキビに関するスファセロテカ種(Sphacelotheca spp.)(黒穂病); ウリ科植物に関するスフェロテカ・フリギネア(Sphaerotheca fuliginea) (うどん粉病); ジャガイモに関するスポンゴスポラ・スブテラネア(Spongospora subterranea) (うどん粉病)およびそれにより伝播されるウイルス病; 穀類に関するスタゴノスポラ種(Stagonospora spp.)、例えば、小麦に関するスタゴノスポラ・ノドラム(S. nodorum) (スタゴノスポラ斑点病、テレオモルフ: レプトスフェリア(Leptosphaeria) [フェオスフェリア(Phaeosphaeria)と同義]・ノドラム(nodorum)); ジャガイモに関するシンチトリウム・エンドビオチカム(Synchytrium endobioticum)(ジャガイモ瘤病); タフリナ種(Taphrina spp.)、例えば、桃に関するタフリナ・デフォルマンス(T. deformans) (縮葉病)およびプラムに関するタフリナ・プルニ(T. pruni) (プラムポケット); タバコ、仁果類、野菜、大豆および綿に関するチエラビオプシス種(Thielaviopsis spp.) (黒根腐れ病)、例えば、チエラビオプシス・バシコラ(T. basicola) (チャララ・エレガンス(Chalara elegans)と同義); 穀類に関するチレチア種(Tilletia spp.) (一般的黒穂病もしくは黒穂病)、例えば、小麦に関するチレチア・トリチシ(T. tritici) (チレチア・カリエス(T. caries)と同義、小麦黒穂病)およびチレチア・コントロベルサ(T. controversa) (ドワーフ黒穂病); 大麦もしくは小麦に関するチフラ・インカルナタ(Typhula incarnata) (灰雪かび病); ウロシスチス種(Urocystis spp.)、例えば、ライ麦に関するウロシスチス・オクルタ(U. occulta) (軸黒穂病); 豆(例えば、ウロミセス・アペンジクラタス(U. appendiculatus)、ウロミセス・ファセオリ(U. phaseoli)と同義)およびサトウダイコン(例えば、ウロミセス・ベタエ(U. betae))などの野菜に関するウロミセス種(Uromyces spp.)(さび病); 穀類(例えば、ウスチラゴ・ヌダ(U. nuda)およびウスチラゴ・アベナエ(U. avaenae))、トウモロコシ(例えば、ウスチラゴ・マイジス(U. maydis): トウモロコシ黒穂病)およびサトウキビに関するウスチラゴ種(Ustilago spp.)(裸黒穂病); リンゴ(例えば、ベンツリア・イネクアリス(V. inaequalis))およびナシに関するベンツリア種(Venturia spp.)(黒星病); ならびに果実および観葉植物、蔓、ソフトフルーツ、野菜および畑作物などの様々な植物に関するベルチシリウム種(Verticillium spp.)(立ち枯れ病)、例えば、イチゴ、アブラナ、ジャガイモおよびトマトに関するベルチシリウム・ダリアエ(V. dahliae)、
からなる群より選択される植物病を効率的に制御することを意味する。
【００３６】
さらなる有害な菌類は、オフィオストマ種(Ophiostoma spp.)、セラトシスチス種(Ceratocystis spp.)、アウレオバシジウム・プルランス(Aureobasidium pullulans)、スクレロフォマ種(Sclerophoma spp.)、シャエトミウム種(Chaetomium spp.)、フミコラ種(Humicola spp.)、ペトリエラ種(Petriella spp.)、トリクルス種(Trichurus spp.)などの子嚢菌(Ascomycete); コニオフォラ種(Coniophora spp.)、コリオラス種(Coriolus spp.)、グロエオフィルム種(Gloeophyllum spp.)、レンチナス種(Lentinus spp.)、プレウロタス種(Pleurotus spp.)、ポリア種(Poria spp.)、セルプラ種(Serpula spp.)およびチロミセス種(Tyromyces spp.)などの担子菌(Basidiomycetes)、アスペルギルス種(Aspergillus spp.)、クラドスポリウム種(Cladosporium spp.)、ペニシリウム種(Penicillium spp.)、トリコルマ種(Trichorma spp.)、アルテルナリア種(Alternaria spp.)、パエシロミセス種(Paecilomyces spp.)などの不完全菌類(Deuteromycetes)、ムコル種(Mucor spp.)などの接合菌網(Zygomycetes)からなる群より選択され、さらに、保存された産物の保護においては、以下の酵母菌類が注目に値する：カンジダ種(Candida spp.)およびサッカロミセス・セレビシエ(Saccharomyces cerevisiae)。
【００３７】
本発明に従えば、「農薬」とは、遊離形態もしくは農薬的に有用な塩形態の活性成分と、少なくとも1種の補助剤とを含む組成物を意味する。
【００３８】
一実施形態においては、本発明は、有害植物を制御するための組成物およびそれらの使用に関する。
【００３９】
本発明に従えば、用語「トランスジェニック植物」とは、トランスジェニック改変を有する植物を意味する。
【００４０】
「トランスジェニック改変を有する植物」とは、組換えDNA技術として一般的に知られる遺伝学の技術を用いてその遺伝子材料を変化させた植物を意味する。
【００４１】
この植物は、野生型植物と比較して少なくとも1つのトランスジェニック改変を有するが、合計2、3、4、5、6、7、8、9以上などのさらなるトランスジェニック改変を有してもよい。
【００４２】
用語「野生型」とは、上記改変を有さない植物を意味する。
【００４３】
用語「野生型」、「対照」または「参照」は、互換的に用いられ、本発明に従うプロセスに従って改変もしくは処理されていない、細胞または器官もしくは組織などの植物の一部、または植物であってよい。従って、野生型、対照もしくは参照として用いられる植物は、できるだけ多くの植物に対応し、任意の他の特性にあるが、可能な限り本発明の課題と同一である本発明のプロセスの結果にある。かくして、野生型、対照または参照を同一的に、または可能な限り同一なものとして処理することとは、試験した特性の品質に影響しない唯一の条件または特性が異なっていてもよいということである。
【００４４】
好ましくは、任意の比較を類似条件下で実行する。用語「類似条件」とは、例えば、培養もしくは増殖条件、アッセイ条件(バッファー組成物、温度、基質、病原株、濃度など)などの全ての条件を、比較しようとする実験間で同一に保持することを意味する。
【００４５】
「参照」、「対照」、または「野生型」は、好ましくは、本明細書に記載のプロセスに従って改変もしくは処理されていない被験体、例えば、器官、細胞、組織、特に、植物であり、可能な限り、好ましくは95％、より好ましくは98％、さらにより好ましくは99.00％、特に、99.10％、99.30％、99.70％、99.90％、99.99％、99.999％以上、本発明の特定事項と類似する任意の他の特性にある。
【００４６】
一実施形態においては、対応する野生型植物と比較して少なくとも1つのトランスジェニック改変を有する本発明に従って用いられるトランスジェニック植物は、表Ａに記載の群より選択される植物である：
【表Ａ】
2010524483.tif 000003
【００４７】
化合物の用語「活性」とは、細胞、器官または生物などの生物系における化合物の機能を指す。例えば、化合物の用語「活性」とは、化合物の酵素機能、調節機能もしくは結合パートナーとしてのその機能、輸送因子、調節因子、または担体などを指す。
【００４８】
用語「植物」は、本発明に従えば、植物細胞、器官、植物組織もしくはその一部、例えば、種子、根、塊茎、果実、葉、花、植物増殖材料などを含む。
【００４９】
本明細書で用いられる用語「植物増殖材料」は、植物の増殖に用いることができる、種子などの植物の全ての発生部分ならびに切断物および塊茎(例えば、ジャガイモ)などの生長性植物材料を含む。これは、種子、根、果実、塊茎、球根、根茎、新芽、芽および植物の他の部分を含む。発芽後もしくは土壌からの出現後に移植される苗および若い植物も含まれる。これらの植物増殖材料を、植付けもしくは移植の時点またはその前に植物保護化合物で予防的に処理してもよい。
【００５０】
本発明の目的のために、通例として、複数形は単数形を包含し、その逆も包含すると意図される。
【００５１】
特に指摘しない限り、用語「ポリヌクレオチド」、「核酸」および「核酸分子」は、本発明の文脈においては互換的に用いられる。特に指摘しない限り、用語「ペプチド」、「ポリペプチド」および「タンパク質」は、本発明の文脈においては互換的に用いられる。用語「配列」は、用語「配列」が用いられる文脈に応じて、ポリヌクレオチド、核酸、核酸分子、ペプチド、ポリペプチドおよびタンパク質に関するものであってよい。本明細書で用いられる用語「遺伝子」、「ポリヌクレオチド」、「核酸配列」、「ヌクレオチド配列」または「核酸分子」は、任意の長さのポリマー形態のヌクレオチド、リボヌクレオチドまたはデオキシリボヌクレオチドを指す。この用語は、前記分子の一次構造のみを指す。
【００５２】
かくして、本明細書で用いられる用語「遺伝子」、「ポリヌクレオチド」、「核酸配列」、「ヌクレオチド配列」または「核酸分子」は、二本鎖および一本鎖DNAおよび／またはRNAを含む。それらはまた、公知の型の改変、例えば、メチル化、「キャップ」、類似体による1個以上の天然ヌクレオチドの置換を含む。好ましくは、DNAまたはRNA配列は、本明細書で定義されるポリペプチドをコードするコード配列を含む。
【００５３】
「コード配列」は、RNA、例えば、miRNA、ta-siRNA、同時抑制分子、RNAi、リボザイムなどの調節的RNA、または好適な調節配列の制御下に置いた場合、ポリペプチドに翻訳されるmRNAに転写されるヌクレオチド配列である。コード配列の境界を、5'末端の翻訳開始コドンおよび3'末端の翻訳停止コドンにより決定する。コード配列は、限定されるものではないが、mRNA、cDNA調製物の制限消化、組換えヌクレオチド配列またはゲノムDNAを含んでもよいが、同様に特定の環境下ではイントロンが存在してもよい。
【００５４】
本発明の文脈において用いられる場合、核酸分子は、コード遺伝子領域の3'および5'末端に位置する非翻訳領域、例えば、コード領域の5'末端の上流の配列の少なくとも500、好ましくは200、特に好ましくは100ヌクレオチドおよびコード遺伝子領域の3'末端の下流の配列の少なくとも100、好ましくは50、特に好ましくは20ヌクレオチドをも包含してもよい。アンチセンス、RNAi、snRNA、dsRNA、siRNA、miRNA、ta-siRNA、同時抑制、リボザイムなどの技術を用いて、このコード領域ならびに5'および／または3'領域を有利に用いることができる。
【００５５】
しかしながら、クローニングおよび発現目的のためにはコード領域のみを選択することが有利であることが多い。
【００５６】
本発明の一実施形態においては、「トランスジェニック改変」とは、遺伝子のコード領域の発現産物であるポリペプチドの増加した、または生成された活性を意味する。
【００５７】
「ポリペプチド」とは、アミノ酸のポリマー(アミノ酸配列)を指し、特定の長さの該分子を指すわけではない。かくして、ペプチドおよびオリゴペプチドは、ポリペプチドの定義内に含まれる。この用語はまた、ポリペプチドの翻訳後修飾、例えば、グリコシル化、アセチル化、リン酸化などを指すか、またはそれを含む。定義内に含まれるのは、例えば、アミノ酸の1個以上の類似体を含有するポリペプチド(例えば、非天然アミノ酸などを含む)、置換された連結部を有するポリペプチド、ならびに天然および非天然の両方である当業界で公知の他の改変である。
【００５８】
表Ａ１に記載の植物および植物細胞は、WO2004018687、WO2004092398、WO2006032708に開示されており、参照により本明細書に組み入れられるものとする。
【００５９】
表Ａ２に記載の植物および植物細胞は、WO2004092349、WO2006032707に開示されており、参照により本明細書に組み入れられるものとする。
【００６０】
そのようなトランスジェニック植物を作製する方法は、当業者には広く知られており、例えば、上記刊行物に記載されており、参照により本明細書に組み入れられるものとする。
【００６１】
一実施形態においては、本発明のプロセスにおいて用いられる対応する野生型植物と比較して、少なくとも1つのトランスジェニック改変を有するトランスジェニック植物は、表Ｂ、第2列に記載の公報に開示された植物または植物細胞から作製された植物である。
【００６２】
表Ｂ、第2列に記載の公報は、参照により本明細書に組み入れられるものとする。
【００６３】
一実施形態においては、本発明のプロセスにおいて用いられる対応する野生型植物と比較して、少なくとも1つのトランスジェニック改変を有するトランスジェニック植物は、表Ｂ、第5列に記載の活性からなる群より選択される1個以上の増加した、または生成された活性を有する植物である。
【００６４】
一実施形態においては、本発明のプロセスにおいて用いられる対応する野生型植物と比較して、少なくとも1つのトランスジェニック改変を有するトランスジェニック植物は、配列番号1〜270またはその相同体に記載の活性からなる群より選択される1個以上の増加した、または生成された活性を有する植物である。
【００６５】
一実施形態においては、対応する野生型植物と比較して、少なくとも1個のトランスジェニック改変を有するトランスジェニック植物を作製する方法は、以下の工程：
a) 表Ｂ、第1列もしくは第3列に記載の核酸分子によりコードされるタンパク質または配列番号1〜270に記載のポリペプチドの発現の増加を付与するタンパク質を安定化する工程；
b) 表Ｂ、第1列もしくは第3列に記載の核酸分子によりコードされるタンパク質または配列番号1〜270に記載のポリペプチドの発現の増加を付与するmRNAを安定化する工程；
c) 表Ｂ、第1列もしくは第3列に記載の核酸分子によりコードされるタンパク質または配列番号1〜270に記載のポリペプチドの発現の増加を付与するタンパク質の比活性を増加させるか、または配列番号1〜270に記載のポリペプチドの阻害的調節を減少させる工程；
d) 表Ｂ、第1列もしくは第3列に記載の核酸分子によりコードされるタンパク質または配列番号1〜270に記載のポリペプチドの発現の増加を付与するタンパク質の発現を媒介する内因性または人工転写因子の発現を生成または増加させる工程；
e) 表Ｂ、第1列もしくは第3列に記載の核酸分子によりコードされるタンパク質または配列番号1〜270に記載のポリペプチドの発現の増加を付与するタンパク質の活性を刺激する工程；
f) 表Ｂ、第1列もしくは第3列に記載の核酸分子によりコードされるポリペプチドまたは配列番号1〜270に記載のポリペプチドの発現の増加を付与するタンパク質をコードするトランスジェニック遺伝子を発現させる工程；ならびに／または
g) 表Ｂ、第1列もしくは第3列に記載の核酸分子によりコードされるポリペプチドまたは配列番号1〜270に記載のポリペプチドの発現の増加を付与する遺伝子のコピー数を増加させる工程；ならびに／または
h) 正の発現エレメントを付加するか、または負の発現エレメントを除去することにより、配列番号1〜270に記載のポリペプチドもしくはその相同体をコードする内因性遺伝子の発現を増加させる工程であって、例えば、相同的組換えを用いて、正の調節エレメント、例えば、植物については35Sエンハンサーを導入するか、または調節領域に由来するリプレッサーエレメントを除去することができる、前記工程。さらなる遺伝子変換方法を用いて、リプレッサーエレメントを破壊するか、または正のエレメントの活性を増強することができる。正のエレメントを、T-DNAもしくはトランスポゾン突然変異誘発により植物中に無作為に導入し、正のエレメントが本発明の遺伝子の近くに組込まれたかどうかを同定することができ、それによってその発現が増強される；ならびに／または
i) 配列番号1〜270に記載のタンパク質をコードする遺伝子または該タンパク質自体の発現もしくは活性を増強するような様式で植物の成長条件を調節する工程；
j) 天然または突然変異誘発させた資源から、本発明のタンパク質の特に高い活性を有する生物を選択し、それらを標的生物、例えば、精鋭作物に育種する工程、
のうちの1個以上を含む。
【００６６】
一実施形態においては、本発明のプロセスにおいて用いられる対応する野生型植物と比較して、少なくとも1つのトランスジェニック改変を有するトランスジェニック植物は、
a) 配列番号1〜270のいずれかに記載のポリペプチドもしくは配列番号271〜273に記載の相同体をコードする核酸分子；
b) 表Ｂ、第1もしくは3列に記載の核酸分子；
c) 遺伝子コードの縮重の結果として、表Ｂ、第1もしくは3列および／または配列番号1〜270に記載のポリペプチド配列から誘導することができる核酸分子；
d) a)〜c)に記載の核酸分子を含むポリヌクレオチドの核酸分子配列と少なくとも30％の同一性を有する核酸分子；
e) a)〜c)の核酸分子によりコードされるポリペプチドのアミノ酸配列と少なくとも30％の同一性を有し、a)〜c)の核酸分子により示される活性を有するポリペプチドをコードする核酸分子；
f) ストリンジェントなハイブリダイゼーション条件下でa)〜c)の核酸分子とハイブリダイズする核酸分子；
g) a)〜e)の核酸分子の1つによりコードされるポリペプチドに対して作製されたモノクローナルもしくはポリクローナル抗体を援用して単離することができ、a)〜c)のポリヌクレオチドを含む核酸分子により示される活性を有するポリペプチドをコードする核酸分子；
h) 表Ｂ、第1もしくは3列および／または配列番号1〜270に記載の2個以上のポリペプチドから生じるコンセンサス配列もしくは1個以上のポリペプチドモチーフならびに／または配列番号274〜277に記載のコンセンサス配列を含むポリペプチドをコードする核酸分子；
h) 表Ｂ、第1もしくは3もしくは5列および／または配列番号1〜270に記載のタンパク質により示される活性を有するポリペプチドをコードする核酸分子；
i) その5'末端で、ヌクレオチドATAから開始しない、表Ｂ、第1もしくは3列および／または配列番号1〜270に記載のポリヌクレオチドのためのプライマーを用いてcDNAライブラリーまたはゲノムライブラリーを増幅することにより得られるポリヌクレオチドを含む核酸分子；
ならびに
j) a)〜e)で特性評価された核酸分子配列と相補的な核酸分子の少なくとも15 nt、好ましくは20 nt、30 nt、50 nt、100 nt、200 ntもしくは500 ntを有し、表B、第1もしくは3列および／または配列番号1〜270に記載のポリペプチドを含むタンパク質により示される活性を有するポリペプチドをコードする、a)もしくはb)の核酸分子の相補配列を含むプローブまたはその断片を用いて、ストリンジェントなハイブリダイゼーション条件下で好適な核酸ライブラリーをスクリーニングすることにより取得可能である核酸分子、
によりコードされるポリペプチドからなる群より選択される1個以上の増加した、または生成された活性を有する植物である。
【００６７】
一実施形態においては、本発明のプロセスにおいて用いられる対応する野生型植物と比較して、少なくとも1つのトランスジェニック改変を有するトランスジェニック植物は、対応する非形質転換野生型植物と比較して、収量の増加を付与する収量増加タンパク質、植物の健康および／または植物生産性からなる群より選択される1個以上の増加した、または生成された活性を有する植物である。
【００６８】
一実施形態においては、本発明のプロセスにおいて用いられる対応する野生型植物と比較して、少なくとも1つのトランスジェニック改変を有するトランスジェニック植物は、対応する非形質転換野生型植物と比較して、環境ストレスに対する寛容性および／または耐性の増加を付与するSRP(ストレス関連タンパク質)からなる群より選択される1個以上の増加した、または生成された活性を有する植物である。
【００６９】
一実施形態においては、本発明のプロセスにおいて用いられる対応する野生型植物と比較して、少なくとも1つのトランスジェニック改変を有するトランスジェニック植物は、対応する非形質転換野生型植物と比較して、干ばつ耐性の増加を付与するSRP(ストレス関連タンパク質)からなる群より選択される1個以上の増加した、または生成された活性を有する植物である。
【００７０】
一実施形態においては、本発明のプロセスにおいて用いられる対応する野生型植物と比較して、少なくとも1つのトランスジェニック改変を有するトランスジェニック植物は、表Ｂおよび／または配列番号1〜270に示される収量増加タンパク質からなる群より選択される1個以上の増加した、または生成された活性を有する植物である。
【００７１】
一実施形態においては、本発明のプロセスにおいて用いられる対応する野生型植物と比較して、少なくとも1つのトランスジェニック改変を有するトランスジェニック植物は、表Ｂおよび／または配列番号1〜270に示される収量増加タンパク質からなる群より選択される1個以上の増加した、または生成された活性を有する植物である。
【００７２】
本明細書で用いられる用語「環境ストレス」とは、任意の最適下増殖条件を指し、限定されるものではないが、塩分、干ばつ、温度、金属、化学物質、病原体および酸化ストレス、またはその組合せに関連する最適下条件が挙げられる。好ましい実施形態においては、環境ストレスは干ばつおよび低水分量である。ここで、干ばつストレスは、植物における水分量の欠乏、水分取込み能力の欠乏または植物への水分供給の減少をもたらす任意の環境ストレスを意味する。
【００７３】
本発明の一実施形態においては、用語「環境ストレスに対する寛容性および／または耐性の増加」とは、冷却、凍結、加熱、および塩による二次ストレスとして、放射線による三次ストレスとして、そして勿論、干ばつの間の一次ストレスとしてもたらされる、水ストレスに対する耐性の増加に関する。
【００７４】
本発明の好ましい実施形態においては、用語「環境ストレスに対する寛容性および／または耐性の増加」は、干ばつ耐性の増加に関する。
【００７５】
一実施形態においては、本発明のプロセスにおいて用いられる対応する野生型植物と比較して、少なくとも1つのトランスジェニック改変を有するトランスジェニック植物は、表Ｂ、第1列、第1、5、7、10、11、12、16、19、20、21、23、25、27、28、30、31、33、37、39、40、42、43、91、105、107、112、150、159、164、165、166、167、168、169、170、171、172、173、174、175、176、177、178、182、186、187、188、189、190、194、196、203、204、205、206、207、209、210、211、213行および／または配列番号1、2、3、4、5、6、7、8、9、10、11、12、13、14、15、16、17、18、19、20、21、22、23、24、25、26、27、28、29、30、31、32、46、53、266に記載の遺伝子の発現が増加した、もしくは生成された植物に対応する、表Ｂ、第3列、第1、5、7、10、11、12、16、19、20、21、23、25、27、28、30、31、33、37、39、40、42、43、91、105、107、112、150、159、164、165、166、167、168、169、170、171、172、173、174、175、176、177、178,182、186、187、188、189、190、194、196、203、204、205、206、207、209、210、211、213行に記載の配列番号、および／または配列番号1、2、3、4、5、6、7、8、9、10、11、12、13、14、15、16、17、18、19、20、21、22、23、24、25、26、27、28、29、30、31、32、46、53、266に記載のポリペプチドの活性が増加した、もしくは生成された植物に対応する、表Ｂ、第5列、第1、5、7、10、11、12、16、19、20、21、23、25、27、28、30、31、33、37、39、40、42、43、91、105、107、112、150、159、164、165、166、167、168、169、170、171、172、174、175、176、177、178、182、186、187、188、189、190、194、196、203、204、205、206、207、209、210、211、213行、および／または配列番号1、2、3、4、5、6、7、8、9、10、11、12、13、14、15、16、17、18、19、20、21、22、23、24、25、26、27、28、29、30、31、32、46、53、266に示される活性を有するポリペプチドの活性が増加した、もしくは生成された植物である。
【００７６】
一実施形態においては、本発明のプロセスにおいて用いられる対応する野生型植物と比較して、少なくとも1つのトランスジェニック改変を有するトランスジェニック植物は、好ましくは、遺伝子EST163tによりコードされる、配列番号1および表Ｂ、第23行に記載の転写因子、好ましくは、「AP2ドメイン含有脱水応答エレメント結合タンパク質1(AP2 DOMAIN CONTAINING DEHYDRATION RESPONSIVE ELEMENT BINDING PROTEIN 1)」のサブファミリーの活性を有するポリペプチドの活性が増加した、もしくは生成された植物である。
【００７７】
一実施形態においては、本発明は、植物の健康および植物生産性を増加させる方法であって、
a) 少なくとも1つのトランスジェニック改変を有する植物が成長するか、もしくは成長すると期待される部位、および／または種子および／またはトランスジェニック植物が成長する少なくとも1つのトランスジェニック改変を有する植物を、少なくとも1種の活性成分を含む有効量の化学組成物で処理すること、ならびに
b) 植物の発達を許容する条件下で、該種子および／または植物を培養し、成長させること、
を含み、植物の健康の増加および／または植物生産性の増加の検出が、下記工程：
i) 好ましくは、補給的栄養素および光を投与しながら、最適な、良好な水条件下、温室中でトランスジェニック苗および／または植物を成長させる工程、
ii) 画像化手順において表現型データを収集する工程、
iii) 生重量、乾燥重量および／または植物体積を決定するために植物を収穫し、画像化手順に由来するデータを標準化し、生理学的特徴と相関させる工程、
iv) 画像化系、好ましくは、走査分析装置を用いて、植物体積、節間長さ、緑色性、黄色性、葉角、葉の面積、葉数および／または植物の茎の長さを測定する工程、
v) 化学的に処理された植物のデータと、非処理植物のデータとを比較する工程、
を含む、前記方法に関する。
【００７８】
一実施形態においては、本発明のプロセスにおいて用いられる対応する野生型植物と比較して、少なくとも1つのトランスジェニック改変を有するトランスジェニック植物は、上記ポリペプチドの相同体および／または該ポリペプチドをコードする核酸分子の相同体からなる群より選択される1個以上の増加した、または生成された活性を有する植物である。
【００７９】
本発明に従うプロセスにとって有利であるこれらの相同体を、ストリンジェントなハイブリダイゼーション条件下で、ハイブリダイゼーションプローブとしての前記配列もしくはその一部および以下の標準的なハイブリダイゼーション技術を用いて、本明細書に開示された核酸分子に対するその相同性に基づいて単離することができる。この文脈においては、例えば、少なくとも15、20、25、30、35、40、50、60個以上のヌクレオチドの単離された核酸分子、好ましくは、上記核酸分子、特に、本発明のプロセスにおいて用いられるか、もしくは本発明において用いられるタンパク質をコードする核酸分子または本発明の核酸分子のヌクレオチド配列を包含するものと、ストリンジェントな条件下でハイブリダイズする少なくとも15、20または25ヌクレオチド長の単離された核酸分子を使用することができる。30、50、100、250個以上のヌクレオチドを有する核酸分子を用いることもできる。
【００８０】
用語「相同性」とは、それぞれの核酸分子もしくはコードされるタンパク質が機能的および／または構造的に等価であることを意味する。上記核酸分子と相同である核酸分子および該核酸分子の誘導体である核酸分子は、例えば、同じ生物学的機能を有する改変を示す、特に、同じか、または実質的に同じ生物学的機能を有するタンパク質をコードする前記核酸分子の変異体である。それらは、他の植物品種もしくは種に由来する配列などの天然の変異、または突然変異であってよい。これらの突然変異は、天然のものであるか、または突然変異誘発技術により得られるものであってよい。対立遺伝子変異は、天然の対立遺伝子変異体ならびに合成的に産生されるか、もしくは遺伝子操作された変異体であってよい。例えば、構造的等価物を、前記ポリペプチドの抗体への結合を試験すること、またはコンピューターに基づく予測により同定することができる。類似する免疫学的特性を有する構造的等価物は、例えば、類似するエピトープを含む。
【００８１】
「ハイブリダイズすること」とは、そのような核酸分子が、従来のハイブリダイゼーション条件、好ましくは、例えば、Sambrook (Molecular Cloning; A Laboratory Manual、第2版、Cold Spring Harbor Laboratory Press, Cold Spring Harbor, NY (1989))またはCurrent Protocols in Molecular Biology, John Wiley & Sons, N. Y. (1989), 6.3.1-6.3.6により記載されたものなどのストリンジェントな条件下でハイブリダイズすることを意味する。
【００８２】
相同体ポリペプチドは、配列番号1〜270に示されるアミノ酸配列と少なくとも約50％同一であるアミノ酸配列を含むポリペプチドである。好ましくは、前記核酸分子によりコードされるタンパク質は、配列番号1〜270に示される配列と少なくとも約60％同一であり、より好ましくは、配列番号1〜270に示される配列の1つと少なくとも約70％同一であり、さらにより好ましくは、配列番号1〜270に示される配列と少なくとも約80％、90％、95％相同であり、最も好ましくは、配列番号1〜270に示される配列と少なくとも約96％、97％、98％、または99％同一である。
【００８３】
2個のアミノ酸配列または2個の核酸分子の相同性(％)(＝同一性、本明細書では互換的に用いられる)を決定するためには、前記配列を、最適な比較のために他方の下に一方を書く(例えば、他のタンパク質もしくは他の核酸との最適なアラインメントを作製するために、タンパク質もしくは核酸の配列中にギャップを挿入してもよい)。
【００８４】
次いで、対応するアミノ酸位置もしくはヌクレオチド位置のアミノ酸残基もしくは核酸分子を比較する。一方の配列中の位置が、他方の配列中の対応する位置と同じアミノ酸残基もしくは同じ核酸分子により占有される場合、この分子はこの位置で相同である(すなわち、本発明の文脈において用いられるアミノ酸もしくは核酸の「相同性」は、アミノ酸もしくは核酸の「同一性」と一致する)。2個の配列間の相同性％は、該配列により共有される同一の位置の数の関数である(すなわち、相同性％＝同一の位置の数／位置の総数 x 100)。かくして、用語「相同性」および「同一性」は、同義であると考えるべきである。
【００８５】
2個以上のアミノ酸もしくは2個以上のヌクレオチド配列の相同性(＝同一性)％の決定のために、いくつかのコンピューターソフトウェアプログラムが開発されてきた。2個以上の配列の相同性を、例えば、現在はfasta 3(W. R. PearsonおよびD. J. Lipman (1988), Improved Tools for Biological Sequence Comparison.PNAS 85:2444-2448; W. R. Pearson (1990) Rapid and Sensitive Sequence Comparison with FASTP and FASTA, Methods in Enzymology 183:63-98; W. R. PearsonおよびD. J. Lipman (1988) Improved Tools for Biological Sequence Comparison.PNAS 85:2444-2448; W. R. Pearson (1990); Rapid and Sensitive Sequence Comparison with FASTP and FASTAMethods in Enzymology 183:63-98)バージョンで用いられている、fastaソフトウェアを用いて算出することができる。異なる配列の相同性の算出のための別の有用なプログラムは、Biomax pedant software (Biomax, Munich, Federal Republic of Germany)に含まれる、標準的なblastプログラムである。blastは常に対象と参照の完全な配列を含むわけではないため、これは、不幸なことに、最適ではない結果をもたらすことがある。にもかかわらず、このプログラムは非常に効率的であるため、多数の配列の比較に用いることができる。典型的には、配列のそのような比較のためには以下の設定が用いられる：
-p  プログラム名 [String]; -d  データベース [String]; デフォルト = nr; -i  クエリーファイル[File In]; デフォルト = stdin; -e  期待値 (E) [Real]; デフォルト = 10.0; -m  アラインメントビューオプション: 0 = pペアワイズ; 1 = 同一性を示すクエリー-アンカー; 2 = 同一性を示さないクエリー-アンカー; 3 = フラットクエリー-アンカー、同一性を示す; 4 = フラットクエリー-アンカー、同一性を示さない; 5 = フラットクエリー-アンカー、同一性を示さない、かつ平滑末端; 6 = フラットクエリー-アンカー、同一性を示さない、かつ平滑末端; 7 = XML Blast出力; 8 = 表形式; 9 コメントラインを含む表形式[整数]; デフォルト = 0; -o  BLASTリポート出力ファイル[File Out]  オプション; デフォルト = stdout; -F  フィルタークエリー配列(blastnを用いるDUST、他を用いるSEG) [String]; デフォルト = T; -G  ギャップを開くためのコスト(0はデフォルト行動を引き起こす) [整数]; デフォルト = 0; -E  ギャップを拡張するためのコスト(0はデフォルト行動を引き起こす) [整数]; デフォルト = 0; -X  ギャップ付加されたアラインメントに関する下落値(ビット) (0はデフォルト行動を引き起こす); blastn 30、megablast 20、tblastx 0、他の全部15 [整数]; デフォルト = 0; -I  デフラインGIを示す[T/F]; デフォルト = F; -q  ヌクレオチド不一致に関するペナルティ(blastnのみ) [整数]; デフォルト = -3; -r  ヌクレオチド一致に関する報酬(blastnのみ) [整数]; デフォルト = 1; -v  (V)に関する1行記述を示すデータベース配列の数 [整数];  デフォルト = 500;  -b  (B)に関するアラインメントを示すデータベース配列の数 [整数]; デフォルト = 250; -f  拡張ヒットに関する閾値、デフォルト 0の場合; blastp 11、blastn 0、blastx 12、tblastn 13; tblastx 13、megablast 0 [整数]; デフォルト = 0; -g  ギャップ付加アラインメントを実行(tblastxでは利用不可) [T/F]; デフォルト = T; -Q  使用するクエリー遺伝子コード[整数]; デフォルト = 1; -D  DB遺伝子コード(tblast[nx]についてのみ) [整数]; デフォルト = 1; -a  使用するプロセッサーの数[整数]; デフォルト = 1; -O  SeqAlignファイル[File Out]  オプション; -J  クエリーデフラインを信じる[T/F]; デフォルト = F; -M  マトリックス[String]; デフォルト = BLOSUM62; -W  ワードサイズ、デフォルト 0の場合 (blastn 11, megablast 28, 他の全部 3) [整数]; デフォルト = 0; -z  データベースの有効長さ(実際のサイズについては0を使用する) [Real]; デフォルト = 0; -K  保持する領域から得られる最良のヒットの数(デフォルトにより除去、使用する場合、100の値が推奨される) [整数]; デフォルト = 0; -P  複数ヒットについては0、単一ヒットについては1[整数]; デフォルト = 0; -Y  検索スペースの有効長さ(実際のサイズについては0を使用する) [Real]; デフォルト = 0; -S  データベースに対して検索するためのクエリー標準(blast[nx]、およびtblastxについて); 3は両方、1は上、2は下である[整数]; デフォルト = 3; -T  HTML出力を作製 [T/F]; デフォルト = F; -l  GIの一覧に対するデータベースの限定的検索 [String]  オプション; -U  FASTA配列のフィルタリングには小文字を使用する [T/F]  オプション; デフォルト = F; -y  ビットで示される非ギャップ付加拡張のためのX下落値(0.0はデフォルト行動を引き起こす); blastn 20, megablast 10, 他の全部 7 [Real]; デフォルト = 0.0; -Z  ビットで示される最終的なギャップ付加アラインメントに関するX下落値(0.0はデフォルト行動を引き起こす); blastn/megablast 50, tblastx 0, 他の全部 25 [整数]; デフォルト = 0; -R  PSI-TBLASTN チェックポイントファイル[File In]  オプション; -n  MegaBlast検索 [T/F]; デフォルト = F; -L  クエリー配列上の位置[String] オプション; -A  複数ヒットウィンドウサイズ、デフォルト 0の場合(blastn/megablast 0, 他の全部 40 [整数]; デフォルト = 0; -w  フレームシフトペナルティ(blastxに関するOOFアルゴリズム) [整数]; デフォルト = 0; -t  HSPsを連結するためにtblastnにおいて許容される最大のイントロンの長さ (0は連結不可) [整数]; デフォルト = 0。
【００８６】
NeedlemanおよびWunschまたはSmithおよびWatermanのアルゴリズムを用いることにより、高い品質の結果が達成される。従って、前記アルゴリズムに基づくプログラムが好ましい。有利には、配列の比較を、PileUpプログラム(J. Mol. Evolution., 25, 351-360, 1987, Higginsら、CABIOS, 5 1989: 151-153)または好ましくは、それぞれ、NeedlemanおよびWunsch[J. Mol. Biol. 48; 443-453 (1970)]ならびにSmithおよびWaterman [Adv. Appl. Math. 2; 482-489 (1981)]のアルゴリズムに基づくGapおよびBestFitプログラムを用いて行うことができる。両プログラムは、GCGソフトウェアパッケージ [Genetics Computer Group, 575 Science Drive, Madison, Wisconsin, USA 53711 (1991); Altschul ら(1997) Nucleic Acids Res. 25:3389 et seq.]の一部である。従って、好ましくは、配列相同性の割合を決定するための計算を、配列の全範囲に渡ってGapプログラムを用いて行う。核酸配列の比較のために以下の標準的な調整を用いた：ギャップ重量：50、長さ重量：3、平均一致：10.000、平均不一致：0.000。
【００８７】
好ましいトランスジェニック植物を、例えば、カエデ科(Aceraceae)、ウルシ科(Anacardiaceae)、セリ科(Apiaceae)、キク科(Asteraceae)、アブラナ科(Brassicaceae)、サボテン科(Cactaceae)、ウリ科(Cucurbitaceae)、トウダイグサ科(Euphorbiaceae)、マメ科(Fabaceae)、アオイ科(Malvaceae)、スイレン科(Nymphaeaceae)、ケシ科(Papaveraceae)、バラ科(Rosaceae)、ヤナギ科(Salicaceae)、ナス科(Solanaceae)、ヤシ科(Arecaceae)、パイナップル科(Bromeliaceae)、カヤツリグサ科(Cyperaceae)、アヤメ科(Iridaceae)、ユリ科(Liliaceae)、ラン科(Orchidaceae)、リンドウ科(Gentianaceae)、シソ科(Labiaceae)、モクレン科(Magnoliaceae)、キンポウゲ科(Ranunculaceae)、スイカズラ科(Carifolaceae)、アカネ科(Rubiaceae)、ゴマノハグサ科(Scrophulariaceae)、ナデシコ科(Caryophyllaceae)、ツツジ科(Ericaceae)、タデ科(Polygonaceae)、スミレ科(Violaceae)、イグサ科(Juncaceae)もしくはイネ科(Poaceae)および好ましくは、セリ科(Apiaceae)、キク科(Asteraceae)、アブラナ科(Brassicaceae)、ウリ科(Cucurbitaceae)、マメ科(Fabaceae)、ケシ科(Papaveraceae)、バラ科(Rosaceae)、ナス科(Solanaceae)、ユリ科(Liliaceae)もしくはイネ科(Poaceae)の群より選択される植物から選択する。好ましいものは、落花生、アブラナ、キャノーラ、綿、ヒマワリ、サトウキビ、サフラワー、オリーブ、ゴマ、ヘーゼルナッツ、アーモンド、アボカド、月桂樹、カボチャ、亜麻仁、大豆、ピスタチオ、ルリヂサ、トウモロコシ、小麦、ライ麦、オート麦、ソルガムおよびアワ、トリチカレ、コメ、大麦、キャッサバ、ジャガイモ、サトウダイコン、ナス、アルファルファ、および多年生草ならびに飼料植物、油ヤシ、野菜(アブラナ、根野菜、塊茎野菜、鞘野菜、果実野菜、タマネギ野菜、葉野菜および茎野菜)、そば、キクイモ、ソラマメ、ベッチ、レンティル、ドワーフ豆、ルピン、クローバー、ジャガイモ、トマト、レタス、タマネギおよびルーサンの属群から有利に選択される植物などの作物植物である。
【００８８】
一実施形態においては、トランスジェニック植物を、カエデ科(Aceraceae)、ウルシ科(Anacardiaceae)、セリ科(Apiaceae)、キク科(Asteraceae)、アブラナ科(Brassicaceae)、サボテン科(Cactaceae)、ウリ科(Cucurbitaceae)、トウダイグサ科(Euphorbiaceae)、マメ科(Fabaceae)、アオイ科(Malvaceae)、スイレン科(Nymphaeaceae)、ケシ科(Papaveraceae)、バラ科(Rosaceae)、ヤナギ科(Salicaceae)、ナス科(Solanaceae)、ヤシ科(Arecaceae)、パイナップル科(Bromeliaceae)、カヤツリグサ科(Cyperaceae)、アヤメ科(Iridaceae)、ユリ科(Liliaceae)、ラン科(Orchidaceae)、リンドウ科(Gentianaceae)、シソ科(Labiaceae)、モクレン科(Magnoliaceae)、キンポウゲ科(Ranunculaceae)、スイカズラ科(Carifolaceae)、アカネ科(Rubiaceae)、ゴマノハグサ科(Scrophulariaceae)、ナデシコ科(Caryophyllaceae)、ツツジ科(Ericaceae)、タデ科(Polygonaceae)、スミレ科(Violaceae)、イグサ科(Juncaceae)もしくはイネ科(Poaceae)および好ましくは、セリ科(Apiaceae)、キク科(Asteraceae)、アブラナ科(Brassicaceae)、ウリ科(Cucurbitaceae)、マメ科(Fabaceae)、ケシ科(Papaveraceae)、バラ科(Rosaceae)、ナス科(Solanaceae)、ユリ科(Liliaceae)もしくはイネ科(Poaceae)の群から選択される植物から選択する。好ましいのは、作物植物ならびに特に、上記の科および属などの宿主植物として本明細書で上記された植物であり、例えば、好ましくは、以下の種：アナカルジウム・オシデンタレ(Anacardium occidentale)、カレンデュラ・オフィシナリス(Calendula officinalis)、カルタムス・チンクトリウス(Carthamus tinctorius)、シクロリウム・インチバス(Cichorium intybus)、シナラ・スコリムス(Cynara scolymus)、ヘリアンタス・アヌス(Helianthus annus)、タゲテス・ルシダ(Tagetes lucida)、タゲテス・エレクタ(Tagetes erecta)、タゲテス・テヌイフォリア(Tagetes tenuifolia); ダウカス・カロタ(Daucus carota); コリラス・アベラナ(Corylus avellana)、コリラス・コラルナ(Corylus colurna)、ボラゴ・オフィシナリス(Borago officinalis); ブラシカ・ナプス(Brassica napus)、ブラシカ・ラパ種(Brassica rapa ssp.)、シナピス・アルベンシス(Sinapis arvensis)、ブラシカ・ジュンセア(Brassica juncea)、ブラシカ・ジュンセア・バル・ジュンセア(Brassica juncea var. juncea)、ブラシカ・ジュンセア・バル、クリスピフォリア(Brassica juncea var. crispifolia)、ブラシカ・ジュンセア・バル・フォリオサ(Brassica juncea var. foliosa)、ブラシカ・ニグラ(Brassica nigra)、ブラシカ・シナピオイデス(Brassica sinapioides)、メラノシナピス・コミュニス(Melanosinapis communis)、ブラシカ・オレラセア(Brassica oleracea)、アラビドプシス・タリアナ(Arabidopsis thaliana)、アナナ・コモサス(Anana comosus)、アナナス・アナナス(Ananas ananas)、ブロメリア・コモサ(Bromelia comosa)、カリカ・パパヤ(Carica papaya)、カナビス・サチベ(Cannabis sative)、イポモア・バタタス(Ipomoea batatus)、イポモア・パンデュラタ(Ipomoea pandurata)、コンボルバルス・バタタス(Convolvulus batatas)、コンボルバルス・チリアセウス(Convolvulus tiliaceus)、イポモア・ファスチギアタ(Ipomoea fastigiata)、イポモア・チラセア(Ipomoea tiliacea)、イポモア・トリロバ(Ipomoea triloba)、コンボルバルス・パンデュラタス(Convolvulus panduratus)、ベタ・バルガリス(Beta vulgaris)、バタ・バルガリス・バル・アルチシマ(Beta vulgaris var. altissima)、ベタ・バルガリス・バル・バルガリス(Beta vulgaris var. vulgaris)、ベタ・マリチマ(Beta maritima)、ベタ・バルガリス・バル・ペレニス(Beta vulgaris var. perennis)、ベタ・バルガリス・バル。コンジチバ(Beta vulgaris var. conditiva)、ベタ・バルガリス・バル・エスクレンタ(Beta vulgaris var. esculenta)、ククルビタ・マキシマ(Cucurbita maxima)、(Cucurbita mixta)、(Cucurbita pepo)、(Cucurbita moschata)、(Olea europaea)、(Manihot utilissima)、(Janipha manihot)、(Jatropha manihot)、(Manihot aipil)、(Manihot dulcis)、マニホット・マニホット(Manihot manihot)、マニホット・メラノバシス(Manihot melanobasis)、マニホット・エスクレンタ(Manihot esculenta)、リシヌス・コミュニス(Ricinus communis)、ピサム・サチバム(Pisum sativum)、ピサム・アルベンセ(Pisum arvense)、ピサム・ヒュミレ(Pisum humile)、メジカゴ・サチバ(Medicago sativa)、メジカゴ・ファルカタ(Medicago falcata)、メジカゴ・バリア(Medicago varia)、グリシン・マックス・ドリコス・ソヤ(Glycine max Dolichos soja)、グリシン・グラシリス(Glycine gracilis)、グリシン・ヒスピダ(Glycine hispida)、ファセオラス・マックス(Phaseolus max)、ソヤ・ヒスピダ(Soja hispida)、ソヤ・マックス(Soja max)、ココス・ヌシフェラ(Cocos nucifera)、ペラルゴニウム・グロスラリオイデス(Pelargonium grossularioides)、オレウム・ココアス(Oleum cocoas)、ラウラス・ノビリス(Laurus nobilis)、ペルセア・アメリカーナ(Persea americana)、アラキス・ヒポゲア(Arachis hypogaea)、リナム・ウシタチシマム(Linum usitatissimum)、リナム・ヒュミレ(Linum humile)、リナム・オーストリアカム(Linum austriacum)、リナム・ビエネ(Linum bienne)、リナム・アングスチフォリウム(Linum angustifolium)、リナム・カタルチカム(Linum catharticum)、リナム・フラバム(Linum flavum)、リナム・グランジフロラム(Linum grandiflorum)、アデノリナム・グランジフロラム(Adenolinum grandiflorum)、リナム・レウィシ(Linum lewisii)、リナム・ナルボネンセ(Linum narbonense)、リナム・ペレネ(Linum perenne)、リナム・ペレネ・バル・レウィシ(Linum perenne var. lewisii)、リナム・プラテンセ(Linum pratense)、リナム・トリギナム(Linum trigynum)、プニカ・グラナタム(Punica granatum)、ゴシピウム・ヒルサタム(Gossypium hirsutum)、ゴシピウム・アルボレウム(Gossypium arboreum)、ゴシピウム・バルバデンセ(Gossypium barbadense)、ゴシピウム・ヘルバセウム(Gossypium herbaceum)、ゴシピウム・タルベリ(Gossypium thurberi)、ムサ・ナナ(Musa nana)、ムサ・アクミナタ(Musa acuminata)、ムサ・パラジシアカ(Musa paradisiaca)、ムサ種(Musa spp.)、エラエイス・ギネンシス(Elaeis guineensis)、パパベル・オリエンタレ(Papaver orientale)、パパベル・ロエアス(Papaver rhoeas)、パパベル・デュビウム(Papaver dubium)、セサマム・インジカム(Sesamum indicum)、ピペル・アダンカム(Piper aduncum)、ピペル・アマラゴ(Piper amalago)、ピペル・アンガスチフォリウム(Piper angustifolium)、ピペル・アウリタム(Piper auritum)、ピペル・ベテル(Piper betel)、ピペル・クベバ(Piper cubeba)、ピペル・ロンガム(Piper longum)、ピペル・ニグラム(Piper nigrum)、ピペル・レトロフラクタム(Piper retrofractum)、アルタンテ・アダンカ(Artanthe adunca)、アルタンテ・エロンガタ(Artanthe elongata)、ペペロミア・エロンガタ(Peperomia elongata)、ピペル・エロンガタム(Piper elongatum)、ステフェンシア・エロンガタ(Steffensia elongata)、ホルデウム・バルガレ(Hordeum vulgare)、ホルデウム・ジュバタム(Hordeum jubatum)、ホルデウム・マリナム(Hordeum murinum)、ホルデウム・セカリナム(Hordeum secalinum)、ホルデウム・ジスチコン(Hordeum distichon)、ホルデウム・エギセラス(Hordeum aegiceras)、ホルデウム・ヘキサスチコン(Hordeum hexastichon)、ホルデウム・ヘキサスチカム(Hordeum hexastichum)、ホルデウム・イレグラレ(Hordeum irregulare)、ホルデウム・サチバム(Hordeum sativum)、ホルデウム・セカリナム(Hordeum secalinum)、アベナ・サチバ(Avena sativa)、アベナ・ファツア(Avena fatua)、アベナ・ビザンチナ(Avena byzantina)、アベナ・ファツア・バル・サチバ(Avena fatua var. sativa)、アベナ・ヒブリダ(Avena hybrida)、ソルガム・ビコロル(Sorghum bicolor)、ソルガム・ハレペンセ(Sorghum halepense)、ソルガム・サッカラタム(Sorghum saccharatum)、ソルガム・バルガレ(Sorghum vulgare)、アンドロポゴン・ドルモンジ(Andropogon drummondii)、ホルカス・ビコロル(Holcus bicolor)、ホルカス・ソルガム(Holcus sorghum)、ソルガム・エチオピカム(Sorghum aethiopicum)、ソルガム・アルンジナセウム(Sorghum arundinaceum)、ソルガム・カフロラム(Sorghum caffrorum)、ソルガム・セルナム(Sorghum cernuum)、ソルガム・ドシュナ(Sorghum dochna)、ソルガム・ドルモンジ(Sorghum drummondii)、ソルガム・デュラ(Sorghum durra)、ソルガム・ギネンセ(Sorghum guineense)、ソルガム・ランセオラタム(Sorghum lanceolatum)、ソルガム・ネルボサム(Sorghum nervosum)、ソルガム・サッカラタム(Sorghum saccharatum)、ソルガム・スブグラブレセンス(Sorghum subglabrescens)、ソルガム・ベルチシリフロラム(Sorghum verticilliflorum)、ソルガム・バルガレ(Sorghum vulgare)、ホルカス・ハレペンシス(Holcus halepensis)、ソルガム・ミリアセウム・ミレット(Sorghum miliaceum millet)、パニカム・ミリタセウム(Panicum militaceum)、ゼア・マイス(Zea mays)、トリチカム・エスチバム(Triticum aestivum)、トリチカム・デュラム(Triticum durum)、トリチカム・ツルギダム(Triticum turgidum)、トリチカム・ヒベルナム(Triticum hybernum)、トリチカム・マチャ(Triticum macha)、トリチカム・サチバム(Triticum sativum)またはトリチカム・バルガレ(Triticum vulgare)、コフィア種(Cofea spp.)、コフィア・アラビカ(Coffea arabica)、コフィア・カネフォラ(Coffea canephora)、コフィア・リベリカ(Coffea liberica)、カプシカム・アナム(Capsicum annuum)、カプシカム・アナム・バル・グラブリウスクラム(Capsicum annuum var. glabriusculum)、カプシカム・フルテセンス(Capsicum frutescens)、カプシカム・アナム(Capsicum annuum)、ニコチアナ・タバカム(Nicotiana tabacum)、ソラナム・ツベロサム(Solanum tuberosum)、ソラナム・メロンゲナ(Solanum melongena)、リコペルシコン・エスクレンタム(Lycopersicon esculentum)、リコペルシコン・リコペルシカム(Lycopersicon lycopersicum)、リコペルシコン・ピリフォルメ(Lycopersicon pyriforme)、ソラナム・インテグリフォリウム(Solanum integrifolium)、ソラナム・リコペルシカム(Solanum lycopersicum)、テオブロマ・カカオ(Theobroma cacao)またはカメリア・シネシス(Camellia sinensis)である。
【００８９】
ウルシ科(Anacardiaceae)、例えば、属ピスタチア(Pistacia)、マンギフェラ(Mangifera)、アナカルジウム(Anacardium)、例えば、種ピスタチア・ベラ(Pistacia vera) [ピスタチオ、ピスタジエ(Pistazie)]、マンギフェル・インディカ(Mangifer indica) [マンゴ]またはアナカルジム・オシデンタレ(Anacardium occidentale) [カシュー]; キク科(Asteraceae)、例えば、属カレンデュラ(Calendula)、カルタムス(Carthamus)、センタウレア(Centaurea)、シコリウム(Cichorium)、シナラ(Cynara)、ヘリアンタス(Helianthus)、ラクツカ(Lactuca)、コカスタ(Locusta)、タゲテス(Tagetes)、バレリアナ(Valeriana)、例えば、種カレンデュラ・オフィシナリス(Calendula officinalis) [マリゴールド])、カタムス・チンクトリウス(Carthamus tinctorius) [サフラワー]、センタウレア・シアヌス(Centaurea cyanus) [コーンフラワー]、シクロリウム・インチバス(Cichorium intybus) [ブルーデイジー]、シナラ・スコリムス(Cynara scolymus)[チョウセンアザミ]、ヘリアンタス・アヌス(Helianthus annus)[ヒマワリ]、ラクツカ・サチバ(Lactuca sativa)、ラクツカ・クリスパ(Lactuca crispa)、ラクツカ・エスクレンタ(Lactuca esculenta)、ラクツカ・スカリオラ(Lactuca scariola)、ラクツカ種サチバ(L. ssp. sativa)、ラクツカ・スカリオラ(Lactuca scariola)、ラクツカ・バル・インテグラタ(L. var. integrata)、ラクツカ・スカリオラ(Lactuca scariola)、ラクツカ・バル・インテグリフォリア(L. var. integrifolia)、ラクツカ・サチバ亜種ロマナ(Lactuca sativa subsp. romana)、ロカスタ・コミュニス(Locusta communis)、バレリアナ・ロカスタ(Valeriana locusta) [レタス]、タガテス・ルシダ(Tagetes lucida)、タガテス・エレクタ(Tagetes erecta)またはタガテス・テヌイフォリア(Tagetes tenuifolia) [マリゴールド]; セリ科(Apiaceae)、例えば、属ダウカス(Daucus)、例えば、種ダウカス・カロタ (Daucus carota) [ニンジン]; カバノキ科(Betulaceae)、例えば、属コリラス(Corylus)、例えば、種コリラス・アベラナ(Corylus avellana)またはコリラス・コラルナ(Corylus colurna) [ヘーゼルナッツ]; ムラサキ科(Boraginaceae)、例えば、属ボラゴ(Borago)、例えば、種ボラゴ・オフィシナリス(Borago officinalis) [ルリヂサ]; アブラナ科(Brassicaceae)、例えば、属ブラシカ(Brassica)、メラノシナピス(Melanosinapis)、シナピス(Sinapis)、アラバドプシス(Arabadopsis)、例えば、種ブラシカ・ナプス(Brassica napus)、ブラシカ・ラパ種(Brassica rapa ssp.) [キャノーラ、アブラナ、カブラナ])、シナピス・アルベンシス(Sinapis arvensis)、ブラシカ・ジュンセア(Brassica juncea)、ブラシカ・ジュンセア・バル・ジュンセア(Brassica juncea var. juncea)、ブラシカ・ジュンセア・バル・クリスピフォリア(Brassica juncea var. crispifolia)、ブラシカ・ジュンセア・バル・フォリオサ(Brassica juncea var. foliosa)、ブラシカ・ニグラ(Brassica nigra)、ブラシカ・シナピオイデス(Brassica sinapioides)、メラノシナピス・コミュニス(Melanosinapis communis) [カラシ]、ブラシカ・オレラセア(Brassica oleracea)[飼料用ビート]もしくはアラビドプシス・タリアナ(Arabidopsis thaliana); パイナップル科(Bromeliaceae)、例えば、属アナナ(Anana)、ブロメリア(Bromelia)、例えば、種アナナ・コモサス(Anana comosus)、アナナス・アナナス(Ananas ananas)もしくはブロメリア・コモサ(Bromelia comosa) [パイナップル]; パパイヤ科(Caricaceae)、例えば、属カリカ(Carica)、例えば、種カリカ・パパヤ(Carica papaya) [パパイヤ]; アサ科(Cannabaceae)、例えば、属カナビス(Cannabis)、例えば、種カナビス・サチベ(Cannabis sative) [ヘンプ]、ヒルガオ科(Convolvulaceae)、例えば、属イポメア(Ipomea)、コンボルバラス(Convolvulus)、例えば、種イポメア・バタタス(Ipomoea batatus)、イポメア・パンデュラタ(Ipomoea pandurata)、コンボルバラス・バタタス(Convolvulus batatas)、コンボルバラス・チリアセウス(Convolvulus tiliaceus)、イポモア・ファスチギアタ(Ipomoea fastigiata)、イポモア・チリアセア(Ipomoea tiliacea)、イポモア・トリロバ(Ipomoea triloba)もしくはコンボルバラス・パンデュラタス(Convolvulus panduratus) [サツマイモ、マンオブザアース(Man of the Earth)、野生のイモ]；アカザ科(Chenopodiaceae)、例えば、属ベタ(Beta)、(すなわち、種ベタ・バルガリス(Beta vulgaris))、ベタ・バルガリス・バル・アルチシマ(Beta vulgaris var. altissima)、ベタ・バルガリス・バル・バルガリス(Beta vulgaris var. Vulgaris)、ベタ・マリチマ(Beta maritima)、ベタ・バルガリス・バル・ペレニス(Beta vulgaris var. perennis)、ベタ・バルガリス・バル・コンジチバ(Beta vulgaris var. conditiva)もしくはベタ・バルガリス・バル・エスクレンタ(Beta vulgaris var. esculenta) [サトウダイコン]; ウリ科(Cucurbitaceae)、例えば、属ククビタ(Cucubita)、例えば、種ククルビタ・マキシマ(Cucurbita maxima)、ククルビタ・ミキシタ(Cucurbita mixta)、ククルビタ・ペポ(Cucurbita pepo)もしくはククルビタ・モスカタ(Cucurbita moschata) [カボチャ]; グミ科(Elaeagnaceae)、例えば、属エラグナス(Elaeagnus)、例えば、種オレア・エウロペア(Olea europaea) [オリーブ]; ツツジ科(Ericaceae)、例えば、属カルミア(Kalmia)、例えば、種カルミア・ラチフォリア(Kalmia latifolia)、カルミア・アングスチフォリア(Kalmia angustifolia)、カルミア・ミクロフィラ(Kalmia microphylla)、カルミア・ポリフォリア(Kalmia polifolia)、カルミア・オシデンタリス(Kalmia occidentalis)、シトラス・カマロデンドロス(Cistus chamaerhodendros)もしくはカルミア・ルシダ(Kalmia lucida) [アメリカ月桂樹、広葉月桂樹、キャリコブッシュ、スプーンウッド、ナガバハナガサシャクナゲ、高山月桂樹、湿地月桂樹、西湿地月桂樹、低湿地月桂樹]; トウダイグサ科(Euphorbiaceae)、例えば、属マニホット(Manihot)、ジャニファ(Janipha)、ジャトロファ(Jatropha)、リシナス(Ricinus)、例えば、種マニホット・ウチリシマ(Manihot utilissima)、ジャニファ・マニホット(Janipha manihot)、ジャトロファ・マニホット(Jatropha manihot)、マニホット・アイピル(Manihot aipil)、マニホット・ダルシス(Manihot dulcis)、マニホット・マニホット(Manihot manihot)、マニホット・メラノバシス(Manihot melanobasis)、マニホット・エスクレンタ(Manihot esculenta) [マニホット、クズウコン、タピオカ、キャッサバ]もしくはリシナス・コミュニス(Ricinus communis) [トウゴマ、キャストルオイルブッシュ、キャストルオイル植物、ヒマ、ワンダーツリー]; マメ科(Fabaceae)、例えば、属ピサム(Pisum)、アルビジア(Albizia)、カトルミオン(Cathormion)、フェウイレア(Feuillea)、インガ(Inga)、ピテコロビウム(Pithecolobium)、アカシア(Acacia)、ミモサ(Mimosa)、メジカジョ(Medicajo)、グリシン(Glycine)、ドリコス(Dolichos)、ファセオラス(Phaseolus)、ソヤ(Soja)、例えば、種ピサム・サチバム(Pisum sativum)、ピサム・アルベンセ(Pisum arvense)、ピサム・ヒュミレ(Pisum humile) [エンドウ豆]、アルビジア・ベルテリアナ(Albizia berteriana)、アルビジア・ジュリブリシン(Albizia julibrissin)、アルビジア・レベック(Albizia lebbeck)、アカシア・ベルテリアナ(Acacia berteriana)、アカシア・リトラリス(Acacia littoralis)、アルビジア・ベルテリアナ(Albizia berteriana)、アルビジア・ベルテリアナ(Albizzia berteriana)、カトルミオン・ベルテリアナ(Cathormion berteriana)、フェウイレア・ベルテリアナ(Feuillea berteriana)、インガ・フラガンス(Inga fragrans)、ピテセロビウム・ベルテリアナム(Pithecellobium berterianum)、ピテセロビウム・フラグランス(Pithecellobium fragrans)、ピテコロビウム・ベルテリアナム(Pithecolobium berterianum)、シュードアルビジア・ベルテリアナ(Pseudalbizzia berteriana)、アカシア・ジュリブリシン(Acacia julibrissin)、アカシア・ネム(Acacia nemu)、アルビジア・ネム(Albizia nemu)、フェウイレア・ジュリブリシン(Feuilleea julibrissin)、ミモサ・ジュリブリシン(Mimosa julibrissin)、ミモサ・スペシオサ(Mimosa speciosa)、セリカンルダ・ジュリブリシン(Sericanrda julibrissin)、アカシア・レベック(Acacia lebbeck)、アカシア・マクロフィラ(Acacia macrophylla)、アルビジア・レベック(Albizia lebbek)、フェウイレア・レベック(Feuilleea lebbeck)、ミモサ・レベック(Mimosa lebbeck)、ミモサ・スペシオサ(Mimosa speciosa) [ログウッド類似種、ネムノキ、西インドクルミ]、メジカゴ・サチバ(Medicago sativa)、メジカゴ・ファルカタ(Medicago falcata)、メジカゴ・バリア(Medicago varia) [アルファルファ]、グリシン・マックス(Glycine max)、ドリコス・ソヤ(Dolichos soja)、グリシン・グラシリス(Glycine gracilis)、グリシン・ヒスピダ(Glycine hispida)、ファセオラス・マックス(Phaseolus max)、ソヤ・ヒスピダ(Soja hispida)もしくはソヤ・マックス(Soja max) [大豆]; フウロソウ科(Geraniaceae)、例えば、属ペラルゴニウム(Pelargonium)、ココス(Cocos)、オレウム(Oleum)、例えば、種ココス・ヌシフェラ(Cocos nucifera)、ペラルゴニウム・グロサラリオイデス(Pelargonium grossularioides)もしくはオレウム・ココイス(Oleum cocois) [ココナッツ]; イネ科(Gramineae)、例えば、属サッカラム(Saccharum)、例えば、種サッカラム・オフィシナラム(Saccharum officinarum); クルミ科(Juglandaceae)、例えば、属ジャグランス(Juglans)、ワリア(Wallia)、例えば、種ジャグランス・レギア(Juglans regia)、ジャグランス・アイランチフォリア(Juglans ailanthifolia)、ジャグランス・シエボルディアナ(Juglans sieboldiana)、ジャグランス・シネレア(Juglans cinerea)、ワリア・シネレア(Wallia cinerea)、ジャグランス・ビキシビ(Juglans bixbyi)、ジャグランス・カリフォルニカ(Juglans californica)、ジャグランス・ヒンドシ(Juglans hindsii)、ジャグランス・インテルメディア(Juglans intermedia)、ジャグランス・ジャマイセンシス(Juglans jamaicensis)、ジャグランス・メジャー(Juglans major)、ジャグランス・ミクロカルパ(Juglans microcarpa)、ジャグランス・ニグラ(Juglans nigra)もしくはワリア・ニグラ(Wallia nigra) [クルミ、黒クルミ、一般的なクルミ、ペルシアクルミ、白クルミ、バタークルミ、黒クルミ]; クスノキ科(Lauraceae)、例えば、属ペルセア(Persea)、ラウラス(Laurus)、例えば、種ラウラス・ノビリス(Laurus nobilis) [月桂樹]、ペルセア・アメリカーナ(Persea americana)、ペルセア・グラチシマ(Persea gratissima)もしくはペルセア・ペルセア(Persea persea) [アボカド]; マメ科(Leguminosae)、例えば、属アラキス(Arachis)、例えば、種アラキス・ヒポゲア(Arachis hypogaea) [ピーナッツ]; アマ科(Linaceae)、例えば、属リナム(Linum)、アデノリナム(Adenolinum)、例えば、種リナム・ウシタチシマム(Linum usitatissimum)、リナム・ヒュミレ(Linum humile)、リナム・オーストリアカム(Linum austriacum)、��ナム・ビエネ(Linum bienne)、リナム・アングスチフォリウム(Linum angustifolium)、リナム・カタルチカム(Linum catharticum)、リナム・フラバム(Linum flavum)、リナム・グランジフロラム(Linum grandiflorum)、アデノリナム・グランジフロラム(Adenolinum grandiflorum)、リナム・レウィシ(Linum lewisii)、リナム・ナルボネンセ(Linum narbonense)、リナム・ペレネ(Linum perenne)、リナム・ペレネ・バル・レウィシ(Linum perenne var. lewisii)、リナム・プラテンセ(Linum pratense)もしくはリナム・トリギナム(Linum trigynum) [亜麻、亜麻仁]; ザクロ科(Lythrarieae)、例えば、属プニカ(Punica)、例えば、種プニカ・グラナタム(Punica granatum) [ザクロ];
アオイ科(Malvaceae)、例えば、属ゴシピウム(Gossypium)、例えば、種ゴシピウム・ヒルサタム(Gossypium hirsutum)、ゴシピウム・アルボレウム(Gossypium arboreum)、ゴシピウム・バルバデンセ(Gossypium barbadense)、ゴシピウム・ヘルバセウム(Gossypium herbaceum)もしくはゴシピウム・タルベリ(Gossypium thurberi) [綿]; バショウ科(Musaceae)、例えば、属ムサ(Musa)、例えば、種ムサ・ナナ(Musa nana)、ムサ・アクミナタ(Musa acuminata)、ムサ・パラジシアカ(Musa paradisiaca)、ムサ種(Musa spp.) [バナナ]; アカバナ科(Onagraceae)、例えば、属カミソニア(Camissonia)、オエノテラ(Oenothera)、例えば、種オエノテラ・ビエニス(Oenothera biennis)もしくはカミソニア・ブレビペス(Camissonia brevipes) [サクラソウ、マツヨイグサ]; ヤシ科(Palmae)、例えば、属エラシス(Elacis)、例えば、種エラシス・ギネンシス(Elaeis guineensis)[油ヤシ]; ケシ科(Papaveraceae)、例えば、属パパベル(Papaver)、例えば、種パパベル・オリエンタレ(Papaver orientale)、パパベル・ロエアス(Papaver rhoeas)、パパベル・デュビウム(Papaver dubium)[ケシ、オリエンタルポピー、ヒナゲシ、フィールドポピー、シャーリーポピー、フィールドポピー、長頭ポピー、長鞘ポピー]; ゴマ科(Pedaliaceae)、例えば、属セサマム(Sesamum)、例えば、種セサマム・インジカム(Sesamum indicum) [ゴマ]; コショウ科(Piperaceae)、例えば、属ピペル(Piper)、アルタンテ(Artanthe)、ペペロミア(Peperomia)、ステフェンシア(Steffensia)、例えば、種ピペル・アダンカム(Piper aduncum)、ピペル・アマラゴ(Piper amalago)、ピペル・アングスチフォリウム(Piper angustifolium)、ピペル・オーリタム(Piper auritum)、ピペル・ベテル(Piper betel)、ピペル・クベバ(Piper cubeba)、ピペル・ロンガム(Piper longum)、ピペル・二グラム(Piper nigrum)、ピペル・レトロフラクタム(Piper retrofractum)、アルタンテ・アダンカ(Artanthe adunca)、アルタンテ・エロンガタ(Artanthe elongata)、ペペロミア・エロンガタ(Peperomia elongata)、ピペル・エロンガタム(Piper elongatum)、ステフェンシア・エロンガタ(Steffensia elongata [カイエンペッパー、ワイルドペッパー]; イネ科(Poaceae)、例えば、属ホルデウム(Hordeum)、セカレ(Secale)、アベナ(Avena)、ソルガム(Sorghum)、アンドロポゴン(Andropogon)、ホルカス(Holcus)、パニカム(Panicum)、オリザ(Oryza)、ゼア(Zea)、トリチカム(Triticum)、例えば、種ホルデウム・バルガレ(Hordeum vulgare)、ホルデウム・ジュバタム(Hordeum jubatum)、ホルデウム・ムリナム(Hordeum murinum)、ホルデウム・セカリナム(Hordeum secalinum)、ホルデウム・ジスチコン(Hordeum distichon)、ホルデウム・エギセラス(Hordeum aegiceras)、ホルデウム・ヘキサスチコン(Hordeum hexastichon)、ホルデウム・ヘキサスチカム(Hordeum hexastichum)、ホルデウム・イレグラレ(Hordeum irregulare)、ホルデウム・サチバム(Hordeum sativum)、ホルデウム・セカリナム(Hordeum secalinum) [大麦、精白玉麦、狐尾大麦、ムギクサ、牧草大麦]、セカレ・セレアレ(Secale cereale) [ライ麦]、アベナ・サチバ(Avena sativa)、アベナ・ファツア(Avena fatua)、アベナ・ビザンチナ(Avena byzantina)、アベナ・ファツア・バル・サチバ(Avena fatua var. sativa)、アベナ・ハイブリダ(Avena hybrida) [オート麦]、ソルガム・ビコロル(Sorghum bicolor)、ソルガム・ハレペンセ(Sorghum halepense)、ソルガム・サッカラタム(Sorghum saccharatum)、ソルガム・バルガレ(Sorghum vulgare)、アンドロポゴン・ドラモンジ(Andropogon drummondii)、ホルカス・ビコロル(Holcus bicolor)、ホルカス・ソルガム(Holcus sorghum)、ソルガム・エチオピカム(Sorghum aethiopicum)、ソルガム・アランジナセウム(Sorghum arundinaceum)、ソルガム・カフロラム(Sorghum caffrorum)、ソルガム・セルナム(Sorghum cernuum)、ソルガム・ドクナ(Sorghum dochna)、ソルガム・ドラモンジ(Sorghum drummondii)、ソルガム・デュラ(Sorghum durra)、ソルガム・ギネンセ(Sorghum guineense)、ソルガム・ランセオラタム(Sorghum lanceolatum)、ソルガム・ネルボサム(Sorghum nervosum)、ソルガム・サッカラタム(Sorghum saccharatum)、ソルガム・サブグラブレセンス(Sorghum subglabrescens)、ソルガム・ベルチシリフロラム(Sorghum verticilliflorum)、ソルガム・バルガレ(Sorghum vulgare)、ホルカス・ハレペンシス(Holcus halepensis)、ソルガム・ミリアセウム・ミレット(Sorghum miliaceum millet)、パニカム・ミリタセウム(Panicum militaceum)[ソルガム、アワ]、オリザ・サチバ(Oryza sativa)、オリザ・ラチフォリア(Oryza latifolia) [イネ]、ゼア・マイス [トウモロコシ]、トリチカム・エスチバム(Triticum aestivum)、トリチカム・デュラム(Triticum durum)、トリチカム・ツルギダム(Triticum turgidum)、トリチカム・ヒベルナム(Triticum hybernum)、トリチカム・マチャ(Triticum macha)、トリチカム・サチバム(Triticum sativum)もしくはトリチカム・バルガレ(Triticum vulgare) [小麦、パン小麦、一般的な小麦]；ヤマモガシ科(Proteaceae)、例えば、属マカダミア(Macadamia)、例えば、種マカダミア・インテルグリフォリア(Macadamia intergrifolia) [マカダミア]; アカネ科(Rubiaceae)、例えば、属コフィア(Coffea)、例えば、コフィア種(Cofea spp.)、コフィア・アラビカ(Coffea arabica)、コフィア・カネフォラ(Coffea canephora)もしくはコフィア・リベリカ(Coffea liberica) [コーヒー]; ゴマノハグサ科(Scrophulariaceae)、例えば、属ベルバスカム(Verbascum)、例えば、種ベルバスカム・ブラッタリア(Verbascum blattaria)、ベルバスカム・シャイキシ(Verbascum chaixii)、ベルバスカム・デンシフロラム(Verbascum densiflorum)、ベルバスカム・ラグラス(Verbascum lagurus)、ベルバスカム・ロンギフォリウム(Verbascum longifolium)、ベルバスカム・リクニティス(Verbascum lychnitis)、ベルバスカム・ニグラム(Verbascum nigrum)、ベルバスカム・オリンピカム(Verbascum olympicum)、ベルバスカム・フロモイデス(Verbascum phlomoides)、ベルバスカム・フェニカム(Verbascum phoenicum)、ベルバスカム・パルベルレンタム(Verbascum pulverulentum)もしくはベルバスカム・タプサス(Verbascum thapsus) [モウズイカ、白モウズイカ、ネトルリーブモウズイカ、デンスフラワーモウズイカ、銀モウズイカ、長葉モウズイカ、白モウズイカ、暗モウズイカ、ギリシャモウズイカ、オレンジモウズイカ、紫モウズイカ、白髪モウズイカ、グレートモウズイカ]; ナス科(Solanaceae)、例えば、属カプシカム(Capsicum)、ニコチアナ(Nicotiana)、ソラナム(Solanum)、リコペルシコン(Lycopersicon)、例えば、種カプシカム・アナム(Capsicum annuum)、カプシカム・アナム・バル・グラブリウスクラム(Capsicum annuum var. glabriusculum)、カプシカム・フルテセンス(Capsicum frutescens) [コショウ])、カプシカム・アナム(Capsicum annuum) [パプリカ]、ニコチアナ・タバカム(Nicotiana tabacum)、ニコチアナ・アラタ(Nicotiana alata)、ニコチアナ・アテヌアタ(Nicotiana attenuata)、ニコチアナ・グラウカ(Nicotiana glauca)、ニコチアナ・ラングスドルフィ(Nicotiana langsdorffii)、ニコチアナ・オブツシフォリア(Nicotiana obtusifolia)、ニコチアナ・クアドリバルビス(Nicotiana quadrivalvis)、ニコチアナ・レパン���(Nicotiana repanda)、ニコチアナ・ラスティカ(Nicotiana rustica)、ニコチアナ・シルベストリス(Nicotiana sylvestris) [タバコ]、ソラナム・ツベロサム(Solanum tuberosum) [ジャガイモ]、ソラナム・メロンゲナ(Solanum melongena) [ナス]、リコペルシコン・エスクレンタム(Lycopersicon esculentum)、リコペルシコン・リコペルシカム(Lycopersicon lycopersicum)、リコペルシコン・ピリフォルメ(Lycopersicon pyriforme)、ソラナム・インテグリフォリウム(Solanum integrifolium)もしくはソラナム・リコペルシカム(Solanum lycopersicum) [トマト]; アオギリ科(Sterculiaceae)、例えば、属テオブロマ(Theobroma)、例えば、種テオブロマ・カカオ(Theobroma cacao) [カカオ]; ツバキ科(Theaceae)、例えば、属カメリア(Camellia)、例えば、種カメリア・シネンシス(Camellia sinensis) [茶]。
【００９０】
本発明のさらなる実施形態においては、トランスジェニック改変を有する植物を、単子葉植物から誘導する。
【００９１】
本発明のさらなる実施形態においては、トランスジェニック改変を有する植物を、双子葉植物から誘導する。
【００９２】
本発明のさらなる実施形態においては、トランスジェニック改変を有する植物を、好ましくは、トウヒ、マツおよびモミの群から選択される裸子植物から誘導する。
【００９３】
さらなる実施形態においては、本発明のプロセスは、植物を、少なくとも1種の活性成分を含む有効量の化学組成物で処理することを含む。
【００９４】
本発明のさらなる実施形態においては、活性成分(B)は、
B1) b/c1複合体のレベルでミトコンドリア呼吸(呼吸)鎖を阻害する活性化合物:ピラクロストロビン、クレソキシム-メチル、ジモキシストロビン、ピコキシストロビン、ZJ 0712、トリフロキシストロビン、エネストロブリン、オリサストロビン、メトミノストロビン、アゾキシストロビン、フルオキサストロビン、メトミノストロビン、オリサストロビン、ピリベンカルブ、トリフロキシストロビン、2-(2-(6-(3-クロロ-2-メチル-フェノキシ)-5-フルオロ-ピリミジン-4-イルオキシ)-フェニル)-2-メトキシイミノ-N-メチル-アセトアミド、3-メトキシ-2-(2-(N-(4-メトキシ-フェニル)-シクロプロパン-カルボキシミドイルスルファニルメチル)-フェニル)-アクリル酸メチルエステル、メチル (2-クロロ-5-[1-(3-メチルベンジルオキシイミノ)エチル]ベンジル)カルバメートおよび2-(2-(3-(2,6-ジクロロフェニル)-1-メチル-アリルイデンアミノオキシメチル)-フェニル)-2-メトキシイミノ-N-メチル-からなる群より選択されるファモキサドンおよびストロビルリン；好ましくは、ファモキサドン、ピラクロストロビン、クレソキシム-メチル、ジモキシストロビン、ピコキシストロビン、ZJ 0712、トリフロキシストロビン、オリサストロビン、アゾキシストロビン、フルオキサストロビン、
B2) ベナラキシル、ベノダニル、ボスカリド、カルボキシン、メプロニル、フェンフラム、フェンキサミド、フトラニル、フラメトピル、メタラキシル、オフラス、オキサジキシル、オキシカルボキシン、ペンチオピラド、チフルザミド、チアジニル、4-ジフルオロメチル-2-メチル-チアゾール-5-カルボン酸-(4'-ブロモ-ビフェニル-2-イル)-アミド、4-ジフルオロメチル-2-メチル-チアゾール-5-カルボン酸-(4'-トリフルオロメチル-ビフェニル-2-イル)-アミド、4-ジフルオロメチル-2-メチル-チアゾール-5-カルボン酸-(4'-クロロ-3’-フルオロ-ビフェニル-2-イル)-アミド、3-ジフルオロメチル-1-メチル-ピラゾール-4-カルボン酸-(3',4'-ジクロロ-4-フルオロ-ビフェニル-2-イル)-アミド、3,4-ジクロロ-イソチアゾール-5-カルボン酸-(2-シアノ-フェニル)-アミド、ジメトモルフ、フルモルフ、フルメトベル、フルオピコリド (ピコベンザミド)、ゾキサミド、カルプロパミド、ジクロシメト、マンジプロパミド、N-(2-(4-[3-(4-クロロ-フェニル)-プロプ-2-インイルオキシ]-3-メトキシ-フェニル)-エチル)-2-メタンスルホニルアミノ-3-メチル-ブチラミドおよびN-(2-(4-[3-(4-クロロ-フェニル)-プロプ-2-インイルオキシ]-3-メトキシ-フェニル)-エチル)-2-エタンスルホニルアミノ-3-メチル-bブチラミドから選択されるカルボン酸アミド;好ましくは、ベナラキシル、ベノダニル、ボスカリド、カルボキシン、メプロニル、フェンフラム、フェンキサミド、フトラニル、フラメトピル、メタラキシル、オフラス、オキサジキシル、オキシカルボキシン、ペンチオピラド、チフルザミド、チアジニル、(ピコベンザミド)、ジクロシメト、
B3) ビテルタノール、ブロムコナゾール、シプロコナゾール、ジフェノコナゾール、ジニコナゾール、エニルコナゾール、エポキシコナゾール、フェンブコナゾール、フルシラゾール、フルキンコナゾール、フルトリアフォル、ヘキサコナゾール、イミベンコナゾール、イプコナゾール、メトコナゾール、ミクロブタニル、ペンコナゾール、プロピコナゾール、プロチオコナゾール、シメコナゾール、ツベコナゾール、テトラコナゾール、トリアジメノール、トリアジメフォン、トリチコナゾール、シアゾファミド、イマザリル、ペフラゾエート、プロクロラズ、トリフルミゾール、ベノミル、カルベンダジム、フベリダゾール、チアベンダゾール、エタボキサム、エトリジアゾールおよびヒメキサゾール；パクロブトラゾール、ウニコナゾール-P；好ましくは、シプロコナゾール、エポキシコナゾール、フェンブコナゾール、フルキンコナゾール、フルトリアフォル、ヘキサコナゾール、イプコナゾール、メトコナゾール、プロピコナゾール、プロチオコナゾール、エブコナゾール、テトラコナゾール、トリアジメノール、トリアジメフォン、トリチコナゾール、シアゾファミド、イマザリル、プロクロラズ、トリフルミゾール、ベノミル、カルベンダジム、チアベンダゾール、エタボキサム、ヒメキサゾールから選択されるアゾール、
B4) フルジナム、ピリフェノックス、3-[5-(4-クロロ-フェニル)-2,3-ジメチル-イソキサゾリジン-3-イル]-ピリジン、ブピリマット、シプロジニル、フェリムゾン、フェナリモール、メパニピリム、ヌアリモール、ピリメタニル、トリフォリン、フルジオキソニル、フェンピクロニル、アルジモルフ、ドデモルフ、フェンプロピモルフ、トリデモルフ、イプロジオン、プロシミドン、ビンクロゾリン、アシベンゾラル-S-メチル、アニラジン、カプタン、カプタフォール、ダゾメット、ジクロメジン、フェノキサニル、フォルペット、フェンプロピジン、ファモキサドン、フェナミドン、オクチリノン、プロベナゾール、プロキナジド、ピロキロン、キノキシフェン、トリシクラゾール、2-ブトキシ-6-ヨード-3-プロピル-クロメン-4-オン、3-(3-ブロモ-6-フルオロ-2-メチル-インドール-1-スルホニル)-[1,2,4]トリアゾール-1-スルホン酸ジメチルアミド、アンシミドール、フルルプリミドール、イナベンフィド、テトシクラシスから選択される窒素含有ヘテロ環化合物；好ましくは、ピリメタニル、フルジオキソニル、フェンピクロニル、アルジモルフ、ドデモルフ、フェンプロピモルフ、トリデモルフ、イプロジオン、プロシミドン、カプタン、カプタフォール、ダゾメット、ジクロメジン、フェノキサニル、プロベナゾール、プロキナジド、ピロキロン、キノキシフェン、トリシクラゾール、
B5) フェルバム、マンコゼブ、メチラム、メタム、プロピネブ、チラム、ジネブ、ジラム、ジエトフェンカルブ、フルベンチアバリカルブ、イプロバリカルブ、プロパモカルブ、3-(4-クロロ-フェニル)-3-(2-イソプロポキシカルボニルアミノ-3-メチル-ブチリルアミノ)-プロピオン酸メチルエステルおよびN-(1-(1-(4-シアノフェニル)エタンスルホニル)-ブト-2-イル)カルバミン酸-(4-フルオロフェニル)エステルから選択されるカルバメートおよびジチオカルバメート；好ましくは、エルバム、マンコゼブ、メチラム、メタム、プロピネブ、チラム、ジネブ、ジラム、ジエトフェンカルブ、イプロバリカルブ、プロパモカルブ、
B6) ドジン、イミノクタジンおよびグアザチンから選択されるグアニジン；好ましくは、グアザチン、
B7) カスガマイシン、ポリオキシン、ストレプトマイシン、オキシテトラサイクリンおよびバリダマイシンAから選択される抗生物質；好ましくは、ストレプトマイシン、オキシテトラサイクリンおよびバリダマイシンA、
B8) フェンチン塩；好ましくは、フェンチン塩;
B9) イソプロチオランおよびジチアノンから選択される硫黄含有ヘテロ環化合物；好ましくは、イソプロチオランおよびジチアノンから選択される硫黄含有ヘテロ環化合物；
B10) エジフェンホス、フォセチル、フォセチル-アルミニウム、イプロベンホス、ピラゾホス、トルクロホス-メチル、リン酸およびその塩から選択される有機リン化合物；好ましくは、エジフェンホス、フォセチル、イプロベンホス、ピラゾホス、リン酸およびその塩；
B11) チオファネートメチル、クロロタロニル、ジクロフルアニド、トリルフルアニド、フルスルファミド、フタリド、ヘキサクロルベンゼン、ペンシクロン、キントゼンから選択されるオルガノ-クロロ化合物；好ましくは、チオファネートメチル、クロロタロニル、ジクロフルアニド、フルスルファミド、フタリド、キントゼン；
B12) ビナパクリル、ジノカプおよびジノブトンから選択されるニトロフェニル誘導体；好ましくは、ビナパクリル、ジノカプおよびジノブトン；
B13) ボルドー組成物、酢酸銅、水酸化銅、酸塩化銅、塩基性硫酸銅および硫黄から選択される無機活性成分；好ましくは、酢酸銅、水酸化銅、酸塩化銅、塩基性硫酸銅および硫黄；
B14) スピロキサミン； 
B15) シフルフェナミド； 
B16) シモキサニル； 
B17) メトラフェノン； 
B18) アセフェート、アザメチホス、アジンホス-メチル、クロルピリホス、クロルピリホス-メチル、クロルフェンビンホス、ジアジノン、ジクロルボス、ジクロトホス、ジメトエート、ジスルホトン、エチオン、フェニトロチオン、フェンチオン、イソキサチオン、マラチオン、メタミドホス、メチダチオン、メチル-パラチオン、メビンホス、モノクロトホス、オキシデメトン-メチル、パラオキソン、パラチオン、フェントエート、ホサロン、ホスメット、ホスファミドン、ホレート、ホキシム、ピリミホス-メチル、プロフェノホス、プロチオホス、スルプロホス、テトラ-クロルビンホス、テルブホス、トリゾホスおよびトリクロルホンから選択されるオルガノ(チオ)ホスフェート；好ましくは、メトラフェノン、クロルピリホス、クロルピリホス-メチル、クロルフェンビンホス、ジアジノン、ジクロルボス、ジメトエート、ジスルホトン、エチオン、メチダチオン、メチル-パラチオン、パラオキソン、パラチオン、フェントエート、ホサロン、ホスメット、ホスファミドン、ホレート、ホキシム、プロフェノホス、プロチオホス、スルプロホス、テトラクロルビンホス、テルブホス、トリアゾホスおよびトリクロルホン；
B19) アラニカルブ、アルジカルブ、ベンジオカルブ、ベンフラカルブ、カルバリル、カルボフラン、カルボスルファン、フェノキシカルブ、フラチオカルブ、メチオカルブ、メトミル、オキサミル、ピリミカルブ、プロポキスル、チオジカルおよびトリアザメートから選択されるカルバメート；好ましくは、アルジカルブ、ベンジオカルブ、ベンフラカルブ、カルバリル、カルボフラン、カルボスルファン、フェノキシカルブ、フラチオカルブ、メチオカルブ、メトミル、オキサミル、ピリミカルブ、プロポキスル、チオジカルおよびトリアザメート；
B20) アレトリン、ビフェントリン、シフルトリン、シハロトリン、シフェノトリン、シペルメトリン、α-シペルメトリン、β-シペルメトリン、ζ-シペルメトリン、デルタメトリン、エスフェンバレレート、エトフェンプロックス、フェンプロパトリン、フェンバレレート、イミプロトリン、λ-シハロトリン、ペルメトリン、プラレトリン、ピレトリンIおよびII、レスメトリン、シラフルオフェン、τ-フルバリネート、テフルトリン、テトラメトリン、トラロメトリン、トランスフルトリンおよびプロフルトリン、ジメフルトリンから選択されるピレトロイド；好ましくは、ビフェントリン、シフルトリン、シフェノトリン、シペルメトリン、α-シペルメトリン、β-シペルメトリン、ζ-シペルメトリン、デルタメトリン、エトフェンプロックス、フェンプロパトリン、フェンバレレート、イミプロトリン、λ-シハロトリン、ペルメトリン、プラレトリン、ピレトリンIおよびII、レスメトリン、テフルトリン、テトラメトリン、トラロメトリン、トランスフルトリンおよびプロフルトリン、ジメフルトリン；
B21) a) ベンゾイルウレア、クロルフルアズロン、ジフルベンズロン、フルシクロキスロン、フルフェノキスロン、ヘキサフルムロン、ルフェヌロン、ノバルロン、テフルベンズロン、トリフルムロン；ブプロフェジン、ジオフェノラン、ヘキシチアゾックス、エトキサゾールおよびクロフェンタジンから選択されるキチン合成阻害剤; b) ハロフェノジド、メトキシフェノジド、ツベフェノジドおよびアザジラキチンから選択されるエクジソンアンタゴニスト; c) ピリプロキシフェン、メトプレンおよびフェノキシカルブから選択されるジュベノイドならびにd) スピロジクロフェン、スピロメシフェンおよびスピロテトラマットから選択される脂質生合成阻害剤から選択される増殖調節因子；好ましくは、フルフェノキスロン、ヘキサフルムロン、テフルベンズロン、トリフルムロン；アザジラキチン、メトプレンおよびフェノキシカルブ、スピロジクロフェン、スピロメシフェンおよびスピロテトラマット；
B22) クロチアニジン、ジノテフラン、イミダクロプリド、チアメトキサム、ニテンピラム、アセタミプリド、チアクロプリド、AKD1022、ベンスルタップ、塩酸カルタップから選択されるニコチン受容体アゴニスト／アンタゴニスト化合物；好ましくは、クロチアニジン、ジノテフラン、イミダクロプリド、チアメトキサム、ニテンピラム、アセタミプリド、チアクロプリド、AKD1022；
B23) アセトプロール、エンドスルファン、エチプロール、フィプロニル、バニリプロール、ピラフルプロール、ピリプロールおよび式Γ1：
【化１】
2010524483.tif 000004
のフェニルピラゾール化合物から選択されるGABAアンタゴニスト化合物、好ましくは、アセトプロール、エンドスルファン、エチプロール、フィプロニル、バニリプロール、ピラフルプロール、ピリプロールおよびフェニルピラゾール；
B24) フェナザキン、ピリダベン、テブフェンピラド、トルフェンピラドおよびフルフェネリムから選択されるMETI I化合物；好ましくは、フェナザキン、ピリダベン、テブフェンピラド、トルフェンピラドおよびフルフェネリム；
B25) アセキノシル、フルアシプリムおよびヒドラメチルノンから選択されるMETI IIおよびIII化合物；好ましくは、アセキノシル、フルアシプリムおよびヒドラメチルノン；
B26) クロルフェナピル;
B27) シヘキサチン、ジアフェンチウロン、フェンブタチンオキシドおよびプロパルジトから選択される酸化的リン酸化阻害化合物；好ましくは、ジアフェンチウロン、フェンブタチンオキシド；
B28) シロマジン；
B29) ピペロニルブトキシド；
B30) インドキサカルブ；
B31) ベンクロチアズ、ビフェナゼート、カルタップ、フロニカミド、ピリダリル、ピメトロジン、硫黄、チオシクラム、フルベンジアミド、シエノピラフェン、フルピラゾホス、シフルメトフェン、アミドフルメット、ピリフルキナゾンから選択される化合物；好ましくは、ベンクロチアズ、ビフェナゼート、カルタップ、フロニカミド、ピリダリル、ピメトロジン、硫黄、チオシクラム、フルベンジアミド、シエノピラフェン、フルピラゾホス、シフルメトフェン、アミドフルメット；
B32) アントラニルアミド：クロラントラニリプロール、式Γ2：
【化２】
2010524483.tif 000005
の化合物；
B33) アシベンゾラル-S-メチル;
B34) 植物生体調節剤：トリネキサパク-エチル、プロヘキサジオン-カルシウム、塩化クロルメカット、塩化メピカット、16,17-ジヒドロジベレリンA5、1-メチルシクロプロペン、2,5-ノルボルナジエン、3-アミノ-1,2,4-トリアゾール;好ましくは、トリネキサパク-エチル、プロヘキサジオン-カルシウム、塩化クロルメカット、塩化メピカット、1-メチルシクロプロペン；
B35) ネオニコチノイド、
からなる群より選択される活性化合物である。
【００９５】
本発明のさらなる実施形態においては、活性成分(B)は、b/c1複合体のレベルでミトコンドリア呼吸(呼吸)鎖を阻害する活性化合物である。
【００９６】
本発明のさらなる実施形態においては、活性成分(B)は、ピラクロストロビン、クレソキシム-メチル、ジモキシストロビン、2-(オルト-((2,5-ジメチルフェニル-オキシメチレン)フェニル)-3-メトキシ-アクリル酸メチルエステル、ピコキシストロビン、トリフロキシストロビン、エネストロブリン、オリサストロビン、メトミノストロビン、アゾキシストロビンおよびフルオキサストロビンから選択されるストロビルリンである。
【００９７】
本発明のさらなる実施形態においては、活性成分(B)は、(EZ)-3-(2-クロロ-1,3-チアゾール-5-イルメチル)-5-メチル-1,3,5-オキサジアジナ-4-イルイデン(ニトロ)アミン(チアメトキサム)、5-アミノ-1-(2,6-ジクロロ-α,α,α-トリフルオロ-p-トリル)-4-トリフルオロメチルスルフィニルピラゾール-3-カルボニトリル(フィプロニル)および(EZ)-1-(6-クロロ-3-ピリジルメチル)-N-ニトロイミダゾリジン-2-イルイデンアミン(イミダクロプリド)から選択される。
【００９８】
本発明のさらなる実施形態においては、活性成分(B)は、植物生体調節剤である。
【００９９】
本発明の一実施形態においては、植物生体調節剤を、
i) 細菌および菌類病原体ならびに害虫に対する防御機構を誘導することが知られるアシルシクロヘキサンジオン型の植物生体調節剤：遊離酸、エステル(C1-C3)もしくは塩としてのプロヘキサジオンおよびトリネキサパク(特に、トリネキサパク-エチルおよびプロヘキサジオン-カルシウム)、
ii) 新芽の長さおよび葉の表面を減少させ、根の成長を増加させることによって、非生物ストレス(例えば、風および激しい降雨の結果としてのなぎ倒し；水不足および高い蒸発需要の結果としての脱水；高すぎる温度もしくは低すぎる温度の結果としての細胞、組織もしくは全植物の死；強い降雨もしくは洪水の結果としての根の酸素欠乏)に対する植物の脆弱性を低下させることが知られる植物生体調節剤：(i)第4級アンモニウム化合物、特に、塩化物、ホウ酸塩、硫酸塩、リン酸塩もしくは他の農学上有用な塩としてのクロルメカットおよびメピカット；(ii)窒素含有ヘテロ環を有する化合物、特に、パクロブトラゾール、ユニコナゾール-P、メトコナゾール、テブコナゾール、アンシミドール、フルプリミドール、イナベンフィド、テトラシクラシス；(iii)アシルシクロヘキサンジオン、特に、遊離酸、エステル(C1-C3)もしくは塩としてのプロヘキサジオンおよびトリネキサパク(特に、トリネキサパク-エチルおよびプロヘキサジオン-カルシウム)；(iv)16,17-ジヒドロジベレリンA5の誘導体、
iii) 非生物および生物ストレスに対する植物の応答性を減少させる(それによって収量を減少させる過剰反応を回避する)植物生体調節剤、特に、エチレン調節剤：
・S-アデノシル-L-メチオニンの1-アミノシクロプロパン-1-カルボン酸(ACC)への変換を阻害するエチレン生合成阻害剤、例えば、ビニルグリシンの誘導体、ヒドロキシルアミン、オキシムエーテル誘導体；
・植物で利用可能な形態のCo++もしくはNi++イオンからなる群より選択される、ACCのエチレンへの変換を遮断するエチレン生合成阻害剤；n-プロピルガラートなどのフェノールラジカルスカベンジャー；ポリアミン、例えば、プトレシン、スペルミンもしくはスペルミジン；ACCの構造類似体、例えば、α-アミノイソ酪酸もしくはL-アミノシクロプロペン-1-カルボン酸；サリチル酸もしくはアシベンゾラル-S-メチル；ACCオキシダーゼの阻害剤として働くアスコルビン酸の構造類似体、例えば、プロヘキサジオン-Caもしくはトリネキサパク-エチル；ならびにトリアゾリル化合物、例えば、主な作用がジベレリンの代謝を遮断することであるシトクロムP-450依存的モノオキシゲナーゼの阻害剤としてのパクロブトラゾールもしくはユニコナゾール；
・エチレンの構造類似体、例えば、1-メチルシクロプロペンもしくは2,5-ノルボルナジエンおよび3-アミノ-1,2,4-トリアゾールもしくは20:1〜0.05:1のI：IIの重量比のAg++イオンなどからなる群より選択されるエチレンの作用の阻害剤、
からなる群より選択する。
【０１００】
植物生体調節剤は、生物ストレス(例えば、ジャスモン酸およびメチルジャスモン酸)および非生物ストレス(例えば、アブシジン酸およびまたその合成類似体)に対する内因性防御機構に関与してもよい。
【０１０１】
本発明のさらなる実施形態においては、前記化学組成物は、少なくとも1種の活性成分(B)と、グルカンまたはグルカン誘導体である成分(A)とを含む。
【０１０２】
本発明に従う成分(A)は、グルカンまたはグルカン誘導体である。「グルカン」は、モノマー構成単位としてグルコース単位を含むホモ多糖類のクラスであり、グルコース分子はαもしくはβ-グリコシド結合により連結されていてもよく、分枝鎖または直鎖であってもよい。本発明に従う好適なグルカンの特定例は、β-グルカン、より具体的には、β-1,3-グルカン、例えば、ラミナリンおよびカードランである。例えば、β-1,3-グルカンは、様々な起源を有する。それらを、細菌(例えば、カードランを誘導するアルカリジェネス・ファカリス(Alcaligenes faecalis))、菌類、酵母から、ならびに様々な植物、特に、藻類および穀類から抽出することができる。
【０１０３】
本発明に従う「グルカン誘導体」は、例えば、硫酸化または加水分解により改変されたグルカンである。好適なグルカン誘導体に関する特定例は、硫酸化グルカン、特に、硫酸化β-グルカン、より具体的には、β-1,3-グルカン、例えば、硫酸化ラミナリンまたは硫酸化カードランである。さらに、ラミナリビオース、セロビオース、ニゲロース、ラミナリトリオース、ラミナリテトロースおよびラミナリペントースも、本発明に従う好適なグルカン誘導体である。
【０１０４】
グルカンのさらなる誘導体は、米国特許第6,979,665号、Alban Sら、Synthesis of laminarin sulfates with anticoagulant activity, Arzneim. Forsch. (1992) 42; 1005-1008; 米国特許第6,979,665号; 米国特許第6,387,847号; 米国特許第6,303,587号; 米国特許第6,303,587号; Blackら、Appl. Chem. (1951), volume 1, 505〜517; 米国特許第5,750,472号およびそこに引用される参考文献、米国特許第5,750,472号、仏国特許第92 08387号に記載されており、それらは参照により本明細書に含まれるものとする。
【０１０５】
本発明の1つの好ましい実施形態に従えば、成分(A)は、β-グルカン、特に、β-1,3-グルカンである。具体的には、成分(A)は、ラミナリンまたはカードランである。
【０１０６】
別の好ましい実施形態に従えば、成分(A)は、硫酸化グルカン、ラミナリビオース、セロビオース、ニゲロース、ラミナリトリオース、ラミナリテトロースおよびラミナリペントースから選択される。
【０１０７】
活性成分(B)として用いることができるB1)〜B17)群の活性化合物、その調製および有害菌類に対するその作用は、一般的に知られている；それらは市販されている。多くの場合、それらを、数ある刊行物の中でも特に、The Pesticide Manual、第13版、British Crop Protection Council (2003)に見出すこともできる。
【０１０８】
・ベナラキシル、メチルN-(フェニルアセチル)-N-(2,6-キシルイル)-DL-アラニナート (DE 29 03 612)、
・ボスカリド、2-クロロ-N-(4'-クロロビフェニル-2-イル)ニコチンアミド (EP-A 545 099);
・カルボキシン、5,6-ジヒドロ-2-メチル-N-フェニル-1,4-オキサチイン-3-カルボキサミド (米国特許第3 249 499号)、
・メプロニル、3'-イソプロポキシ-o-トルアニリド(米国特許第3 937 840号)、
・フェンヘキサミド、N-(2,3-ジクロロ-4-ヒドロキシフェニル)-1-メチルシクロヘキサンカルボキサミド (Proc. Br. Crop Prot. Conf. - Pests Dis., 1998, Vol. 2, p. 327);
・フルトラニル、α,α,α-トリフルオロ-3'-イソプロポキシ-o-トルアニリド (日本国特許第1104514号)、
・フラメトピル、5-クロロ-N-(1,3-ジヒドロ-1,1,3-トリメチル-4-イソベンゾフラニル)-1,3-ジメチル-1H-ピラゾール-4-カルボキサミド [CAS RN 123572-88-3]、
・メタラキシル、メチルN-(メトキシアセチル)-N-(2,6-キシルイル)-DL-アラニナート (GB 15 00 581);
・オフラース、(RS)-α-(2-クロロ-N-2,6-キシルイルアセタミド)-γ-ブチロラクトン[CAS RN 58810-48-3];
・オキサジキシル; N-(2,6-ジメチルフェニル)-2-メトキシ-N-(2-オキソ-3-オキサゾリジニル)アセタミド(GB 20 58 059)、
・オキシカルボキシン、5,6-ジヒドロ-2-メチル-1,4-オキサチイン-3-カルボキサニリド4,4-ジオキシド (米国特許第3 399 214号)、
・ペンチオピラド、N-[2-(1,3-ジメチルブチル)-3-チエニル]-1-メチル-3-(トリフルオロメチル)-1H-ピラゾール-4-カルボキサミド (日本国特許第10130268号)、
・チフルザミド、N-[2,6-ジブロモ-4-(トリフルオロメトキシ)フェニル]-2-メチル-4-(トリフルオロメチル)-5-チアゾールカルボキサミド;
・チアジニル、3'-クロロ-4,4'-ジメチル-1,2,3-チアジアゾール-5-カルボキサニリド [CAS RN 223580-51-6]、
・ジメトモルフ、3-(4-クロロフェニル)-3-(3,4-ジメトキシフェニル)-1-モルホリン-4-イルプロペノン(EP-A 120 321);
・フルモルフ、3-(4-フルオロフェニル)-3-(3,4-ジメトキシフェニル)-1-モルホリン-4-イルプロペノン (EP-A 860 438);
・フルメトベル、2-(3,4-ジメトキシフェニル)-N-エチル-α,α,α-トリフルオロ-N-メチル-p-トルアミド [AGROW No. 243, 22 (1995)]、
・フルオピコリド(ピコベンザミド)、2,6-ジクロロ-N-(3-クロロ-5-トリフルオロメチルピリジン-2-イルメチル)ベンザミド (WO 99/42447);
・ゾキサミド、(RS)-3,5-ジクロロ-N-(3-クロロ-1-エチル-1-メチル-2-オキソプロピル)-p-トルアミド [CAS RN 156052-68-5];
・カルプロパミド、2,2-ジクロロ-N-[1-(4-クロロフェニル)エチル]-1-エチル-3-メチルシクロプロパンカルボキサミド [CAS RN 104030-54-8]、
・ジクロシメト、2-シアノ-N-[(1R)-1-(2,4-ジクロロフェニル)エチル]-3,3-ジメチルブタナミド;
・マンジプロパミド、(RS)-2-(4-クロロフェニル)-N-[3-メトキシ-4-(プロプ-2-イニルオキシ)フェネチル]-2-(プロプ-2-イニルオキシ)アセタミド [CAS RN 374726-62-2];
・ビテルタノール、プロプ-2-'-ビフェニル]-4-イルオキシ)-2-イニルオキシ)フェネチル]-2-H-1,2,4-トリアゾール-1-エタノール (DE 23 24 020)、
・ブロムコナゾール、1-[[4-ブロモ-2-(2,4-ジクロロフェニル)テトラヒドロ-2-フラニル]メチル]-1H-1,2,4-トリアゾール (Proc. 1990 Br. Crop. Prot. Conf. - Pests Dis. Vol. 1, p. 459);
・シプロコナゾール、2-(4-クロロフェニル)-3-シクロプロピル-1-[1,2,4]トリアゾール-1-イルブタン-2-オール(米国特許第4 664 696号);
・ジフェノコナゾール、1-{2-[2-クロロ-4-(4-クロロフェノキシ)フェニル]-4-メチル-[1,3]ジオキソラン-2-イルメチル}-1H-[1,2,4]トリアゾール (GB-A 2 098 607);
・ジニコナゾール、(βE)-β-[(2,4-ジクロロフェニル)メチレン]-α-(1,1-ジメチルエチル)-1H-1,2,4-トリアゾール-1-エタノール (Noyaku Kagaku, 1983, Vol. 8, p. 575);
・エニルコナゾール(イマザリル)、1-[2-(2,4-ジクロロフェニル)-2-(2-プロペニルオキシ)エチル]-1H-イミダゾール(Fruits, 1973, Vol. 28, p. 545);
・エポキシコナゾール、(2RS,3SR)-1-[3-(2-クロロフェニル)-2,3-エポキシ-2-(4-フルオロフェニル)プロピル]-1H-1,2,4-トリアゾール (EP-A 196 038);
・フェンブコナゾール、α-[2-(4-クロロフェニル)エチル]-α-フェニル-1H-1,2,4-トリアゾール-1-プロパンニトリル(Proc. 1988 Br. Crop Prot. Conf. - Pests Dis. Vol. 1, p. 33);
・フルシラゾール、1-{[ビス-(4-フルオロフェニル)メチルシラニル]メチル}-1H-[1,2,4]トリアゾール (Proc. Br. Crop Prot. Conf.-Pests Dis., 1, 413 (1984));
・フルキンコナゾール、3-(2,4-ジクロロフェニル)-6-フルオロ-2-[1,2,4]-トリアゾール-1-イル-3H-キナゾリン-4-オン (Proc. Br. Crop Prot. Conf.-Pests Dis., 5-3, 411 (1992));
・フルトリアフォル、α-(2-フルオロフェニル)-α-(4-フルオロフェニル)-1H-1,2,4-トリアゾール-1-エタノール (EP 15 756);
・ヘキサコナゾール、2-(2,4-ジクロロフェニル)-1-[1,2,4]トリアゾール-1-イルヘキサン-2-oオール(CAS RN 79983-71-4);
・イミベンコナゾール、(4-クロロフェニル)メチル N-(2,4-ジクロロフェニル)-1H-1,2,4-トリアゾール-1-エタンイミドチオエート((Proc. 1988 Br. Crop Prot. Conf. - Pests Dis. Vol. 2, p. 519)、
・イプコナゾール、2-[(4-クロロフェニル)メチル]-5-(1-メチルエチル)-1-(1H-1,2,4-トリアゾール-1-イルメチル)シクロペンタノール(EP 267 778)、
・メトコナゾール、5-(4-クロロベンジル)-2,2-ジメチル-1-[1,2,4]トリアゾール-1-イルメチルシクロペンタノール (GB 857 383);
・ミクロブタニル、2-(4-クロロフェニル)-2-[1,2,4]トリアゾール-1-イルメチルペンタンニトリル(CAS RN 88671-89-0);
・ペンコナゾール、1-[2-(2,4-ジクロロフェニル)ペンチル]-1H-[1,2,4]トリアゾール (Pesticide Manual, 12th Ed. (2000), p.712);
・プロピコナゾール、1-[[2-(2,4-ジクロロフェニル)-4-プロピル-1,3-ジオキソラン-2-イル]メチル]-1H-1,2,4-トリアゾール (BE 835 579);
・プロチオコナゾール、2-[2-(1-クロロシクロプロピル)-3-(2-クロロフェニル)-2-ヒドロキシプロピル]-2,4-ジヒドロ-[1,2,4]トリアゾール-3-チオン (WO 96/16048);
・シメコナゾール、α-(4-フルオロフェニル)-α-[(トリメチルシリル)メチル]-1H-1,2,4-トリアゾール-1-エタノール [CAS RN 149508-90-7]、
・テブコナゾール、1-(4-クロロフェニル)-4,4-ジメチル-3-[1,2,4]トリアゾール-1-イルメチルペンタン-3-オール (EP-A 40 345);
・テトラコナゾール、1-[2-(2,4-ジクロロフェニル)-3-(1,1,2,2-テトラフルオロエトキシ)プロピル]-1H-1,2,4-トリアゾール (EP 234 242);
・トリアジメノール、β-(4-クロロフェノキシ)-α-(1,1-ジメチルエチル)-1H-1,2,4-トリアゾール-1-エタノール;
・トリアジメフォン、1-(4-クロロフェノキシ)-3,3-ジメチル-1-(1H-1,2,4-トリアゾール-1-イル)-2-ブタノン;
・トリチコナゾール、(5E)-5-[(4-クロロフェニル)メチレン]-2,2-ジメチル-1-(1H-1,2,4-トリアゾール-1-ylメチル)シクロペンタノール (FR 26 41 277);
・シアゾファミド、4-クロロ-2-シアノ-N,N-ジメチル-5-(4-メチルフェニル)-1H-イミダゾール-1-スルホンアミド(CAS RN 120116-88-3]、
・ペフラゾエート、4-ペンテニル2-[(2-フラニルメチル)(1H-イミダゾール-1-イルカルボニル)アミノ]ブタノエート[CAS RN 101903-30-4]、
・プロクロラズ、N-{プロピル-[2-(2,4,6-トリクロロフェノキシ)エチル]}イミダゾール-1-カルボキサミド (米国特許第3 991 071号);
・トリフルミゾール、(4-クロロ-2-トリフルオロメチルフェニル)-(2-プロポキシ-1-[1,2,4]トリアゾール-1-イルエチルイデン)アミン (JP-A 79/119 462)、
・ベノミル、N-ブチル-2-アセチルアミノベンゾイミダゾール-1-カルボキサミド (米国特許第3 631 176号);
・カルベンダジム、メチル(1H-ベンゾイミダゾール-2-イル)-カルバメート (米国特許第3 657 443号);
・フベリダゾール、2-(2-フラニル)-1H-ベンズイミダゾール (DE 12 09 799)、
・チアベンダゾール、2-(1,3-チアゾール-4-イル)ベンズイミダゾール (米国特許第3 017 415号)、
・エタボキサム、N-(シアノ-2-チエニルメチル)-4-エチル-2-(エチルアミノ)-5-チアゾールカルボキサミド (EP-A 639 574)、
・エトリジアゾール、
・ヒメキサゾール、5-メチル-1,2-オキサゾール-3-オール (日本国特許第518249号、日本国特許第532202号)、
・フルアジナム、3-クロロ-N-[3-クロロ-2,6-ジニトロ-4-(トリフルオロメチル)フェニル]-5-(トリフルオロメチル)-2-ピリジンアミン(The Pesticide Manual, publ. The British Crop Protection Council、第10版(1995), p. 474);
・ピリフェノックス、1-(2,4-ジクロロフェニル)-2-(3-ピリジニル)エタノン O-メチルオキシム (EP-A 49 854);
・ブピリメート、5-ブチル-2-エチルアミノ-6-メチルピリミジン-4-イルジメチルスルファメート [CAS RN 41483-43-6];
・シプロジニル、(4-シクロプロピル-6-メチルピリミジン-2-イル)フェニルアミン (EP-A 310 550);
・フェリムゾン、(Z)-2'-メチルアセトフェノン4,6-ジメチルピリミジン-2-イルヒドラゾン[CAS RN 89269-64-7];
・フェナリモール、(4-クロロフェニル) (2-クロロフェニル) ピリミジン-5-イルメタノール (GB 12 18 623);
・メパニピリム、(4-メチル-6-プロプ-1-イニルピリミジン-2-イル)フェニルアミン (EP-A 224 339);
・ヌアリモール、α-(2-クロロフェニル)-α-(4-フルオロフェニル)-5-ピリミジンメタノール (GB 12 18 623);
・ピリメタニル、4,6-ジメチルピリミジン-2-イルフェニルアミン (DD-A 151 404);
・トリフォリン、N,N'-{ピペラジン-1,4-ジイルビス[(トリクロロメチル)メチレン]}ジホルムアミド(DE 19 01 421);
・フルジオキソニル、4-(2,2-ジフルオロベンゾ[1,3]ジオキソール-4-イル)-1H-ピロール-3-カルボニトリル (The Pesticide Manual, publ. The British Crop Protection Council、第10版、(1995), p. 482);
・フェンピクロニル、4-(2,3-ジクロロフェニル)-1H-ピロール-3-カルボニトリル (Proc. 1988 Br. Crop Prot. Conf. - Pests Dis., Vol. 1, p. 65);
・アルジモルフ、65-75％の2,6-ジメチルモルホリンと25-35％の2,5-ジメチルモルホリンを含み、85％を超える4-ドデシル-2,5(もしくは2,6)-ジメチルモルホリンを含む4-アルキル-2,5(もしくは2,6)-ジメチルモルホリン(式中、「アルキル」はオクチル、デシル、テトラデシルもしくはヘキサデシルを含んでもよく、シス／トランス比は1:1である);
・ドデモルフ、4-シクロドデシル-2,6-ジメチルモルホリン (DE 1198125);
・フェンプロピモルフ、(RS)-シス-4-[3-(4-tert-ブチルフェニル)-2-メチルプロピル]-2,6-ジメチルモルホリン (DE 27 52 096);
・トリデモルフ、2,6-ジメチル-4-トリデシルモルホリン (DE 11 64 152);
・イプロジオン、N-イソプロピル-3-(3,5-ジクロロフェニル)-2,4-ジオキソイミダゾールイジン-1-カルボキサミド (GB 13 12 536);
・プロシミドン、N-(3,5-ジクロロフェニル)-1,2-ジメチルシクロプロパン-1,2-ジカルボキシミド(米国特許第3 903 090号);
・ビンクロゾリン、3-(3,5-ジクロロフェニル)-5-メチル-5-ビニルオキサゾリジン-2,4-ジオン (DE-OS 22 07 576);
・アシベンゾラル-S-メチル、メチルベンゾ[1,2,3]チアジアゾール-7-カルボチオナート;
・アニラジン、4,6-ジクロロ-N-(2-クロロフェニル)-1,3,5-トリアジン-2-アミン (米国特許第2 720 480号);
・カプタン、2-トリクロロメチルスルファニル-3a,4,7,7a-テトラヒドロイソインドール-1,3-ジオン (米国特許第2 553 770号);
・カプタフォール、N-(1,1,2,2-テトラクロロエチルチオ)シクロヘキサ-4-エン-1,2-ジカルボキシミド(Phytopathology 52, S. 754 (1962));
・ダゾメット、3,5-ジメチル-1,3,5-チアジアジナン-2-チオン (Bull. Soc. Chim. Fr. Vol. 15, p. 891 (1897));
・ジクロメジン、6-(3,5-ジクロロフェニル)-p-トリル)ピリダジン-3(2H)-オン (米国特許第4,052,395号);
・フェノキサニル、N-(1-シアノ-1,2-ジメチルプロピル)-2-(2,4-ジクロロフェノキシ)プロパナミド (EP-A 262 393);
・フォルペット、2-トリクロロメチルスルファニルイソインドール-1,3-ジオン (米国特許第2 553 770号);
・フェンプロピジン、(RS)-1-[3-(4-tert-ブチルフェニル)-2-メチルプロピル]ピペリジン(DE 27 52 096);
・ファモキサドン、(RS)-3-アニリノ-5-メチル-5-(4-フェノキシフェニル)-1,3-オキサゾリジン-2,4-ジオン [CAS RN 131807-57-3];
・フェナミドン、(S)-1-アニリノ-4-メチル-2-メチルチオ-4-フェニルイミダゾリン-5-オン [CAS RN 161326-34-7];
・オクチリノン、
・プロベナゾール、3-アリルオキシ-1,2-ベンゾチアゾール 1,1-ジオキシド;
・プロキナジド、6-ヨード-2-プロポキシ-3-プロピルキナゾリン-4(3H)-オン (WO 97/48684);
・ピロキロン、1,2,5,6-テトラヒドロピロロ[3,2,1-ij]キノリン-4-オン (GB 139 43 373)；
・キノキシフェン、5,7-ジクロロ-4-(4-フルオロフェノキシ)キノリン (米国特許第5 240 940号);
・トリシクラゾール、5-メチル-1,2,4-トリアゾロ[3,4-b]ベンゾチアゾール (GB 14 19 121);
・フェルバム、鉄(3+)ジメチルジチオカルバメート(米国特許第1 972 961号);
・マンコゼブ、マンガンエチレンビス(ジチオカルバメート)亜鉛複合体(米国特許第3 379 610号);
・マネブ、マンガンエチレンビス(ジチオカルバメート) (米国特許第2 504 404号);
・メチラム、アンモニア化亜鉛エチレンビス(ジチオカルバメート)(米国特許第3 248 400号);
・メタム、メチルジチオカルバミン酸(米国特許第2 791 605号);
・プロピネブ、亜鉛プロピレンビス(ジチオカルバメート)ポリマー (BE 611 960);
・チラム、ビス(ジメチルチオカルバモイル)ジスルフィド(DE 642 532);
・ジネブ、亜鉛エチレンビス(ジチオカルバメート)(米国特許第2 457 674号);
・ジラム、ジメチルジチオカルバメート [CAS RN 137-30-4];
・ジエトフェンカルブ、イソプロピル 3,4-ジエトキシカルバニラート(EP-A 78 663);
・フルベンチアバリカルブ(ベンチアバリカルブ)、イソプロピル {(S)-1-[(1R)-1-(6-フルオロベンゾチアゾール-2-イル)エチルカルバモイル]-2-メチルプロピル}カルバメート (JP-A 09/323 984);
・イプロバリカルブ、イソプロピル [(1S)-2-メチル-1-(1-p-トリルエチルカルバモイル)プロピル]カルバメート (EP-A 472 996);
・プロパモカルブ、プロピル 3-(ジメチルアミノ)プロピルカルバメート (DE 16 43 040);
・ドジン、(2,4-ジクロロフェノキシ)酢酸(米国特許第2 867 562号);
・イミノクタジン、ビス(8-グアニジノオクチル)アミン(GB 11 14 155);
・グアザチン、イミノジ(オクタメチレン)ジアミンのアミド化に由来する生成物の混合物、主にイミノクタジン[CAS RN 108173-90-6];
・カスガマイシン、1L-1,3,4/2,5,6-1-デオキシ-2,3,4,5,6-ペンタヒドロキシシクロヘキシル2-アミノ-2,3,4,6-テトラデオキシ-4-(α-イミノグリシノ)-α-D-アラビノ-ヘキソピラノシド[CAS RN 6980-18-3];
・ポリオキシン、5-(2-アミノ-5-O-カルバモイル-2-デオキシ-L-キシロナミド)-1-(5-カルボキシ-1,2,3,4-テトラヒドロ-2,4-ジオキソピリミジン-1-イル)-1,5-ジデオキシ-β-D-アロフラヌロン酸およびその塩 [CAS RN 22976-86-9];
・ストレプトマイシン、O-2-デオキシ-2-メチルアミノ-α-L-グルコピラノシル-(1→2)-O-5-デオキシ-3-C-ホルミル-α-L-リキソフラノシル-(1→4)N1,N3-ジアミジノ-D-ストレプタミン(J. Am. Chem. Soc. 69, S.1234 (1947));
・バリダマイシンA、酢酸フェンチン、トリフェニルチン酢酸(米国特許第3 499 086号);
・イソプロチオラン、ジイソプロピル 1,3-ジチオラン-2-イルイデンマロナット(Proc. Insectic. Fungic. Conf. 8. Bd. 2, S. 715 (1975));
・ジチアノン、5,10-ジオキソ-5,10-ジヒドロナフト [2,3-b][1,4]ジチイン-2,3-ジカルボニトリル(GB 857 383);
・エジフェンホス、O-エチル S,S-ジフェニルホスホロジチオエート(DE-A 14 93 736);
・フォセチル、フォセチル-アルミニウム、(アルミニウム)エチルホスホナート(FR 22 54 276);
・イプロベンホス、S-ベンジルO,O-ジイソプロピルホスホロチオエート (Jpn. Pesticide Inf., No. 2, S. 11 (1970));
・ピラゾホス、エチル2-ジエトキシホスフィノチオイルオキシ-5-メチルピラゾロ[1,5-a]ピリミジン-6-カルボキシレート (DE 15 45 790);
・トルクロホス-メチル、O-2,6-ジクロロ-p-トリルO,O-ジメチルホスホロチオエート (GB 14 67 561);
・チオファネート-メチル、1,2-フェニレンビス(イミノカルボノチオイル)ビス(ジメチルカルバメート) (DE-OS 19 30 540);
・クロロタロニル、2,4,5,6-テトラクロロイソフタロニトリル(米国特許第3 290 353号);
・ジクロロフルアニド、N-ジクロロフルオロメチルチオ-N',N'-ジメチル-N-フェニルスルファミド(DE 11 93 498);
・トリルフルアニド、N-ジクロロフルオロメチルチオ-N',N'-ジメチル-N-p-トリルスルファミド(DE 11 93 498);
・フルスルファミド、2′,4-ジクロロ-α,α,α-トリフルオロ-4'-ニトロ-m-トルエンスルファニリド(EP-A 199 433);
・フタリド(DE 16 43 347);
・ヘキサクロロベンゼン(C. R. Seances Acad. Agric. Fr., Vol. 31, p. 24 (1945)); 
・ペンシクロン、1-(4-クロロベンジル)-1-シクロペンチル-3-フェニルウレア (DE 27 32 257);
・キントゼン、ペンタクロロニトロベンゼン(DE 682 048);
・ビナパクリル、(RS)-2-sec-ブチル-4,6-ジニトロフェニル 3-メチルクロトナート[CAS RN 485-31-4];
・ジノカップ、2,6-ジニトロ-4-オクチルフェニルクロトナートと2,4-ジニトロ-6-オクチルフェニルクロトナートの混合物(式中、「オクチル」は1-メチルヘプチル、1-エチルヘキシルおよび1-プロピルペンチルの混合物である) (米国特許第2,526,660号);
・ジノブトン、(RS)-2-sec-ブチル-4,6-ジニトロフェニルイソプロピルカルボナート [CAS RN 973-21-7];
・ボルドー組成物、CuSO4 x 3Cu(OH)2 x 3CaSO4の混合物[CAS RN 8011-63-0]；
・酢酸銅、Cu(OCOCH3)2 [CAS RN 8011-63-0];
・オキシ塩化銅、Cu2Cl(OH)3 [CAS RN 1332-40-7];
・塩基性硫酸銅、CuSO4 [CAS RN 1344-73-6];
・スピロキサミン、(8-tert-ブチル-1,4-ジオキサスピロ [4.5]デク-2-イル)ジエチルアミン (EP-A 281 842)；
・シフルフェナミド、(Z)-N-[α-(シクロプロピルメトキシイミノ)-2,3-ジフルオロ-6-(トリフルオロメチル)ベンジル]-2-フェニルアセタミド (WO 96/19442);
・シモキサニル、1-(2-シアノ-2-メトキシイミノアセチル)-3-エチルウレア (米国特許第3 957 847号);
・メトラフェノン、3'-ブロモ-2,3,4,6'-テトラメトキシ-2',6-dジメチルベンゾフェノン(米国特許第5 945 567号)。
【０１０９】
以下の化合物はIUPACに従って命名され、その調製およびその殺菌作用も同様に公知である: 
N-(4'-ブロモビフェニル-2-イル)-4-ジフルオロメチル-2-メチルチアゾール-5-カルボキサミド、N-(4'-トリフルオロメチルビフェニル-2-イル)-4-ジフルオロメチル-2-メチルチアゾール-5-カルボキサミド、N-(4'-クロロ-3'-フルオロビフェニル-2-イル)-4-ジフルオロメチル-2-メチルチアゾール-5-カルボキサミド、N-(3',4'-ジクロロ-4-フルオロビフェニル-2-イル)-3-ジフルオロメチル-1-メチルピラゾール-4-カルボキサミド (WO 03/066609)、
3,4-ジクロロ-イソチアゾール-5-カルボン酸(2-シアノフェニル)アミド (WO 99/24413);
N-(2-(4-[3-(4-クロロフェニル)-プロプ-2-イニルオキシ]-3-メトキシ-フェニル)-エチル)-2-メタンスルホニルアミノ-3-メチル-ブチラミド、N-(2-(4-[3-(4-クロロフェニル)-プロプ-2-イニルオキシ]-3-メトキシ-フェニル)-エチル)-2-エタンスルホニルアミノ-3-メチル-ブチラミド (WO 04/49804);
3-[5-(4-クロロフェニル)-2,3-ジメチルイソキサゾリジン-3-イル]ピリジン (EP-A 10 35 122);
2-ブトキシ-6-ヨード-3-プロピルクロメン-4-オン (WO 03/14103)、
メチル 3-(4-クロロフェニル)-3-(2-イソプロポキシカルボニルアミノ-3-メチルブチリルアミノ)プロパノエート(EP-A 1028125)。
【０１１０】
さらに、活性成分(B)のB18)〜B32)群の市販の化合物を、数ある刊行物の中でも特に、The Pesticide Manual、第13版、British Crop Protection Council (2003)に見出すことができる。
【０１１１】
式「(Γ)1」のチアミドおよびその調製は、WO199828279に記載されている。
【０１１２】
レピメクチオンは、Agro Project, PJB Publications Ltd, November 2004から公知である。ベンクロチアズおよびその調製は、EP-A1 454621に記載されている。メチダチオンおよびパラオキソンならびにその調製は、Farm Chemicals Handbook, Volume 88, Meister Publishing Company, 2001に記載されている。アセトプロールおよびその調製は、WO199828277に記載されている。フルピラゾホスは、Pesticide Science 54, 1988, p. 237-243および米国特許第4822779号に記載されている。ピラフルプロールおよびその調製は、JP 2002193709およびWO200100614に記載されている。ピリプロールおよびその調製は、WO199845274および米国特許第6335357号に記載されている。アミドフルメットおよびその調製は、米国特許第6221890号およびJP 21010907に記載されている。フルフェネリムおよびその調製は、WO2003007717およびWO2003007718に記載されている。シフルメトフェンおよびその調製は、WO2004080180に記載されている。式「(Γ)5」のアントラニラミドおよびその調製は、WO200170671; WO200248137; WO200324222, WO200315518、WO200467528; WO200433468; およびWO2005118552に記載されている。
【０１１３】
本発明の一実施形態に従えば、活性成分(B)は、b/c1複合体のレベルでミトコンドリア呼吸鎖を阻害する活性化合物である。
【０１１４】
b/c1複合体のレベルでミトコンドリア呼吸鎖を阻害する活性化合物は、文献[例えば、Dechema-Monographien Bd. 129, 27-38, VCH Verlagsgemeinschaft Weinheim 1993; Natural Product Reports 1993, 565-574; Biochem. Soc. Trans. 22, 63S (1993)を参照されたい]から殺菌剤として知られる。
【０１１５】
b/c1複合体のレベルでミトコンドリア呼吸鎖を阻害する特に重要なクラスの活性化合物は、ストロビルリンである。ストロビルリンは、長い間、殺菌剤として一般的に知られていたが、いくつかの場合、殺虫剤としても記載されてきた(EP-A 178 826; EP-A 253 213; WO 93/15046; WO 95/18789; WO 95/21153; WO 95/21154; WO 95/24396; WO 96/01256; WO 97/15552; WO 97/27189)。b/c1複合体のレベルでミトコンドリア呼吸鎖を阻害する活性化合物のさらなる例は、ファモキサドン(5-メチル-5-(4-フェノキシフェニル)-3-(フェニルアミノ)-2,4-オキサゾリジンジオン)である。
【０１１６】
本発明のさらに好ましい実施形態においては、ストロビルリンを活性成分(B)として用いる。本発明に従えば、特に好適であると証明されているストロビルリンは、
1)式I：
【化３】
2010524483.tif 000006
[式中、
Xはハロゲン、C1-C4-アルキルもしくはトリフルオロメチルであり；
mは0もしくは1であり；
QはC(=CH-CH3)-COOCH3、C(=CH-OCH3)-COOCH3、C(=N-OCH3)-CONHCH3、C(=N-OCH3)-COOCH3、N(-OCH3)-COOCH3、もしくは基Q1：
【化４】
2010524483.tif 000007
(式中、#はフェニル環への結合を表す)
であり；
Aは、-O-B、-CH2O-B、-OCH2-B、-CH2S-B、-CH=CH-B、-C≡C-B、-CH2O-N=C(R1)-B、-CH2S-N=C(R1)-B、-CH2O-N=C(R1)-CH=CH-B、もしくは-CH2O-N=C(R1)-C(R2)=N-OR3であり、式中、
Bは、1、2もしくは3個のN原子および／もしくは1個のOもしくはS原子または1もしくは2個のOおよび／もしくはS原子を含み、環系が1、2もしくは3個のラジカルRaにより置換されていてもよい、フェニル、ナフチル、5員もしくは6員のヘテロアリールまたは5員もしくは6員のヘテロシクリルであり、
Raは、独立にシアノ、ニトロ、アミノ、アミノカルボニル、アミノチオカルボニル、ハロゲン、C1-C6-アルキル、C1-C6-ハロアルキル、C1-C6-アルキルカルボニル、C1-C6-アルキルスルホニル、C1-C6-アルキルスルフィニル、C3-C6-シクロアルキル、C1-C6-アルコキシ、C1-C6-ハロアルコキシ、C1-C6-アルキルオキシカルボニル、C1-C6-アルキルチオ、C1-C6-アルキルアミノ、ジ-C1-C6-アルキルアミノ、C1-C6-アルキルアミノカルボニル、ジ-C1-C6-アルキルアミノカルボニル、C1-C6-アルキルアミノチオカルボニル、ジ-C1-C6-アルキルアミノチオカルボニル、C2-C6-アルケニル、C2-C6-アルケニルオキシ、フェニル、フェノキシ、ベンジル、ベンジルオキシ、5員もしくは6員のヘテロシクリル、5員もしくは6員のヘテロアリール、5員もしくは6員のヘテロアリールオキシ、C(=NORa)-RbもしくはOC(Ra)2-C(Rb)=NORbであり、順に、環式ラジカルは1、2もしくは3個のラジカルRbにより置換されていてもよく:
Rbは、独立にシアノ、ニトロ、ハロゲン、アミノ、アミノカルボニル、アミノチオカルボニル、C1-C6-アルキル、C1-C6-ハロアルキル、C1-C6-アルキルスルホニル、C1-C6-アルキルスルフィニル、C3-C6-シクロアルキル、C1-C6-アルコキシ、C1-C6-ハロアルコキシ、C1-C6-アルコキシカルボニル、C1-C6-アルキルチオ、C1-C6-アルキルアミノ、ジ-C1-C6-アルキルアミノ、C1-C6-アルキルアミノカルボニル、ジ-C1-C6-アルキルアミノカルボニル、C1-C6-アルキルアミノチオカルボニル、ジ-C1-C6-アルキル-アミノチオカルボニル、C2-C6-アルケニル、C2-C6-アルケニルオキシ、C3-C6-シクロアルキル、C3-C6-シクロアルケニル、フェニル、フェノキシ、フェニルチオ、ベンジル、ベンジルオキシ、5員もしくは6員のヘテロシクリル、5員もしくは6員のヘテロアリール、5員もしくは6員のヘテロアリールオキシまたはC(=NORA)-RBであり；
RA、RBは独立に水素またはC1-C6-アルキルであり;
R1は、水素、シアノ、C1-C4-アルキル、C1-C4-ハロアルキル、C3-C6-シクロアルキル、C1-C4-アルコキシ、もしくはC1-C4-アルキルチオであり;
R2は、フェニル、フェニルカルボニル、フェニルスルホニル、5員もしくは6員のヘテロアリール、5員もしくは6員のヘテロアリールカルボニルまたは5員もしくは6員のヘテロアリールスルホニルであり、環系は1、2もしくは3個のラジカルRaにより置換されていてもよく；
C1-C10-アルキル、C3-C6-シクロアルキル、C2-C10-アルケニル、C2-C10-アルキニル、C1-C10-アルキルカルボニル、C2-C10-アルケニルカルボニル、C3-C10-アルキニルカルボニル、C1-C10-アルキルスルホニル、またはC(=NORa)-Rbであり、これらの基の炭化水素ラジカルは1、2もしくは3個のラジカルRcにより置換されていてもよく；
Rcは、独立にシアノ、ニトロ、アミノ、アミノカルボニル、アミノチオカルボニル、ハロゲン、C1-C6-アルキル、C1-C6-ハロアルキル、C1-C6-アルキルスルホニル、C1-C6-アルキルスルフィニル、C1-C6-アルコキシ、C1-C6-ハロアルコキシ、C1-C6-アルコキシカルボニル、C1-C6-アルキルチオ、C1-C6-アルキルアミノ、ジ-C1-C6-アルキルアミノ、C1-C6-アルキルアミノカルボニル、ジ-C1-C6-アルキルアミノカルボニル、C1-C6-アルキルアミノチオカルボニル、ジ- C1-C6-アルキルアミノチオカルボニル、C2-C6-アルケニル、C2-C6-アルケニルオキシ、C3-C6-シクロアルキル、C3-C6-シクロアルキルオキシ、5員もしくは6員のヘテロシクリル、5員もしくは6員のヘテロシクリルオキシ、ベンジル、ベンジルオキシ、フェニル、フェノキシ、フェニルチオ、5員もしくは6員のヘテロアリール、5員もしくは6員のヘテロアリールオキシおよびヘテロアリールチオであり、環式基については、順に、部分的もしくは完全にハロゲン化するか、またはそれらを1、2もしくは3個のラジカルRaに結合させることができ; ならびに
R3は、水素、C1-C6-アルキル、C2-C6-アルケニル、C2-C6-アルキニルであり、これらの基の炭化水素ラジカルは1、2もしくは3個のラジカルRcにより置換されていてもよい]
の化合物; ならびに
2)ストロビルリン(2-クロロ-5-[1-(3-メチル-ベンジルオキシイミノ)-エチル]-ベンジル)-カルバミン酸メチルエステル、(2-クロロ-5-[1-(6-メチル-ピリジン-2-イルメトキシイミノ)-エチル]-ベンジル)-カルバミン酸メチルエステルおよび2-(オルト-((2,5-ジメチルフェニル-オキシメチレン)フェニル)-3-メトキシ-アクリル酸メチルエステル、
から選択される。
【０１１７】
式Iの化合物は、長い間、殺菌剤として一般的に知られている(上記参考文献を参照)。
【０１１８】
上記で引用された刊行物は、本発明に従う方法において用いられるストロビルリンの調製のための合成経路を記載しており、その開示は参照により本明細書に組み入れられるものとする。
【０１１９】
本発明に従う特に好ましいものは、以下の意味の置換基を有するストロビルリンであり、それぞれの事例において、または組み合わせて、引用された公報の開示は参照により本明細書に組み入れられるものとする。
【０１２０】
本発明の1つの好ましい実施形態においては、式I(式中、QはN(-OCH3)-COOCH3である)の好ましいストロビルリンは、公報WO 93/15046およびWO 96/01256に記載された化合物である。
【０１２１】
本発明の別の好ましい実施形態においては、式I(式中、QはC(=CH-OCH3)-COOCH3である)の好ましいストロビルリンは、公報EP-A 178 826およびEP-A 278 595に記載の化合物である。
【０１２２】
本発明の別の好ましい実施形態においては、式I(式中、QはC(=N-OCH3)-COOCH3である)の好ましいストロビルリンは、公報EP-A 253 213およびEP-A 254 426に記載の化合物である。
【０１２３】
本発明の別の好ましい実施形態においては、式I(式中、QはC(=N-OCH3)-CONHCH3である)の好ましいストロビルリンは、公報EP-A 398 692、EP-A 477 631およびEP-A 628 540に記載の化合物である。
【０１２４】
本発明の別の好ましい実施形態においては、式I(式中、QはC(=CH-CH3)-COOCH3である)の好ましいストロビルリンは、公報EP-A 280 185およびEP-A 350 691に記載の化合物である。
【０１２５】
本発明の別の好ましい実施形態においては、式I(式中、Qは-CH2O-N=C(R1)-Bである)の好ましいストロビルリンは、公報EP-A 460 575およびEP-A 463 488に記載の化合物である。
【０１２６】
本発明の別の好ましい実施形態においては、式I(式中、Aは-O-Bである)の好ましいストロビルリンは、公報EP-A 382 375およびEP-A 398 692に記載の化合物である。
【０１２７】
本発明の別の好ましい実施形態においては、式I(式中、Aは-CH2O-N=C(R1)-C(R2)=N-OR3である)の好ましいストロビルリンは、公報WO 95/18789、WO 95/21153、WO 95/21154、WO 97/05103およびWO 97/06133に記載の化合物である。
【０１２８】
特に好ましいのは、式I
[式中、
QはN(-OCH3)-COOCH3であり、
AはCH2-O-であり、および
Bは3-ピラゾリルもしくは1,2,4-トリアゾリル(式中、Bには、
・ハロゲン、メチルおよびトリフルオロメチルならびに
・1〜3個のラジカルRbにより置換された、フェニルおよびピリジル、特に、2-ピリジル、
の群より選択される1もしくは2個の置換基が結合されている)である]
のストロビルリンである。
【０１２９】
これらの活性成分は、式II：
【化５】
2010524483.tif 000008
(式中、Tは炭素もしくは窒素原子であり、Ra'は独立にハロゲン、メチルおよびトリフルオロメチルから選択され、yは0、1もしくは2であり、Rbは式Iについて定義された通りであり、xは0、1、2、3もしくは4である)
により記載される。
【０１３０】
より好ましい活性成分は、式II'：
【化６】
2010524483.tif 000009
(式中、Rbは式Iについて定義された通りである)
のものである。
【０１３１】
本発明の別の実施形態に従えば、活性成分(B)は、B2)群から選択されるカルボン酸アミドである。
【０１３２】
本発明の別の実施形態に従えば、活性成分(B)は、B3)群から選択されるアゾールである。
【０１３３】
本発明の別の実施形態に従えば、活性成分(B)は、B4)群から選択される窒素含有ヘテロ環化合物である。
【０１３４】
本発明の別の実施形態に従えば、活性成分(B)は、B5)群から選択されるカルバメートまたはチオカルバメートである。
【０１３５】
本発明の別の実施形態に従えば、活性成分(B)は、B6)群から選択されるグアニジンである。
【０１３６】
本発明の別の実施形態に従えば、活性成分(B)は、B7)群から選択される抗生物質である。
【０１３７】
本発明の別の実施形態に従えば、活性成分(B)は、フェンチン塩である。
【０１３８】
本発明の別の実施形態に従えば、活性成分(B)は、イソプロチオランまたはジチアノンである。
【０１３９】
本発明の別の実施形態に従えば、活性成分(B)は、B10)群から選択される有機リン化合物である。
【０１４０】
本発明の別の実施形態に従えば、活性成分(B)は、B11)群から選択される有機クロロ化合物である。
【０１４１】
本発明の別の実施形態に従えば、活性成分(B)は、B12)群から選択されるニトロフェニル誘導体である。
【０１４２】
本発明の別の実施形態に従えば、活性成分(B)は、B13)群から選択される無機成分である。
【０１４３】
本発明の別の実施形態に従えば、活性成分(B)は、スピロキサミンである。
【０１４４】
本発明の別の実施形態に従えば、活性成分(B)は、シフルフェナミドである。
【０１４５】
本発明の別の実施形態に従えば、活性成分(B)は、シモキサニルである。
【０１４６】
本発明の別の実施形態に従えば、活性成分(B)は、メトラフェノンである。
【０１４７】
本発明のさらに別の好ましい実施形態に従えば、活性成分(B)は、(EZ)-3-(2-クロロ-1,3-チアゾール-5-イルメチル)-5-メチル-1,3,5-オキサジアジナン-4-イルイデン(ニトロ)アミン(チアメトキサム)である。
【０１４８】
本発明のさらに別の好ましい実施形態に従えば、活性成分(B)は、5-アミノ-1-(2,6-ジクロロ-α,α,α-トリフルオロ-p-トリル)-4-トリフルオロメチルスルフィニルピラゾール-3-カルボニトリル(フィプロニル)である。
【０１４９】
本発明のさらに別の好ましい実施形態に従えば、活性成分(B)は、(EZ)-1-(6-クロロ-3-ピリジルメチル)-N-ニトロイミダゾリジン-2-イルイデンアミン(イミダクロプリット)である。
【０１５０】
本発明のさらに別の好ましい実施形態に従えば、活性成分(B)は、
殺菌剤：
アニリド、好ましくは、イソピラザム、
N-(2-ビシクロプロピル-2-イル-フェニル)-3-ジフルオロメチル-1-メチル-1H-ピラゾール-4-カルボン酸アミド、
N-(トランス-2-ビシクロプロピル-2-イル-フェニル)-3-ジフルオロメチル-1-メチル-1H-ピラゾール-4-カルボン酸アミド、
N-(シス-2-ビシクロプロピル-2-イル-フェニル)-3-ジフルオロメチル-1-メチル-1H-ピラゾール-4-カルボン酸アミド、
N-(2-(1,3-ジメチル-ブチル)-フェニル)-1,3-ジメチル-5-フルオロ-1H-ピラゾール-4-カルボン酸アミド、
3-ジフルオロメチル-1-メチル-1H-ピラゾール-4-カルボン酸(2',4'-ジフルオロビフェニル-2-イル)-アミド、
3-ジフルオロメチル-1-メチル-1H-ピラゾール-4-カルボン酸(2',4'-ジクロロビフェニル-2-イル)-アミド、
3-ジフルオロメチル-1-メチル-1H-ピラゾール-4-カルボン酸(3',4'-ジフルオロビフェニル-2-yl)-アミド、
3-ジフルオロメチル-1-メチル-1H-ピラゾール-4-カルボン酸(3',4'-ジクロロビフェニル-2-イル)-アミド、
3-ジフルオロメチル-1-メチル-1H-ピラゾール-4-カルボン酸(3',5'-ジフルオロビフェニル-2-イル)-アミド、
3-ジフルオロメチル-1-メチル-1H-ピラゾール-4-カルボン酸(3',5'-ジクロロビフェニル-2-イル)-アミド、
3-ジフルオロメチル-1-メチル-1H-ピラゾール-4-カルボン酸(3',4',5'-トリフルオロビフェニル-2-イル)-アミド、
フルオピラム、5-アミノ-2-イソプロピル-3-オキソ-4-オルト-トリル-2,3-ジヒドロ-ピラゾール-1-カルボチオン酸S-アリルエステル、
N’-(4-(4-クロロ-3-トリフルオロメチル-フェノキシ)-2,5-ジメチル-フェニル)-N-エチル-N-メチルホルムアミジン、
N’-(4-(4-フルオロ-3-トリフルオロメチル-フェノキシ)-2,5-ジメチル-フェニル)-N-エチル-N-メチルホルムアミジン、
N’-(2-メチル-5-トリフルオロメチル-4-(3-トリメチルシラニル-プロポキシ)-フェニル)-N-エチル-N-メチルホルムアミジン、
N’-(5-ジフルオロメチル-2-メチル-4-(3-トリメチルシラニル-プロポキシ)-フェニル)-N-エチル-N-メチルホルムアミジン、
からなる群より選択される。
【０１５１】
本発明のさらに別の好ましい実施形態に従えば、活性成分(B)は、PGR：アブシジン酸、アミドクロル、アンシミドール、6-ベンジルアミノプリン、ブラシノリド、ブトラリン、塩化コリン、シクラニリド、ダミノジド、ジケグラク、ジメチピン、2,6-ジメチルプリジン、エテフォン、フルメトラリン、フルルプリミドール、フルチアセット、フォルクロルフェヌロン、ジベレリン酸、イナベンフィド、インドール-3-酢酸、マレイン酸ヒドラジド、メフルイジド、ナフタレン酢酸、N-6-ベンジルアデニン、パクロブトラゾール、プロヒドロジャスモン、チジアズロン、トリアペンテノール、トリブチルホスホロチオエート、2,3,5-トリヨード安息香酸、ユニコナゾールからなる群より選択される。
【０１５２】
本発明のさらに別の好ましい実施形態に従えば、活性成分(B)は、殺虫剤：アセフェート、クロルピリホス、ジアジノン、ジクロルボス、ジメトエート、フェニトロチオン、メタミドホス、メチダチオン、メチル-パラチオン、モノクロトホス、ホレート、プロフェノホス、テルブホス、アルジカルブ、カルバリル、カルボフラン、カルボスルファン、メトミル、チオジカルブ、ビフェントリン、シフルトリン、シペルメトリン、α-シペルメトリン、ζ-シペルメトリン、デルタメトリン、エスフェンバレレート、λ-シハロトリン、ペルメトリン、テフルトリン、ジフルベンズロン、フルフェノクスロン、ルフェヌロン、テフルベンズロン、スピロテトラマット、クロチアニジン、ジノテフラン、イミダクロプリド、チアメトキサム、アセタミプリド、チアクロプリド、エンドスルファン、フィプロニル、アバメクチン、エマメクチン、スピノサッド、スピネトラム、ヒドラメチルノン、クロルフェナピル、フェンブタチンオキシド、インドキサカルブ、メタフルミゾン、フロニカミド、フルベンジアミド、クロラントラニリプロール、シアジピル(HGW86)、シフルメトフェン、最も好ましくは、アセフェート、クロルピリホス、ジメトエート、メタミドホス、テルブホス、アルジカルブ、カルボフラン、ビフェントリン、シペルメトリン、α-シペルメトリン、デルタメトリン、λ-シハロトリン、テフルトリン、フルフェノクスロン、テフルベンズロン、スピロテトラマット、クロチアニジン、イミダクロプリド、チアメトキサム、エンドスルファン、フィプロニル、アバメクチン、スピノサッド、スピネトラム、ヒドラメチルノン、クロルフェナピル、インドキサカルブ、メタフルミゾン、フルベンジアミド、クロラントラニリプロール、シアジピル(HGW86)、シフルメトフェンからなる群より選択される。
【０１５３】
本発明のさらに別の好ましい実施形態に従えば、活性成分(B)は、殺菌剤：アゾキシストロビン、ビキサフェン、ボスカリド、イソピラザム、メタラキシル、ペンチオピラド、3-ジフルオロメチル-1-メチル-1H-ピラゾール-4-カルボン酸(2',4',5'-トリフルオロビフェニル-2-イル)-アミド、N-(2-ビシクロプロピル-2-イル-フェニル)-3-ジフルオロメチル-1-メチル-1H-ピラゾール-4-カルボン酸アミド、ジメトモルフ、フルオピコリド、ジフェノコナゾール、エポキシコナゾール、フルキンコナゾール、フルシラゾール、フルトリアホル、メトコナゾール、ミクロブタニル、プロピコナゾール、プロチオコナゾール、テブコナゾール、テトラコナゾール、トリチコナゾール、プロクロラズ、カルベンダジム、フルアジナム、シプロジニル、ピリメタニル、フルジオキソニル、ドデモルフ、フェンプロピモルフ、トリデモルフ、フェンプロピジン、イプロジオン、ビンクロゾリン、ファモキサドン、プロベナゾール、カプタン、フォルペット、5-エチル-6-オクチル-[1,2,4]トリアゾロ[1,5-a]ピリミジン-7-イルアミン、マンコゼブ、マネブ、メチラム、チラム、ジチアノン、フォセチル、フォセチル-アルミニウム、クロロタロニル、チオファネートメチル、シモキサニル、メトラフェノン、スピロキサミン、最も好ましくは、アゾキシストロビン、ジモキシストロビン、クレソキシム-メチル、オリザストロビン、ピラクロストロビン、トリフロキシストロビン、ビキサフェン、ボスカリド、イソピラザム、メタラキシル、ペンチオピラド、3-ジフルオロメチル-1-メチル-1H-ピラゾール-4-カルボン酸(2',4',5'-トリフルオロビフェニル-2-イル)-アミド、ジメトモルフ、ジフェノコナゾール、エポキシコナゾール、フルキンコナゾール、メトコナゾール、プロピコナゾール、プロチオコナゾール、テブコナゾール、トリチコナゾール、プロクロラズ、カルベンダジム、シプロジニル、ピリメタニル、フェンプロピモルフ、トリデモルフ、イプロジオン、5-エチル-6-オクチル-[1,2,4]トリアゾロ[1,5-a]ピリミジン-7-イルアミン、マンコゼブ、マネブ、メチラム、ジチアノン、クロロタロニル、チオファネートメチル、シモキサニル、メトラフェノンからなる群より選択される。本発明のさらに別の好ましい実施形態に従えば、活性成分(B)は、N-(3',4',5'-トリフルオロビフェニル-2-イル)-3-ジフルオロメチル-1-メチル-1H-ピラゾール-4-カルボキサミド、N-[2-(4'-トリフルオロメチルチオ)-ビフェニル]-3-ジフルオロメチル-1-メチル-1H-ピラゾール-4-カルボキサミド、N-[2-(1,3-ジメチルブチル)-フェニル]-1,3-ジメチル-5-フルオロ-1H-ピラゾール-4-カルボキサミド、N-(2-ビシクロプロピル-2-イル-フェニル)-3-ジフルオロメチル-1-メチル-1H-ピラゾール-4-カルボキサミド、N-(シス-2-ビシクロプロピル-2-イル-フェニル)-3-ジフルオロメチル-1-メチル-1H-ピラゾール-4-カルボキサミド、N-(トランス-2-ビシクロプロピル-2-イル-フェニル)-3-ジフルオロメチル-1-メチル-1H-ピラゾール-4-カルボキサミド、N-[1,2,3,4-テトラヒドロ-9-(1-メチルエチル)-1,4-メタノナフタレン-5-イル]-3-(ジフルオロメチル)-1-メチル-1H-ピラゾール-4-カルボキサミドからなる群より選択される。
【０１５４】
本発明のさらに別の好ましい実施形態に従えば、活性成分(B)は、除草剤：アセトクロル、ジメテナミド、メトラクロル、メタザクロル、グリホセート、グルホシネート、スルホセート、クロジナホプ、フェノキサプロプ、フルアジホプ、ハロキシホプ、パラコート、フェンメジファム、クレトジム、シクロキシジム、プロホキシジム、セトキシジム、テプラロキシジム、ペンジメタリン、トリフルラリン、アシフルオルフェン、ブロモキシニル、イマザメタベンズ、イマザモックス、イマザピク、イマザピル、イマザキン、イマゼタピル、2,4-D、クロリダゾン、クロピラリド、フルロキシピル、ピクロラム、ピコリナフェン、ベンスルフロン、クロリムロンエチル、シクロスルファムロン、ヨードスルフロン、メソスルフロン、メツルフロン-メチル、ニコスルフロン、リムスルフロン、トリフルスルフロン、アトラジン、ヘキサジノン、ジウロン、フロラスラム、ピロキサスルホン、ベンタゾン、シニドン-エチル、シンメチリン、ジカンバ、ジフルフェンゾピル、キンクロラク、キンメラク、メソトリオン、サフルフェナシル、トプラメゾン、最も好ましくは、アセトクロル、ジメテナミド、メトラクロル、メタザクロル、グリホセート、グルホシネート、スルホセート、フェノキサプロプ、パラコート、シクロキシジム、プロホキシジム、セトキシジム、テプラロキシジム、ペンジメタリン、アシフルオルフェン、イマザメタベンズ、イマザモックス、イマザピク、イマザピル、イマザキン、イマゼタピル、2,4-D、クロリダゾン、ピクロラム、ピコリナフェン、シクロスルファムロン、トリフルスルフロン、アトラジン、ピロキサスルホン、ベンタゾン、シニドン-エチル、シンメチリン、ジカンバ、ジフルフェンゾピル、キンクロラク、キンメラク、メソトリオン、サフルフェナシル、トプラメゾンからなる群より選択される。
【０１５５】
一実施形態においては、それぞれ、表Ｂ、第1列、第1、5、7、10、11、12、16、19、20、21、23、25、27、28、30、31、33、37、39、40、42、43、91、105、107、112、150、159、164、165、166、167、168、169、170、171、172、173、174、175、176、177、178、182、186、187、188、189、190、194、196、203、204、205、206、207、209、210、211、213行に記載の遺伝子の発現が増加した、もしくは生成された植物に対応する、それぞれ、表Ｂ、第3列、第1、5、7、10、11、12、16、19、20、21、23、25、27、28、30、31、33、37、39、40、42、43、91、105、107、112、150、159、164、165、166、167、168、169、170、171、172、173、174、175、176、177、178、182、186、187、188、189、190、194、196、203、204、205、206、207、209、210、211、213行に示される配列番号に従うポリペプチドの活性が増加したか、もしくは生成された植物に対応する、表Ｂ、第5列、第1、5、7、10、11、12、16、19、20、21、23、25、27、28、30、31、33、37、39、40、42、43、91、105、107、112、150、159、164、165、166、167、168、169、170、171、172、173、174、175、176、177、178、182、186、187、188、189、190、194、196、203、204、205、206、207、209、210、211、213行に示される活性を有するポリペプチドの活性が増加したか、もしくは生成された対応する野生型植物と比較して、少なくとも1つのトランスジェニック改変を有するトランスジェニック植物の群から選択される植物と、
表Ｃに詳細に記載される、
アセフェート、クロルピリホス、ジアジノン、ジクロルボス、ジメトエート、フェニトロチオン、メタミドホス、メチダチオン、メチル-パラチオン、モノクロトホス、ホレート、プロフェノホス、テルブホス、アルジカルブ、カルバリル、カルボフラン、カルボスルファン、メトミル、チオジカルブ、ビフェントリン、シフルトリン、シペルメトリン、α-シペルメトリン、ζ-シペルメトリン、デルタメトリン、エスフェンバレレート、λ-シハロトリン、ペルメトリン、テフルトリン、ジフルベンズロン、フルフェノクスロン、ルフェヌロン、テフルベンズロン、スピロテトラマット、クロチアニジン、ジノテフラン、イミダクロプリド、チアメトキサム、アセタミプリド、チアクロプリド、エンドスルファン、フィプロニル、アバメクチン、エマメクチン、スピノサッド、スピネトラム、ヒドラメチルノン、クロルフェナピル、フェンブタチンオキシド、インドキサカルブ、メタフルミゾン、フロニカミド、フルベンジアミド、クロラントラニリプロール、シアジピル(HGW86)、シフルメトフェン、
アゾキシストロビン、ジモキシストロビン、クレソキシム-メチル、オリザストロビン、ピラクロストロビン、トリフロキシストロビン、ビキサフェン、ボスカリド、イソピラザム、メタラキシル、ペンチオピラド、3-ジフルオロメチル-1-メチル-1H-ピラゾール-4-カルボン酸(2',4',5'-トリフルオロビフェニル-2-イル)-アミド、N-(2-ビシクロプロピル-2-イル-フェニル)-3-ジフルオロメチル-1-メチル-1H-ピラゾール-4-カルボン酸アミド、ジメトモルフ、フルオピコリド、ジフェノコナゾール、エポキシコナゾール、フルキンコナゾール、フルシラゾール、フルトリアホル、メトコナゾール、ミクロブタニル、プロピコナゾール、プロチオコナゾール、テブコナゾール、テトラコナゾール、トリチコナゾール、プロクロラズ、カルベンダジム、フルアジナム、シプロジニル、ピリメタニル、フルジオキソニル、ドデモルフ、フェンプロピモルフ、トリデモルフ、フェンプロピジン、イプロジオン、ビンクロゾリン、ファモキサドン、プロベナゾール、カプタン、フォルペット、5-エチル-6-オクチル-[1,2,4]トリアゾロ[1,5-a]ピリミジン-7-イルアミン、マンコゼブ、マネブ、メチラム、チラム、ジチアノン、フォセチル、フォセチル-アルミニウム、クロロタロニル、チオファネートメチル、シモキサニル、メトラフェノン、スピロキサミン、
からなる群より選択される有効量のいずれかの活性成分を用いる処理とを組み合わせる。
【０１５６】
本発明の一実施形態においては、トランスジェニック改変の組合せ、例えば、植物における増加した、もしくは生成された活性と、活性成分とを表Ｃに記載する。
【０１５７】
一実施形態においては、2、3、4、5、6、7、8、9、10個以上の上記活性成分を、前記処理のために同時に用いる。
【０１５８】
一実施形態においては、それぞれ、表Ｂ、第1列、第1、5、7、10、11、12、16、19、20、21、23、25、27、28、30、31、33、37、39、40、42、43、91、105、107、112、150、159、164、165、166、167、168、169、170、171、172、173、174、175、176、177、178、182、186、187、188、189、190、194、196、203、204、205、206、207、209、210、211、213行に記載の遺伝子の発現が増加した、もしくは生成された植物に対応する、それぞれ、表Ｂ、第3列、第1、5、7、10、11、12、16、19、20、21、23、25、27、28、30、31、33、37、39、40、42、43、91、105、107、112、150、159、164、165、166、167、168、169、170、171、172、173、174、175、176、177、178、182、186、187、188、189、190、194、196、203、204、205、206、207、209、210、211、213行に示される配列番号に従うポリペプチドの活性が増加したか、もしくは生成された植物に対応する、表Ｂ、第5列、第1、5、7、10、11、12、16、19、20、21、23、25、27、28、30、31、33、37、39、40、42、43、91、105、107、112、150、159、164、165、166、167、168、169、170、171、172、173、174、175、176、177、178、182、186、187、188、189、190、194、196、203、204、205、206、207、209、210、211、213行に示される活性を有するポリペプチドの活性が増加したか、もしくは生成された対応する野生型植物と比較して、少なくとも1つのトランスジェニック改変を有するトランスジェニック植物の群から選択される植物と、
フィプロニルおよびピラクロストロビンからなる群より選択される有効量のいずれかの活性成分を用いる処理とを組み合わせる。
【０１５９】
成分(A)が上記で定義された硫酸化グルカンである場合、活性成分(B)は活性成分マネブであってもよい。
【０１６０】
別の態様においては、本発明は、海草由来の抽出物と農薬とを含む組成物に関する。海草抽出物を、参照により本明細書に組み入れられるものとするWO 93/06730に記載の方法に従って取得するのが好ましい。特に、該抽出物を、特に、フェオフィセア(Phaeophyseae)型(特に、フカレス(Fucales)またはラミナリアレス(Laminariales))に由来する褐藻類から取得する。一般的には、抽出を、アルカリ金属水素化ホウ素などの還元剤の存在下でそれぞれの海草を塩基加水分解することにより達成することができる。次いで、得られる加水分解物を、例えば、強酸の添加により、約6〜8のpHに中和する。生成物を濾過し、必要に応じて、透析濾過するか、または電気透析を実行してもよい(WO 93/06730を参照)。
【０１６１】
本発明に従う1種以上の上記活性成分(B)と共に、農薬の以下の一覧Mを使用し、潜在的な相乗効果をもたらすことができるが、この一覧はいかなる制限も強いるものではなく、可能な組合せを例示することを意図するものである：
M.1. 有機(チオ)ホスフェート：アセフェート、アザメチホス、アジンホス-エチル、アジンホス-メチル、クロレトキシホス、クロルフェンビンホス、クロルメホス、クロルピリホス、クロルピリホス-メチル、コウマホス、シアノホス、デメトン-S-メチル、ジアジノン、ジクロルボス／DDVP、ジクロトホス、ジメトエート、ジメチルビンホス、ジスルホトン、EPN、エチオン、エトプロホス、ファムフル、フェナミホス、フェニトロチオン、フェンチオン、フルピラゾホス、フォスチアゼート、ヘプテノホス、イソキサチオン、マラチオン、メカルバム、メタミドホス、メチダチオン、メビンホス、モノクロトホス、ナレド、オメトエート、オキシデメトン-メチル、パラチオン、パラチオン-メチル、フェントエート、ホレート、ホサロン、ホスメット、ホスファミドン、ホキシム、ピリミホス-メチル、プロフェノホス、プロペタムホス、プロチオホス、ピラクロホス、ピリダフェンチオン、キナルホス、スルホテップ、テブピリムホス、テメホス、テルブホス、テトラクロルビンホス、チオメトン、トリアゾホス、トリクロルホン、バミドチオン；
M.2. カルバメート：アルジカルブ、アラニカルブ、ベンジオカルブ、ベンフルラカルブ、ブトカルボキシム、ブトキシカルボキシム、カルバリル、カルボフラン、カルボスルファン、エチオフェンカルブ、フェノブカルブ、フォルメタナート、フラチオカルブ、イソプロカルブ、メチオカルブ、メトミル、メトルカルブ、オキサミル、ピリミカルブ、プロポクスル、チオジカルブ、チオファノックス、トリメタカルブ、XMC、キシリルカルブ、トリアザメート；
M.3. ピレトロイド：アクリナトリン、アレトリン、d-シス-トランスアレトリン、d-トランスアレトリン、ビフェントリン、ビオアレトリン、ビオアレトリンS-シクロペンテニル、ビオレスメトリン、シクロプロトリン、シフルトリン、β-イフルトリン、シハロトリン、λ-シハロトリン、γ-シハロトリン、シペルメトリン、α-シペルメトリン、β-シペルメトリン、θ-シペルメトリン、ζ-シペルメトリン、シフェノトリン、デルタメトリン、エンペトリン、エスフェンバレレート、エトフェンプロックス、フェンプロパトリン、フェンバレラート、フルシトリナート、フルメトリン、τ-フルバリナート、ハルフェンプロックス、イミプロトリン、ペルメトリン、フェノトリン、プラレトリン、レスメトリン、RU 15525、シラフルオフェン、テフルトリン、テトラメトリン、トラロメトリン、トランスフルトリン、ZXI 8901；
M.4. 幼若ホルモン模倣物質：ヒドロプレン、キノプレン、メトプレン、フェノキシカルブ、ピリプロキシフェン；
M.5. ニコチン受容体アゴニスト／アンタゴニスト化合物：アセタミプリド、ベンスルタップ、塩酸カルタップ、クロチアニジン、ジノテフラン、イミダクロプリド、チアメトキサム、ニテンピラム、ニコチン、スピノサッド(アロステリックアゴニスト)、チアクロプリド、チオシクラム、チオするタップ-ナトリウムおよびAKD1022；
M.6. GABA依存塩化物チャンネルアンタゴニスト化合物：クロルダン、エンドスルファン、γ-HCH(リンダン)；アセトプロール、エチオプロール、フィプロニル、ピラフルプロール、ピリプロール、バニリプロール、式M6.1：
【化７】
2010524483.tif 000010
のフェニルピラゾール化合物；
M.7. 塩化物チャンネルアクチベーター：アバメクチン、エマメクチン安息香酸、ミルベメクチン、レピメクチン；
M.8. METI I化合物：フェナザキン、フェンピロキシメート、ピリミジフェン、ピリダベン、テブフェンピラド、トルフェンピラド、フルフェネリム、ロテノン；
M.9. METI IIおよびIII化合物：アセキノシル、フルアシプリム、ヒドラメチルノン；
M.10. 酸化的リン酸化の脱共役剤：クロルフェナピル、DNOC；
M.11. 酸化的リン酸化の阻害剤：アゾシクロチン、シヘキサチン、ジアフェンチウロン、フェンブタチンオキシド、プロパルジット、テトラジフォン；
M.12. 脱皮破壊剤：シロマジン、クロマフェノジド、ハロフェノジド、メトキシフェノジド、テブフェノジド；
M.13. 相乗作用物質：ピペロニルブトキシド、トリブホス；
M.14. ナトリウムチャンネル遮断化合物：インドキサカルブ、メタフルミゾン；
M.15. 燻蒸剤：メチルブロミド、クロロピクリンスルフリルフルオリド；
M.16. 選択的摂食阻害剤：クリロチ、ピメトロジン、フロニカミド；
M.17. ダニ増殖阻害剤：クロフェンテジン、ヘキシチアゾックス、エトキサゾール；
M.18. キチン合成阻害剤：ブプロフェジン、ビストリフルロン、クロルフルアズロン、ジフルベンズロン、フルシクロクスロン、フルフェノクスロン、ヘキサフルムロン、ルフェヌロン、ノバルロン、ノビフルムロン、テフルベンズロン、トリフルムロン；
M.19. 脂質生合成阻害剤：スピロジクロフェン、スピロメシフェン、スピロテトラマット；
M.20. オクトパミン作動性アゴニスト：アミトラズ；
M.21. ライアノジン受容体モジュレーター：フルベンジアミド；
M.22. 種々のもの：リン化アルミニウム、アミドフルメット、ベンクロチアズ、ベンゾキシメート、ビフェナゼート、ボラックス、ブロモプロピレート、シアニド、シエノピラフェン、シフルメトフェン、キノメチオネート、ジコフォール、フルオロアセテート、ホスフィン、ピリダリル、ピリフルキナゾン、硫黄、有機硫黄化合物、吐酒石；ピリミジニルアルキニルエーテル化合物M22.1もしくはチアジアゾリルアルキニルエーテル化合物M22.2：
【化８】
2010524483.tif 000011
(式中、RM-22はメチルもしくはエチルであり、Het*は3,3-ジメチルピロリジン-1-イル、3-メチルピペリジン-1-イル、3,5-ジメチルピペリジン-1-イル、3-トリフルオロメチルピペリジン-1-イル、ヘキサヒドロアゼピン-1-イル、2,6-ジメチルヘキサヒドロアゼピン-1-イルもしくは2,6-ジメチルモルホリン-4-イルである)；
M.23. N-R'-2,2-ジハロ-1-R''シクロ-プロパンカルボキサミド-2-(2,6-ジクロロ-α,α,α-トリフルオロ-p-トリル)ヒドラゾンまたはN-R'-2,2-ジ(R''')プロピオンアミド-2-(2,6-ジクロロ-α,α,α-トリフルオロ-p-トリル)ヒドラゾン(式中、R'はメチルもしくはエチルであり、ハロはクロロもしくはブロモであり、R''は水素もしくはメチルであり、R'''はメチルもしくはエチルである)；
M.24. アントラニルアミド：クロラントラニリプロール、式M24.1：
【化９】
2010524483.tif 000012
の化合物；
M.25. マロノニトリル化合物：CF2HCF2CF2CF2CH2C(CN)2CH2CH2CF3(2-(2,2,3,3,4,4,5,5-オクタフルオロペンチル)-2-(3,3,3-トリフルオロ-プロピル)マロノニトリル)、CF3(CH2)2C(CN)2CH2(CF2)5CF2H、(2-(2,2,3,3,4,4,5,5,6,6,7,7-ドデカフルオロ-ヘプチル)-2-(3,3,3-トリフルオロ-プロピル)-マロノニトリル)、CF3(CH2)2C(CN)2(CH2)2C(CF3)2F (2-(3,4,4,4-テトラフルオロ-3-トリフルオロメチル-ブチル)-2-(3,3,3-トリフルオロ-プロピル)-マロノニトリル)、CF3(CH2)2C(CN)2(CH2)2(CF2)3CF3 (2-(3,3,4,4,5,5,6,6,6-ノナフルオロ-ヘキシル)-2-(3,3,3-トリフルオロ-プロピル)-マロノニトリル)、CF2H(CF2)3CH2C(CN)2CH2(CF2)3CF2H (2,2-ビス-(2,2,3,3,4,4,5,5-オクタフルオロ-ペンチル)-マロノニトリル)、CF3(CH2)2C(CN)2CH2(CF2)3CF3 (2-(2,2,3,3,4,4,5,5,5-ノナフルオロ-ペンチル)-2-(3,3,3-トリフルオロ-プロピル)-マロノニトリル)、CF3(CF2)2CH2C(CN)2CH2(CF2)3CF2H (2-(2,2,3,3,4,4,4-ヘプタフルオロ-ブチル)-2-(2,2,3,3,4,4,5,5-オクタフルオロ-ペンチル)-マロノニトリル)、CF3CF2CH2C(CN)2CH2(CF2)3CF2H (2-(2,2,3,3,4,4,5,5-オクタフルオロ-ペンチル)-2-(2,2,3,3,3-pentaフルオロ-プロピル)-マロノニトリル)、CF2HCF2CF2CF2CH2C(CN) 2CH2CH2CF2CF3 (2-(2,2,3,3,4,4,5,5-オクタフルオロペンチル)-2-(3,3,4,4,4-ペンタフルオロブチル)-マロノジニトリル)、CF3(CH2)2C(CN)2CH2(CF2)3CF2H (2-(2,2,3,3,4,4,5,5-オクタフルオロペンチル)-2-(3,3,3-トリフルオロ-ブチル)-マロノニトリル);
M.26. 微生物破壊剤：バチルス・サーリンギエンシス亜種イスラエレンシ(Bacillus thuringiensis subsp. Israelensi)、バチルス・スフェリクス(Bacillus sphaericus)、バチルス・サーリンギエンシス亜種アイザワイ(Bacillus thuringiensis subsp. Aizawai)、バチルス・サーリンギエンシス亜種クルスタキ(Bacillus thuringiensis subsp. Kurstaki)、バチルス・サーリンギエンシス亜種テネブリオニス(Bacillus thuringiensis subsp. Tenebrionis)。
【０１６２】
M群の市販の化合物を、数ある刊行物の中でも特に、The Pesticide Manual、第13版、British Crop Protection Council (2003)に見出すことができる。
【０１６３】
式M6.1のチオアミドおよびその調製は、WO 98/28279に記載されている。レピメクチンは、Agro Project, PJB Publications Ltd, November 2004から公知である。ベンクロチアズおよびその調製は、EP-A1 454621に記載されている。メチダチオンおよびパラオキソンならびにその調製は、Farm Chemicals Handbook, Volume 88, Meister Publishing Company, 2001に記載されている。アセトプロールおよびその調製は、WO 98/28277に記載されている。メタフルミゾンおよびその調製は、EP-A1 462 456に記載されている。フルピラゾホスは、Pesticide Science 54, 1988, p. 237-243および米国特許第4822779号に記載されている。ピラフルプロールおよびその調製は、JP 2002193709およびWO 01/00614に記載されている。ピリプロールおよびその調製は、WO 98/45274および米国特許第6335357号に記載されている。アミドフルメットおよびその調製は、米国特許第6221890号およびJP 21010907に記載されている。フルフェネリムおよびその調製は、WO 03/007717およびWO 03/007718に記載されている。AKD 1022およびその調製は、米国特許第6300348号に記載されている。クロラントラニリプロールは、WO 01/70671、WO 03/015519およびWO 05/118552に記載されている。式M24.1のアントラニラミド誘導体は、WO 01/70671、WO 04/067528およびWO 05/118552に記載されている。シフルメトフェンおよびその調製は、WO 04/080180に記載されている。アミノキナゾリノン化合物ピリフルキナゾンは、EP-A 109 7932に記載されている。アルキニルエーテル化合物M22.1およびM22.2は、例えば、JP 2006131529に記載されている。有機硫黄化合物は、WO 2007060839に記載されている。マロノニトリル化合物は、WO 02/089579、WO 02/090320、WO 02/090321、WO 04/006677、WO 05/068423、WO 05/068432およびWO 05/063694に記載されている。
【０１６４】
本発明のこの態様に従って用いることができる農薬を、殺菌剤、除草剤および殺虫剤から選択することができる。また、マネブも好適な農薬である。特に、農薬を、活性成分(B)から選択し、上記に示された活性成分(B)が好ましい。
【０１６５】
かくして、化学物質の組合せ、例えば活性成分に対する耐性を付与しない、少なくとも1種の活性成分、および少なくとも1種のトランスジェニック改変が、相乗効果を誘導する、すなわち、該組合せの有効性が、個々の成分の使用と比較してより高いことが、驚くべきことに、本発明の枠組み内で見出された。それにより、植物生産性増強および／または植物健康増強および／または害虫制御を付与する相乗効果を得ることができる。
【０１６６】
結果として、別の態様に従えば、本発明は、本発明のトランスジェニック植物、好ましくは、農学的トランスジェニック植物の健康、生産性、収量を増加させ、および／または該植物の活力を改善するための本発明に従って定義された組成物の使用を提供する。
【０１６７】
本発明はさらに、トランスジェニック植物の生産性を増加させる方法であって、植物が成長しているか、もしくは成長すると期待される位置、および／または植物が成長する種子を、本明細書で定義された有効量の活性成分(B)で処理することを含む、前記方法を提供する。
【０１６８】
さらなる実施形態に従えば、本発明は、トランスジェニック植物の生産性を増加させる方法であって、該植物、該植物が成長しているか、もしくは成長すると期待される位置、および／または該植物が成長する種子を、本明細書で定義される有効量の活性成分(B)で処理することを含む、前記方法を提供する。
【０１６９】
本発明に従えば、農業植物の「増加した収量」とは、それぞれの植物の産物の収量が、同じ条件下であるが、本発明を適用することなく産生された植物の同じ産物の収量よりも測定可能な量だけ増加することを意味する。本発明に従えば、この収量は、少なくとも0.5％、より好ましくは、少なくとも1％、さらにより好ましくは、少なくとも2％、さらにより好ましくは、少なくとも4％、好ましくは、5％以上増加するのが好ましい。
【０１７０】
本発明に従えば、「改善された植物活力」とは、老化の遅延、根の成長、より長い円錐花序、植物立性の増加もしくは改善、植物重量、植物の高さ、発生、改善された視覚的外見、改善されたタンパク質含量、より発達した根系、耕作の増加、植物の高さの増加、より大きい葉身、より少ない死んだ根出葉、より強い耕作者、より緑色の葉色、色素含量、光合成活性、必要な肥料がより少ないこと、必要な種子がより少ないこと、より生産性の高い耕作者、より早い開花、早期穀物成熟、より少ない植物節(ロッジング)、新芽成長の増加、早期発芽および改善された発芽、植物の活力の改善、植物の品質の改善、果実もしくは野菜(もしくは植物により産生される他の産物)の品質の改善、菌類、細菌、ウイルスおよび／もしくは昆虫に対する寛容性の誘導などの植物の自己防衛機構の改善などの、特定の作物特性が、同じ条件下であるが、本発明を適用することなく産生された植物の同じ因子よりも、測定可能な量もしくは顕著な量だけ増加もしくは改善することを意味する。
【０１７１】
本発明に従う植物活力の改善は、具体的には、上記植物特性のいずれか1つまたはいくつかまたは全部の改善が、前記組成物または活性成分の殺虫作用とは無関係に改善されることを意味する。
【０１７２】
本発明の一実施形態に従って、本発明の組成物を、農業用トランスジェニック植物の収量増加のために用いる。
【０１７３】
本発明のさらなる実施形態に従って、本発明の組成物を、病原体および／または害虫に対する植物の自然の防御反応を刺激するのに用いる。それにより、該植物を、植物病原性菌類、細菌、ウイルスおよび昆虫などの望ましくない微生物に対して防御することができ、本発明の組成物が植物を強化する効果をもたらすことが見出された。従って、それらは、望ましくない微生物の攻撃に対する植物の防御機構を動員するのに有用である。結果として、前記植物は、これらの微生物に対して寛容性または抵抗性になる。この文脈における望ましくない微生物は、植物病原性菌類および／もしくは細菌および／もしくはウイルスおよび／もしくは昆虫、好ましくは、植物病原性菌類、細菌および／もしくはウイルスであり、本発明に従えば、処理される植物はこれらの病原体／害虫の1種またはこれらの病原体／害虫の2、3種もしくは全種に対する増加した防御機構を生じることができる。
【０１７４】
本発明の記載された方法の一実施形態に従えば、前記処理を、トランスジェニック野菜およびトランスジェニック畑作物に対して行う。本発明の記載された方法のさらなる実施形態に従えば、前記処理を、例えば、小麦、大麦またはライ麦などのトランスジェニック穀類に対して行う。1つの特定の実施形態においては、本発明の方法を、大豆、トウモロコシ、綿、小麦、大麦、ライ麦、イネ、サトウダイコン、サトウキビ、ヒマワリおよび／またはアブラナ／キャノーラ、特に、大豆、トウモロコシ、綿、サトウキビ、アブラナ／キャノーラ、タバコ、インゲンマメ、小麦、大麦、ライ麦、エンドウ豆などのトランスジェニック畑作物に適用することができる。これらの作物に関連して、種子または植物を処理することにより、前記方法を適用するのが好ましい。この実施形態においては、植物を季節あたり2〜3回の適用物で処理するのが好ましい。
【０１７５】
本発明の記載された方法の別の実施形態に従えば、前記処理を、トランスジェニックジャガイモ、トマト、キュウリ、メロン、スイカ、ニンニク、タマネギ、バナナ、ピーナッツ、ニンジン、キャベツ、コショウ、インゲンマメ、マメ類、エンドウ豆、レンティルおよび／またはレタス、特に、ジャガイモ、トマト、ウリ科植物、キュウリ、メロン、スイカ、ニンニク、タマネギ、および／またはレタスに対して行う。
【０１７６】
本発明の記載された方法の別の実施形態に従えば、前記処理を、トランスジェニックリンゴ、ナシ、核果類、または柑橘類、特に、リンゴ、核果類、柑橘類、パイン、スニップグラスに対して行う。
【０１７７】
本発明の記載された方法の別の実施形態に従えば、前記処理を、トランスジェニックイチゴ、サクランボ、アーモンド、マンゴー、パパイヤ、ブルーベリーおよび／またはブドウ、特に、イチゴおよび／またはサクランボに対して行う。
【０１７８】
本発明の記載された方法の別の実施形態に従えば、前記処理を、トランスジェニック芝および／または観葉植物に対して行う。
【０１７９】
本発明の記載された方法の別の実施形態に従えば、前記処理を、トランスジェニック茶、タバコおよび／またはコーヒーに対して行う。
【０１８０】
本発明の記載された方法の一実施形態に従えば、1季節の間に、前記化合物を用いる2〜10、3〜8または4〜6回の処理を行う。
【０１８１】
本発明の一実施形態に従って、本発明の組成物を、葉を介して、または土壌に対して適用する。本発明の記載された方法の別の実施形態に従えば、前記処理を、葉適用として実行する。本発明の1つの好ましい実施形態においては、本発明に記載の方法を、それぞれ、葉適用またはスプレー適用として実行する。好ましくは、1つの季節の間に、1、2、3、4、5から最大10回の適用を実行するが、具体的には、3回以上の適用〜最大10回の適用を実行する。また、1季節の間に、3回以上の適用〜最大5回の適用を実行する。
【０１８２】
本発明の組成物はまた、植物増殖材料への適用を整えるのにも好適である。後者の用語は、あらゆる種類の種子(果実、塊茎、穀類)、切断物、切断新芽などを包含する。適用の1つの特定の分野は、あらゆる種類の種子の処理である。
【０１８３】
本発明に従う方法を、ジャガイモ、トマト、ウリ科植物、好ましくは、キュウリ、メロン、スイカ、ニンニク、タマネギ、およびレタスなどのトランスジェニック果実および野菜に適用する場合、葉適用として実行するのが好ましい。好ましくは、1季節の間に、3回以上〜最大5回または最大10回の適用を実行する。
【０１８４】
適用率は、1ヘクタールあたり、通常は0.01〜2.0 kg、好ましくは最大1.0 kgの活性成分である。
【０１８５】
一実施形態においては、適用率は、1ヘクタールあたり、通常は0.0001〜2.0 kg、好ましくは0.0001〜1.0 kgの活性成分である。
【０１８６】
さらなる態様に従えば、本発明は、種子100 kgあたり0.1 g〜1 kgの量の本明細書で定義された本発明の組成物の1つを含む種子に関する。
【０１８７】
さらに、本発明の組成物が植物病原体(昆虫および有害菌類)に対する顕著に増強された作用を達成することが見出された。
【０１８８】
一般的には、ラミナリンを用いる場合、葉を処理するには1リットルあたり0.005 g〜100 gの用量で、種子を処理するには100 kgあたり1 g〜100 gの用量でそれを使用するのが好ましい。
【０１８９】
本発明の活性成分混合物を、プレミックス製剤の形態で用いるか、または活性成分を、処理しようとする領域、植物もしくは種子に、必要に応じて、さらなる担体、界面活性剤もしくは製剤化技術において習慣的に用いられる他の適用促進アジュバントと共に、同時に、もしくは即時連続的に適用することができる。有効量の活性成分とは別に、本発明の組成物は農学上許容し得る担体および／またはビヒクルを含んでもよい。前記組成物は、固体形態、例えば、粉末もしくは顆粒の形態、または液体形態、例えば、水溶液の形態にあってもよい。
【０１９０】
本発明に従って用いられる活性成分または組成物を、農薬のために従来用いられる製剤、例えば、溶液、乳濁液、懸濁液、ダスト、粉末、ペーストおよび顆粒に変換することができる。使用形態は、特定の目的に依存する；いかなる場合でも、それは本発明に従う化合物の良好かつ均一な分布を確保するべきである。
【０１９１】
本発明はさらに、少なくとも1種の固体または液体担体を含む上記組成物を提供する。
【０１９２】
前記活性成分の植物への輸送、および全植物内での分布を支援する製剤を用いる場合、最良の結果が得られる。
【０１９３】
前記組成物は一般的には、0.1〜95重量％、好ましくは0.5〜90重量％の活性成分を含む。
【０１９４】
植物防御において用いられる場合、適用される量は、望まれる効果の種類に応じて、1ヘクタールあたり0.01〜2.0 kg、好ましくは0.1〜1 kgの活性成分である。
【０１９５】
一実施形態においては、適用される適用量は、望まれる効果の種類に応じて、1ヘクタールあたり0.0001〜2.0 kg、好ましくは0.1〜1 kgの活性成分である。
【０１９６】
例えば、種子ドレッシング、種子コーティング、種子ダスティング、種子浸漬および種子沈降化などの当業者には公知の方法により、種子を処理することができる。
【０１９７】
種子の処理においては、用いられる活性成分の量は、一般的には1〜1000 g/100 kgの種子、好ましくは、1〜200 g/ 100 kg、特に、1〜100 g/100 kgである。
【０１９８】
材料または保存産物の防御において用いられる場合、適用される活性成分の量は、適用領域の種類および望まれる効果に依存する。材料の防御において習慣的に適用される量は、例えば、処理される材料1立方メートルあたり、0.001 g〜2 kg、好ましくは、0.005 g〜1 kgの活性化合物である。
【０１９９】
前記製剤を、例えば、必要に応じて、乳化剤および分散剤を用いて、活性化合物を溶媒および／または担体を用いて拡張することにより、公知の様式で調製する。好適である溶媒／補助剤は、本質的には、
・水、芳香族溶媒(例えば、Solvesso製品、キシレン)、パラフィン(例えば、ミネラルオイル画分)、アルコール(例えば、メタノール、ブタノール、ペンタノール、ベンジルアルコール)、ケトン(例えば、シクロヘキサノン、γ-ブチロラクトン)、ピロリドン(NMP、NOP)、アセテート(グリコールジアセテート)、グリコール、脂肪酸ジメチルアミド、脂肪酸および脂肪酸エステル(原理的には、溶媒混合物を用いてもよい)、
・地下天然鉱物(例えば、カオリン、粘土、タルク、チョーク)および地下合成鉱物(例えば、微粉化シリカ、ケイ酸塩)などの担体；非イオン性および陰イオン性乳化剤(例えば、ポリオキシエチレン脂肪族アルコールエーテル、アルキルスルホナートおよびアリールスルホナート)などの乳化剤ならびにリグノサルファイト廃液およびメチルセルロースなどの分散剤、
である。
【０２００】
好適な界面活性剤は、アルカリ金属、アルカリ土類金属ならびにリグノスルホン酸、ナフタレンスルホン酸、フェノールスルホン酸、ジブチルナフタレンスルホン酸、アルキルアリールスルホナート、アルキル硫酸、アルキルスルホナート、脂肪族アルコール硫酸、脂肪酸および硫酸化脂肪族アルコールグリコールエーテルのアンモニウム塩、さらに、スルホン化ナフタレンと、ホルムアルデヒドとのナフタレン誘導体との縮合物、ナフタレンもしくはナフタレンスルホン酸と、フェノールとの縮合物ならびにホルムアルデヒド、ポリオキシエチレンオクチルフェノールエーテル、エトキシル化イソオクチルフェノール、オクチルフェノール、ノニルフェノール、アルキルフェノールポリグリコールエーテル、トリブチルフェニルポリグリコールエーテル、トリステアリルフェニルポリグリコールエーテル、アルキルアリールポリエーテルアルコール、アルコールおよび脂肪族アルコール／エチレンオキシド縮合物、エトキシル化キャストル油、ポリオキシエチレンアルキルエーテル、エトキシル化ポリオキシプロピレン、ラウリルアルコールポリグリコールエーテルアセタール、ソルビトールエステル、リグノサルファイト廃液ならびにメチルセルロースである。
【０２０１】
直接噴霧可能な溶液、乳濁液、ペーストまたは油分散物の調製にとって好適なものは、ケロセンもしくはディーゼル油などの高沸点の媒体の鉱物油画分、さらに、コールタール油および野菜もしくは動物起源の油、脂肪族、環式および芳香族炭化水素、例えば、トルエン、キシレン、パラフィン、テトラヒドロナフタレン、アルキル化ナフタレンまたはその誘導体、メタノール、エタノール、プロパノール、ブタノール、シクロヘキサノール、シクロヘキサノン、イソホロン、強極性溶媒、例えば、ジメチルスルホキシド、N-メチルピロリドンおよび水である。
【０２０２】
拡散製品およびダスト化可能製品のための材料を、活性物質と固体担体とを混合するか、同時に粉砕することにより調製することができる。
【０２０３】
顆粒、例えば、コーティングされた顆粒、含浸顆粒および均質顆粒を、前記活性化合物を固体担体に結合させることにより調製することができる。固体担体の例は、シリカゲル、ケイ酸塩、タルク、カオリン、アッタクレイ、石灰石、石灰、チョーク、赤土、黄土、粘土、ドロマイト、珪藻土、硫酸カルシウム、硫酸マグネシウム、酸化マグネシウム、地下合成材料、肥料、例えば、硫酸アンモニウム、リン酸アンモニウム、硝酸アンモニウム、尿素、ならびに野菜起源の産物、例えば、穀類粉末、樹皮粉末、木材粉末および殻粉末、セルロース粉末および他の固体担体である。
【０２０４】
種子処理のための製剤は、結合剤および／またはゲラントならびに必要に応じて、染料をさらに含んでもよい。
【０２０５】
結合剤を添加して、処理後の前記活性化合物の種子への接着を増加させることができる。好適な結合剤は、例えば、EO/POブロックコポリマー界面活性剤であるが、ポリビニルアルコール、ポリビニルピロリドン、ポリアクリレート、ポリメタクリレート、ポリブテン、ポリイソブチレン、ポリスチレン、ポリエチレンアミン、ポリエチレンアミド、ポリエチレンイミン(Lupasol(登録商標)、Polymin(登録商標))、ポリエーテル、ポリウレタン、ポリビニル酢酸、チロースおよびこれらのポリマーのコポリマーである。好適なゲラントは、例えば、カラゲン(Satiagel(登録商標))である。
【０２０６】
一般的には、前記製剤は、0.01〜95重量％、好ましくは0.1〜90重量％の活性化合物を含む。この活性化合物を、90％〜100％、好ましくは95％〜100％の純度(NMRスペクトルに従う)で用いる。
【０２０７】
即時使用調製物における活性化合物の濃度は、比較的広い範囲内で変化してもよい。一般的には、それらは0.0001〜10％、好ましくは0.01〜1％である。
【０２０８】
また、前記活性化合物を、超低量(ULV)プロセスにおいて大きな成功と共に用いることができ、95重量％を超える活性化合物またはさらに添加物を含まない活性化合物を含む製剤を適用することが可能である。
【０２０９】
種子の処理のためには、問題の製剤は、2〜10倍希釈後に、即時使用調製物中で、0.01〜60重量％、好ましくは0.1〜40重量％の活性化合物濃度を与える。
【０２１０】
以下のものは、本発明に従う製剤の例である：水を用いる希釈のための製品：
A 水溶性濃縮物(SL、LS)
10重量部の活性成分を、90重量部の水または水溶性溶媒を用いて溶解する。代替として、湿潤剤または他の補助剤を添加する。活性化合物は、水を用いる希釈の際に溶解する。これにより、10重量％の活性化合物含量を有する製剤が得られる。
【０２１１】
B 分散性濃縮物(DC)
20重量部の活性成分を、70重量部のシクロヘキサノン中に、10重量部の分散剤、例えば、ポリビニルピロリドンを添加しながら溶解する。水を用いる希釈により、分散液が得られる。活性成分含量は20重量％である。
【０２１２】
C 乳濁性濃縮物(EC)
15重量部の活性成分を、75重量分のキシレン中に、カルシウムドデシルベンゼンスルホン酸およびキャストル油エトキシレート(それぞれ、5重量部)を添加しながら溶解する。水を用いる希釈により、乳濁液が得られる。この製剤は15重量％の活性化合物含量を有する。
【０２１３】
D 乳濁液(EW、EO、ES)
25重量部の活性成分を、35重量部のキシレン中に、カルシウムドデシルベンゼンスルホン酸およびキャストル油エトキシレート(それぞれ、5重量部)を添加しながら溶解する。この混合物を、乳化機械(例えば、Ultraturrax)を用いることにより30重量部の水に添加し、均質な乳濁液を作製する。水を用いる希釈により、乳濁液が得られる。この製剤は、25重量％の活性化合物含量を有する。
【０２１４】
E 懸濁液(SC、OD、FS)
攪拌したボールミル中、20重量部の活性成分を、10重量部の分散剤および湿潤剤ならびに70重量部の水または有機溶媒を添加しながら粉砕して、微細な活性化合物懸濁液を得る。水を用いる希釈により、活性化合物の安定な懸濁液が得られる。製剤中の活性化合物含量は20重量％である。
【０２１５】
F 水分散性顆粒および水溶性顆粒(WG、SG)
50重量部の活性成分を、50重量部の分散剤および湿潤剤を添加しながら微細に粉末化し、技術器具(例えば、押出器、スプレータワー、流動床)を用いることにより、水分散性または水溶性顆粒に作製する。水を用いる希釈により、活性化合物の安定な分散液または溶液が得られる。この製剤は、50重量％の活性化合物含量を有する。
【０２１６】
G 水分散性粉末および水溶性粉末(WP、SP、SS、WS)
75重量部の活性成分を、25重量部の分散剤、湿潤剤およびシリカゲルを添加しながら、回転子-固定子ミル中で粉砕する。水を用いる希釈により、活性化合物の安定な分散液または溶液が得られる。この製剤の活性化合物含量は75重量％である。
【０２１７】
希釈せずに適用される製品：
H ダスト化可能粉末(DP、DS)
5重量部の活性成分を微細に粉砕し、95重量部の微細に分割されたカオリンとよく混合する。これにより、5重量％の活性化合物含量を有するダスト化可能製品が得られる。
【０２１８】
I 顆粒(GR、FG、GG、MG)
0.5重量部の活性成分を微細に粉砕し、99.5重量部の担体と結合させる。現在の方法は押出、スプレー乾燥または流動床である。これにより、希釈せずに適用される0.5重量％の活性化合物含量を有する顆粒が得られる。
【０２１９】
J ULV溶液(UL)
10重量部の活性成分を、90重量部の有機溶媒、例えば、キシレン中に溶解する。これにより、希釈せずに適用される10重量％の活性化合物含量を有する製品が得られる。
【０２２０】
種子処理は典型的には、水溶性濃縮物(LS)、懸濁液(FS)、ダスト(DS)、水分散性および水溶性粉末(WS、SS)、乳化剤(ES)、乳化可能濃縮物(EC)およびゲル製剤(GF)を用いる。これらの製剤を種子に対して整然と適用するか、好ましくは希釈することができる。適用を播種の前に行うことができる。
【０２２１】
種子処理のためにはFS製剤を用いることを優先する。そのような製剤は、典型的には、1〜800 g/lの活性化合物、1〜200 g/lの界面活性剤、0〜200 g/lの凍結防止剤、0〜400 g/lの結合剤、0〜200 g/lの染料および溶媒、好ましくは、水を含む。
【０２２２】
前記活性化合物を、その製剤の形態でそのまま用いるか、またはそれから調製された使用形態で、例えば、噴霧、霧化、ダスト化、拡散もしくは注入を用いることにより、直接噴霧可能な溶液、粉末、懸濁液もしくは分散液、乳濁液、油分散液、ペースト、ダスト化可能製品、拡散用材料、もしくは顆粒の形態で用いることができる。使用形態は、意図される目的に完全に依存する；その意図とは、それぞれの場合、本発明に従って用いられる活性化合物の最良の可能な分布を確保することである。
【０２２３】
水性使用形態を、水を添加することにより、乳濁濃縮物、ペーストまたは湿潤性粉末(噴霧可能粉末、油分散液)から調製することができる。乳濁液、ペーストまたは油分散液を調製するために、そのままの前記物質、または油もしくは溶媒に溶解された前記物質を、湿潤剤、粘着付与剤、分散剤または乳化剤を用いることにより、水中でホモジェナイズすることができる。あるいは、活性物質、湿潤剤、粘着付与剤、分散剤もしくは乳化剤および必要に応じて、溶媒もしくは油から構成される濃縮物を調製することもでき、そのような濃縮物は水を用いる希釈にとって好適である。
【０２２４】
即時使用調製物中の活性化合物濃度は比較的広い範囲内で変化してもよい。一般的には、それらは0.0001〜10％、好ましくは、0.01〜1％である。
【０２２５】
別途特定しない限り、溶液を以下のように調製する。
【０２２６】
活性成分を、蒸留水：アセトンの1:1(vol/vol)混合物中、所望の濃度で溶解する。試験溶液を使用する日に調製する。
【０２２７】
試験溶液を、一般的には、1000 ppm、500 ppm、300 ppm、100 ppmおよび30 ppm(wt/vol)の濃度で調製する。
【０２２８】
活性化合物を、95重量％を超える活性化合物を含む製剤を適用するか、または添加物を用いずに活性化合物を適用することさえできる、超低量プロセス(ULV)において連続的に用いることもできる。
【０２２９】
必要に応じて、使用する直前に(タンク混合)、様々な型の油、湿潤剤、アジュバントを活性化合物に添加することができる。これらの物質を、1:100〜100:1、好ましくは、1:10〜10:1の重量比で本発明に従う物質と混合することができる。
【０２３０】
この意味での好適なアジュバントは、特に、有機的に改変されたポリシロキサン、例えば、Break Thru S 240(登録商標); アルコールアルコキシレート、例えば、Atplus 245(登録商標)、Atplus MBA 1303(登録商標)、Plurafac LF 300(登録商標)およびLutensol ON 30(登録商標); EO/POブロックポリマー、例えば、Pluronic RPE 2035(登録商標)およびGenapol B(登録商標); アルコールエトキシレート、例えば、Lutensol XP 80(登録商標); ならびにナトリウムジオクチルスルホスクシネート、例えば、Leophen RA(登録商標)である。
【０２３１】
一実施形態においては、本発明の方法は、好ましくは、配列番号1〜270に記載のポリペプチド、好ましくは、表Ｂ、第1もしくは3列に記載の核酸分子によりコードされるポリペプチドの、表Ｂ、第5列に記載の活性を増加させるか、または生成することによる、表Ａ、好ましくはＡ１に記載のトランスジェニック植物に関し、ここで、活性成分(B)をB1、B2、B3、B4、B5、B6、B7、B8、B9、B10、B11、B12、B13、B14、B15、B16、B17、B18、B19、B20、B21、B22、B23、B24、B25、B26、B27、B28、B29、B30、B31、B32、B33、B34およびB35の群からなる群より選択する。本実施例は、本発明の主題を限定すると意図されることなく基本的な本発明を例示するものである。
【０２３２】
本出願で引用される全ての参考文献、特許出願、特許および公開特許出願の内容は、参照により本明細書に組み入れられるものとする。
【０２３３】
(実施例)
材料および方法
EST163遺伝子を発現させることによる生産性が増強されたトウモロコシ植物の操作
トウモロコシ(Zea Mays L.)の形質転換を、構築物NC027を用いて実施した(図1)。未熟胚を、「スーパーバイナリー」ベクターを担持するアグロバクテリウム・ツメファシエンス(Agrobacterium tumefaciens)と共に同時培養し、トランスジェニック植物を器官形成(Ishidaら、1996, Nature Biotech 14745-50)を介して回収した。この手順により、2.5％〜20％の形質転換効率が得られた。次いで、トランスジェニック植物を、改善された植物バイオマスについてスクリーニングしたところ、トランスジーン発現が生産性能を付与することが示された。
【０２３４】
図1：目的の遺伝子EST163の構築物NC027のマップ。発現をプロモーターScBvにより駆動し、AHASを選択マーカーとして選択した。
【０２３５】
同じプラスミド上に前記遺伝子およびトウモロコシahas遺伝子を担持するアグロバクテリウム細胞を、好適な抗生物質を補給したYP培地中で1〜3日間増殖させた。アグロバクテリウム細胞のループを回収し、2 mlのM-LS-002培地(LS-inf)中に懸濁し、アグロバクテリウム細胞を含むチューブを1,200 rpmで1〜3時間、振とう器上で保持した。
【０２３６】
トウモロコシの穂軸[遺伝子型J553x(HIIIAxA188)]を授粉の7〜12日後に収穫した。穂軸を20％ Clorox溶液中で15分間滅菌した後、滅菌水で完全に洗浄した。大きさ0.8〜2.0 mmの未熟胚を、LS-inf溶液中にアグロバクテリウム細胞を含むチューブ中に切り分けた。
【０２３７】
室温で30分間、薄板状フード中、チューブを水平に保持することにより、アグロ感染を実行した。アグロ感染の混合物を、同時培養培地(M-LS-011)を含有するプレート上に注いだ。液体アグロ溶液をピペットで除いた後、胚を、胚盤側を上にして同時培養培地上に塗布し、暗室中、22℃で2〜4日間培養した。
【０２３８】
胚を、選択せずにM-MS-101培地に移した。7〜10日後、胚を、0.75μMのイマゼタピルを含有するM-LS-401培地に移し、それらを4週間増殖させて形質転換されたカルス細胞を選択した。
【０２３９】
耐性カルスを、0.75μMイマゼタピルを補給したM-LS-504培地に移すことにより植物再生を開始し、26℃で2〜3週間、光下で増殖させた。次いで、再生された新芽を、M-MS-607培地(0.5μMイマゼタピル)を含む発根箱に移した。
【０２４０】
根を含む植物体を、鉢植え用混合物に移し、増殖チャンバー中で1週間増殖させた後、より大きい鉢に移植し、成熟するまで温室中で維持した。種子を収穫し、トランスジーンの存在を、imi除草剤に対する耐性によるか、またはTaqman分子分析技術により検出した。
【０２４１】
種子処理
J553x(HIIIAxA188)ヌルおよびT2世代のトランスジェニックトウモロコシ種子を、脱イオン水(Blank)、200グラムのフィプロニル、10グラムのピラクロストロビン(F500)、および200グラムのフィプロニル＋10グラムのピラクロストロビンで処理した；全ての調剤率はグラム／種子100 kgであった。全ての製剤を、約80個の種子に適用した。製剤を125 mlのフラスコ中に側面に沿って、フラスコの底にピペットで移した後、種子を添加し、フラスコを30秒間振とうした。次いで、コーティングされた種子をフラスコから取り出し、乾燥のためにプラスチック皿に入れた。
【０２４２】
植物の管理-NC027構築物を有する植物のWUE試験
形質転換事象のためのトランスジーン陽性および陰性トウモロコシ種子、SDM-23881、SDM-23885、SDM-23889、SDM-23890、ならびにSDM-23891を、ポット5-Lポットに移植した。ポットを蓋で覆い、種子の成長を可能にしたが、水の喪失を最小化した。各ポットを定期的に計量し、水を添加して最初の水含量(50％の完全水許容量)を維持した。実験の終わりに、各植物の生体重および乾燥重量を測定し、各植物により消費された水を決定し、各植物のWUEを計算した。植物の成長ならびにWUE、高さ、生体重、および乾燥重量などの生理学的形質を実験の間に測定した。トランスジーン陽性および陰性植物の間で、表現型毎に比較を行った。
【０２４３】
植物の管理-フィプロニル／ピラクロストロビン試験
処理あたり75個の3-Lポット(Blank、フィプロニル、ピラクロストロビン、およびフィプロニル＋ピラクロストロビン)に、鉢植え用媒体を充填し、着色棒で標識し、ユニークなバーコードを与えた。ポットあたり1個の種子を、約2 cmの深さに植え、媒体で被覆した。十分な酸素交換を可能にしながら、媒体に軽く水を与え、種子に水分を吸収させ、種子上の化学物質コーティングを無傷のまま維持した。植えた後、ポットを、全ての処理につきそれぞれ25本の植物を含む3つの複製ブロック(1ベンチ＝1ブロック)に無作為に分配した。
【０２４４】
植物を、最適かつ十分な水条件(80〜90％畑容量)下、発芽まで温室中で維持した。補給栄養素を、水を与える間3日毎に投与した。温室を、温度30℃、相対湿度75％、および350μmol m-2s-1の光、15時間昼／9時間夜の光周期中で維持した。追加の光を、金属ハロゲン化物光を用いて提供した。週に1回、ポットを無作為に各ブロック内で混合した。
【０２４５】
21日目に、植物を「画像化手順」の節に記載のように画像化して、表現型データを収集した。25日目にトランスジーンコピー数のために葉をサンプリングして、ヌル植物およびトランスジェニック植物を同定した。28日目に、植物を画像化した後、収穫して生体重を収集した。トランスジーンの存在を、Taqman分子分析技術により検出した。画像化プロセスの間に収集された表現型データの差異ならびに4つの処理の間の生体重の差異ならびにヌル植物およびトランスジェニック植物間の差異を評価した。トランスジェニック相互作用による化学物質を決定した。
【０２４６】
画像化手順
コンベヤーベルト、画像化ステーション、水やりステーション、ならびに画像データを収集、加工、および保存するためのコンピューターを含む、LemnaTec Scanalyzer (Wurselen, Germany)を用いて、植物の画像化を容易にした。カメラは1280 X 960ピクセルの解像度を有し、24ビットカラーで操作する。
【０２４７】
植物を、スキャナライザーのコンベヤー系にブロックにより手動で移した。次いで、各植物を、画像化装置を通して自動的に移動させた。画像化ステーションでは、カメラは上からの視点の画像と2側面の視点の画像を収集した。側面視点画像は横軸視点であり、その視点は植物の平面と平行であった。
【０２４８】
製剤に記載のように(添付物Aを参照)、スキャナライザーは、ピクセル数として植物の体積を算出する。体積測定値に生理学的に意味のある値を割り当てるために、別の実験を行った。植物を、スキャナライザーを用いて走査した後、収穫した。植物材料を、既知容量まで水を充填したメスシリンダーに入れた。水＋植物材料と、水のみの間の差異は、既知の植物体積(mL)を提供した。植物あたりのmL数により除算されたLemnaTecで算出された体積ピクセル数は、約36,000ピクセルが1 mLの植物体積と等価であることを示した。
【０２４９】
LemnaTecスキャナライザーを用いて、本発明者らは茎の幅；茎体積；上方視点、横軸視点、および平行視点の植物面積；上方視点、横軸視点、および平行視点の緑色および黄色のピクセル計数；茎の長さ；葉の角度および葉5を通過する節間長さ；植物の幅および高さ；葉の長さの合計；ならびに植物の長さの合計を収集した。
【０２５０】
結果(以下の本文の形式は補正する必要あり)
NC027の増強に関する試験
表１に示されるように、トランスジェニック植物は生体重(FW)、乾燥重量、および植物体積における有意な改善を示した。平均で、生体重は6.5％増加し、乾燥重量は7％増加し、植物体積は10.7％増加した。3つ全部が、分散分析に従う95％レベルの確率で有意であった。
【表１】
2010524483.tif 000013
【０２５１】
最初の試験において、95％の有意性で、遺伝子型相互作用による処理を示した表現型は、節間長さと緑色対黄色の植物材料を含んでいた(表２〜５)。80％の有意性で、葉の角度および植物の面積も含まれていた(表６〜７)。フィプロニルは、他の全ての処理と比較して、緑色、節間長さ、葉の角度、および植物の面積を増強した。トランスジェニックおよび処理効果に関する有意性を示す他の表現型は、生体重、植物および体積、完全に広がった葉の数、茎の長さ、および視点3の大きさを含んでいた(表８〜１０)。
【表２】
2010524483.tif 000014
【表３】
2010524483.tif 000015
【表４】
2010524483.tif 000016
【表５】
2010524483.tif 000017
【表６】
2010524483.tif 000018
【表７】
2010524483.tif 000019
【表８】
2010524483.tif 000020
【表９】
2010524483.tif 000021
【表１０】
2010524483.tif 000022
【０２５２】
より長い節間長さは、より良好な植物成長を表すことができる。より高い割合の緑色ピクセル／植物面積は、植物がより大きい光合成能力を有するという意味を含む。同様に、黄色ピクセルが優勢である場合、植物は萎黄病を引き起こすいくらかの尺度のストレスを経験していることを示し得る。
【０２５３】
より大きい葉の角度は、葉がより平たく広がっており、かくしてより多い光合成照射を受けたことを意味し、より大きい植物面積は光合成のための葉の表面積がより多いことを示唆している。
【０２５４】
一般的には、フィプロニルは生質量、植物体積、植物の高さ、および植物の幅を同様に増強した。
【０２５５】
化学物質修正の効果は、節間長さに対する効果および葉の角度の変化により例示されるように、トランスジーン相互作用による有意な化学物質を示すトランスジェニック植物に適用した場合、増強された。
【０２５６】
2010524483.tif 000023
【０２５７】
2回目の試験においては、95％有意性で遺伝子型相互作用による処理を示した表現型は、植物体積、算出された生体重、側面植物面積、および暗緑色ピクセル計数を含んでいた(表１１)。植物体積および暗緑色ピクセル計数は、ピラクロストロビン処理については99％で有意であった。一般的には、ピラクロストロビンは、植物の大きさおよび光合成健康を増強した。化学物質修正の効果は、トランスジーン相互作用による有意な化学物質を示すトランスジェニック植物に適用された場合、増強された。
【０２５８】
植物体積、生体重、および植物面積の増加は、植物成長の増強を示す。より高い割合の緑色ピクセル／植物面積は、光合成能力の増加を意味し得る。同様に、黄色ピクセルの優勢は、萎黄病を引き起こすいくらかの尺度のストレスを示す。
【０２５９】
より大きい植物面積は、光合成のためにより多くの葉の表面積が利用可能であることを示唆する。
【０２６０】
21日目および28日目の両方に由来する結果は同じ傾向を示した。
【表１１】
2010524483.tif 000024
【０２６１】
結論
化学物質修正は、特に、全植物の構造および大きさ、葉の色、ならびに葉の形態の操作を介してトランスジェニック植物および非トランスジェニック植物の植物性能を増強する。化学物質修正の組合せをトランスジェニック植物に注意深く施すことにより、より高い効果でさえ刺激することができる。その利益は、天然の生物的であるか、または非生物的であるかに関わらず、ストレス条件においてより高い植物性能を含み、収量の増加および経済的利益をもたらすであろう。
【０２６２】
添付物A
乾燥重量 - グラムで表した植物の乾燥重量の測定値。収穫後、植物を、65℃に設定した乾燥オーブン中に入れ、最小で72時間乾燥させた後、重量を計測した。
【０２６３】
生体重 - グラムで表した植物の生体重の測定値。手で回収した生体重を、植物を収穫し、それを平衡器上で重量計測することにより測定する。LemnaTec生体重を、植物体積および植物年齢に基づいてスキャナライザーにより算出する。カメラレンズのズーム角度を、補正テーブルを用いて正規化する。
【０２６４】
節間長さ - 節間長さを、茎上の葉の襟から葉の襟まで測定する。例えば、節間1を、葉0から葉1まで測定する。cmで報告する。
【０２６５】
葉の角度 - 葉の角度の測定値。角度に関するベクトルは、葉の底から水平に、葉の先端まで、かつ植物茎上で垂直である。測定された角度は、葉の上の茎から、葉の先端までであり、度で報告する。
【０２６６】
完全に広がった葉の数 - 認識可能な葉の襟を有する葉の数の計数。
【０２６７】
平行視点の植物面積 - 平行側面から画像化された植物の合計ピクセル数の計数。
【０２６８】
平行視点の暗緑色ピクセル - 平行側面から画像化された使用者により定義された暗緑色ピクセルの合計数の計数。植物の光合成健康を示す。
【０２６９】
平行視点のミディアムグリーンピクセル -平行側面から画像化された使用者により定義された暗緑色ピクセルの合計数の計数。植物における萎黄病の初期の開始を示す。
【０２７０】
平行視点の黄色ピクセル -平行側面から画像化された使用者により定義された黄色ピクセルの合計数の計数。植物における萎黄病を示す。
【０２７１】
植物の高さ - 茎の底から最後の完全に広がった葉の襟までの測定値であり、cmで報告する。
【０２７２】
植物体積 - 3種の画像のピクセル計数から算出され、式：
体積＝(上方視点 x 横軸視点 x 平行視点ピクセル)0.5
に従ってピクセルで報告する。
【０２７３】
植物の幅 - 最も左の葉の先端から最も右の葉の先端までの幅の測定値。
【０２７４】
茎体積 - 植物の底部から最後の広がった葉までの測定値。横軸および平行視点画像に由来するピクセル計数を合計し、ピクセルで報告する。
【０２７５】
茎の長さ - 植物の底部から最後の完全に広がった葉までの茎の長さの測定値であり、cmで報告する。
【０２７６】
茎の幅 - 横軸視点での植物の底部での茎の測定値であり、mmで報告する。
【０２７７】
上方視点植物面積 - 上から画像化された植物のピクセルの合計数の計数。
【０２７８】
上方視点暗緑色ピクセル - 上から画像化された使用者により定義された暗緑色ピクセルの合計数の計数。植物の光合成健康を示す。
【０２７９】
上方視点ミディアムグリーンピクセル - 平行側面から画像化された使用により定義された暗緑色ピクセルの合計数の計数。植物における萎黄病の初期の開始を示す。
【０２８０】
上方視点黄色ピクセル - 上から画像化された使用者により定義された黄色ピクセルの合計数の計数。植物における萎黄病を示す。
【０２８１】
合計葉長 - 各葉の底部から先端まで測定された全ての葉の合計であり、cmで報告する。
【０２８２】
合計植物長 - 茎の底部から最も高い葉の先端までの測定値であり、cmで報告する。
【０２８３】
横軸視点植物面積 - 横軸面から画像化された植物のピクセルの合計数の計数。
【０２８４】
横軸視点暗緑色ピクセル -横軸面から画像化された使用者により定義された暗緑色ピクセルの合計数の計数。植物の光合成健康を示す。
【０２８５】
横軸視点ミディアムグリーンピクセル - 平行側面から画像化された使用者により定義された暗緑色ピクセルの合計数の計数。植物における萎黄病の初期の開始を示す。
【０２８６】
横軸視点黄色ピクセル - 横軸面から画像化された使用者により定義された黄色ピクセルの合計数の計数。植物における萎黄病を示す。
【０２８７】
横軸視点茎面積 - 横軸視点からの茎のピクセルの合計数の計数。
【０２８８】
当業者であれば、日常的なものを超えない実験を用いて、本明細書に記載された本発明の特定の実施形態の多くの等価物を認識するか、または確認することができるであろう。そのような等価物は、以下の特許請求の範囲により包含されることが意図される。
【表Ｂ】
2010524483.tif 000025
2010524483.tif 000026
2010524483.tif 000027
2010524483.tif 000028
2010524483.tif 000029
2010524483.tif 000030
2010524483.tif 000031
2010524483.tif 000032
2010524483.tif 000033
2010524483.tif 000034
2010524483.tif 000035
2010524483.tif 000036
2010524483.tif 000037
【表Ｃ】
2010524483.tif 000038
2010524483.tif 000039
2010524483.tif 000040
2010524483.tif 000041
2010524483.tif 000042
2010524483.tif 000043
2010524483.tif 000044
2010524483.tif 000045
2010524483.tif 000046
2010524483.tif 000047
2010524483.tif 000048
2010524483.tif 000049
2010524483.tif 000050
2010524483.tif 000051
2010524483.tif 000052
2010524483.tif 000053
2010524483.tif 000054
2010524483.tif 000055
2010524483.tif 000056
2010524483.tif 000057
2010524483.tif 000058
2010524483.tif 000059
2010524483.tif 000060
2010524483.tif 000061
2010524483.tif 000062
2010524483.tif 000063
2010524483.tif 000064
2010524483.tif 000065
2010524483.tif 000066
2010524483.tif 000067
2010524483.tif 000068
2010524483.tif 000069
2010524483.tif 000070
2010524483.tif 000071
2010524483.tif 000072
2010524483.tif 000073
2010524483.tif 000074
2010524483.tif 000075
2010524483.tif 000076
2010524483.tif 000077
2010524483.tif 000078
2010524483.tif 000079
2010524483.tif 000080
2010524483.tif 000081
2010524483.tif 000082
2010524483.tif 000083
2010524483.tif 000084
2010524483.tif 000085
2010524483.tif 000086
2010524483.tif 000087
2010524483.tif 000088
2010524483.tif 000089
2010524483.tif 000090
2010524483.tif 000091
2010524483.tif 000092
2010524483.tif 000093
2010524483.tif 000094
2010524483.tif 000095
2010524483.tif 000096
2010524483.tif 000097
2010524483.tif 000098
2010524483.tif 000099
2010524483.tif 000100
2010524483.tif 000101
2010524483.tif 000102
2010524483.tif 000103
2010524483.tif 000104
2010524483.tif 000105
2010524483.tif 000106
2010524483.tif 000107
2010524483.tif 000108
2010524483.tif 000109
2010524483.tif 000110
2010524483.tif 000111
2010524483.tif 000112
2010524483.tif 000113
2010524483.tif 000114
2010524483.tif 000115
2010524483.tif 000116
2010524483.tif 000117
2010524483.tif 000118
2010524483.tif 000119
2010524483.tif 000120
2010524483.tif 000121
2010524483.tif 000122
2010524483.tif 000123
2010524483.tif 000124
2010524483.tif 000125
2010524483.tif 000126
2010524483.tif 000127
2010524483.tif 000128
2010524483.tif 000129
2010524483.tif 000130
2010524483.tif 000131
2010524483.tif 000132
2010524483.tif 000133
2010524483.tif 000134
2010524483.tif 000135
2010524483.tif 000136
2010524483.tif 000137
2010524483.tif 000138
2010524483.tif 000139
2010524483.tif 000140
2010524483.tif 000141
2010524483.tif 000142
2010524483.tif 000143
2010524483.tif 000144
2010524483.tif 000145
2010524483.tif 000146
2010524483.tif 000147
2010524483.tif 000148
2010524483.tif 000149
2010524483.tif 000150
2010524483.tif 000151
2010524483.tif 000152
2010524483.tif 000153
2010524483.tif 000154
2010524483.tif 000155
2010524483.tif 000156
2010524483.tif 000157
2010524483.tif 000158
2010524483.tif 000159
2010524483.tif 000160
2010524483.tif 000161
2010524483.tif 000162
2010524483.tif 000163
2010524483.tif 000164
2010524483.tif 000165
【図１】
2010524483.tif 000166
【配列表】
2010524483000001.app
【国際調査報告】
2010524483.tif 000167
2010524483.tif 000168
2010524483.tif 000169
2010524483.tif 000170
2010524483.tif 000171
2010524483.tif 000172
2010524483.tif 000173